(57)【要約】  コンテンツ・タグ付けおよび管理能力を、コンテンツの自動タグ付けおよびタグ付けされたコンテンツの管理を可能にするために提供する。装置は、オブジェクトを含むコンテンツを取り込むように構成されたコンテンツ取込み機構と、コンテンツ内に含まれるオブジェクトに情報構造を自動的に関連付けて、これによってタグ付けされたコンテンツを形成するように構成されたプロセッサとを含む。ユーザ・デバイスを使用してコンテンツに自動的にタグ付けするための方法は、オブジェクトを含むコンテンツを取り込むステップと、オブジェクトに関連するセンサが検出される時にオブジェクトに関連するオブジェクト情報を受け取るステップと、コンテンツ内に含まれるオブジェクトに情報構造を自動的に関連付けて、これによってタグ付けされたコンテンツを形成するステップとを含み、情報構造は、オブジェクトに関連するオブジェクト情報の少なくとも一部を含む。
2013544383.tif 000002
【特許請求の範囲】
【請求項１】
オブジェクトを含むコンテンツを取り込むように構成された第１のコンテンツ取込み機構と、
前記第１のコンテンツ取込み機構から前記取り込まれたコンテンツを受け取り、
前記第１のコンテンツ取込み機構または第２のコンテンツ取込み機構のうちの少なくとも１つを介して前記オブジェクトに関連するセンサから前記オブジェクトに関連するオブジェクト・データを受け取り、
前記オブジェクト・データの少なくとも一部に基づいて情報構造に投入し、
前記取り込まれたコンテンツ内に含まれる前記オブジェクトに前記情報構造を自動的に関連付けて、これによってタグ付けされたコンテンツを形成する
ように構成されたプロセッサと
を備える装置。
【請求項２】
前記プロセッサは、前記第１のコンテンツ取込み機構を介して前記センサから前記オブジェクト・データを受け取るように構成されている、請求項１に記載の装置。
【請求項３】
前記第２のコンテンツ取込み機構をさらに含む、請求項１に記載の装置。
【請求項４】
前記プロセッサは、前記第１のコンテンツ取込み機構を介して前記センサから前記オブジェクト・データを受け取るように構成されている、請求項３に記載の装置。
【請求項５】
前記オブジェクトに関連する前記センサまたは前記オブジェクトに関連する第２のセンサから、前記オブジェクトに関連する追加オブジェクト・データを受け取るように構成された通信インターフェース
をさらに備える、請求項１に記載の装置。
【請求項６】
リモート・デバイスから、前記オブジェクトに関連する追加のオブジェクト・データを受け取るように構成されたワイヤレス通信インターフェース
をさらに備える、請求項１に記載の装置。
【請求項７】
プロセッサは、
前記取り込まれたコンテンツ内に含まれる前記オブジェクトにコンテンツ・タグを関連付け、前記コンテンツ・タグの選択が前記情報構造へのアクセスを可能にするように、前記コンテンツ・タグに前記情報構造を関連付けること、または
コンテンツ・タグに情報構造を関連付け、前記コンテンツ・タグの選択が前記情報構造へのアクセスを可能にするように、前記取り込まれたコンテンツ内に含まれる前記オブジェクトに前記コンテンツ・タグを関連付けること
のうちの１つによって、前記取り込まれたコンテンツ内に含まれる前記オブジェクトに前記情報構造を自動的に関連付けて、これによってタグ付けされたコンテンツを形成するように構成されている、請求項１に記載の装置。
【請求項８】
プロセッサは、
前記取り込まれたコンテンツ内の前記オブジェクトの位置を判定すること、および
前記判定された位置に基づいて前記取り込まれたコンテンツ内に含まれる前記オブジェクトに前記コンテンツ・タグを関連付けること
によって、前記取り込まれたコンテンツ内に含まれる前記オブジェクトにコンテンツ・タグを関連付けるように構成されている、請求項７に記載の装置。
【請求項９】
プロセッサは、
前記オブジェクトに関連する前記センサおよび前記オブジェクトに関連する第２のセンサのうちの少なくとも１つのセンサから位置情報を受け取ること、および
前記位置情報に基づいて前記取り込まれたコンテンツ内の前記オブジェクトの位置を判定すること
によって、前記取り込まれたコンテンツ内の前記オブジェクトの前記位置を判定するように構成されている、請求項８に記載の装置。
【請求項１０】
ユーザ・デバイスを使用してコンテンツに自動的にタグ付けするための方法であって、
前記ユーザ・デバイスの第１のコンテンツ取込み機構を介してオブジェクトを含むコンテンツを取り込み、
前記ユーザ・デバイスの前記第１のコンテンツ取込み機構または前記ユーザ・デバイスの第２のコンテンツ取込み機構を介して前記オブジェクトに関連するセンサから前記オブジェクトに関連するオブジェクト・データを受け取る
ために前記ユーザ・デバイスのプロセッサを使用するステップと、
前記オブジェクト・データの少なくとも一部に基づいて情報構造に投入するステップと、
前記取り込まれたコンテンツ内に含まれる前記オブジェクトに前記情報構造を自動的に関連付けて、これによってタグ付けされたコンテンツを形成するステップと
を含む、方法。
【発明の詳細な説明】
【技術分野】
【０００１】
関連出願の相互参照
本願は、それぞれの全体が参照によって本明細書に組み込まれている、米国特許出願第１２／８８３３１５号（弁理士整理番号第８０５９３５−ＵＳ−ＮＰ号）、名称「ＭＥＴＨＯＤ  ＡＮＤ  ＡＰＰＡＲＡＴＵＳ  ＦＯＲ  ＡＵＴＯＭＡＴＩＣＡＬＬＹ  ＴＡＧＧＩＮＧ  ＣＯＮＴＥＮＴ」、米国特許出願第１２／８８３３４３号（弁理士整理番号第８０８１２７−ＵＳ−ＮＰ号）、名称「ＳＥＮＳＯＲＳ，  ＳＣＡＮＮＥＲＳ，  ＡＮＤ  ＭＥＴＨＯＤＳ  ＦＯＲ  ＡＵＴＯＭＡＴＩＣＡＬＬＹ  ＴＡＧＧＩＮＧ  ＣＯＮＴＥＮＴ」、および米国特許出願第１２／８８３３５５号（弁理士整理番号第８０８１２８−ＵＳ−ＮＰ号）、名称「ＭＥＴＨＯＤ  ＡＮＤ  ＡＰＰＡＲＡＴＵＳ  ＦＯＲ  ＭＡＮＡＧＩＮＧ  ＣＯＮＴＥＮＴ  ＴＡＧＧＩＮＧ  ＡＮＤ  ＴＡＧＧＥＤ  ＣＯＮＴＥＮＴ」に関する。
【０００２】
本発明は、一般に、コンテンツの生成および管理に関し、限定するものではないが、より詳細には、自動コンテンツ・タグ付けおよびタグ付けされたコンテンツの管理に関する。
【背景技術】
【０００３】
今日、エンド・ユーザは、写真およびビデオの形態のコンテンツを含む膨大な量のコンテンツを生成しつつあり、さまざまなユーザ・デバイス（たとえば、デスクトップ機、パームトップ機、電子ブック・リーダー、ハンドヘルド機、および同様のデバイス）を介してユーザ自身のさまざまなメディア・ネットワーク（たとえば、コンテンツ・ストレージ・ネットワーク、クラウド・コンピューティング・インフラストラクチャ、ソーシャル・ネットワークなど）にコンテンツを中継しつつある。ほとんどの場合に、これらの写真およびビデオは、写真およびビデオの視覚的詳細および時々聴覚的詳細以外には、何の情報も伝えない。写真は千語に値する（百聞は一見に如かず）としばしば言われるが、ほとんどの場合に、この千語は、関連する写真またはビデオを撮影したエンド・ユーザによる説明がなければわからない。追加情報を用いてそのようなコンテンツを増強する試みが行われてきたが、コンテンツの増強は、現在、コンテンツが印刷媒体で作られる形に対する改善をほとんどまたは全く伴わない、非常に手作業のプロセスである。
【発明の概要】
【発明が解決しようとする課題】
【０００４】
従来技術のさまざまな不足を、コンテンツに自動的にタグ付けし、かつ／またはタグ付けされたコンテンツを管理する実施形態によって対処する。
【課題を解決するための手段】
【０００５】
一実施形態では、装置は、オブジェクトを含むコンテンツを取り込むように構成されたコンテンツ取込み機構と、コンテンツ内に含まれるオブジェクトに情報構造を自動的に関連付けて、これによってタグ付けされたコンテンツを形成するように構成されたプロセッサとを含む。
【０００６】
一実施形態では、ユーザ・デバイスを使用してコンテンツに自動的にタグ付けするための方法は、オブジェクトを含むコンテンツを取り込むステップと、オブジェクトに関連するセンサが検出される時にオブジェクトに関連するオブジェクト情報を受け取るステップと、コンテンツ内に含まれるオブジェクトに情報構造を自動的に関連付けて、これによってタグ付けされたコンテンツを形成するステップとを含み、情報構造は、オブジェクトに関連するオブジェクト情報の少なくとも一部を含む。
【０００７】
本明細書の教示を、添付図面に関連する次の詳細な説明を考慮することによって容易に理解することができる。
【図面の簡単な説明】
【０００８】
【図１】例示的なコンテンツ・タグ付けシステムを示す高水準ブロック図である。
【図２】図１のコンテンツ取込みデバイスの一実施形態を示す高水準ブロック図である。
【図３】タグ付けされたコンテンツを作成するプロセスの例示的実施形態を示す図である。
【図４】図３のタグ付けされたコンテンツにアクセスするプロセスの例示的実施形態を示す図である。
【図５】取り込まれたコンテンツ内に含まれるオブジェクトに情報構造を自動的に関連付ける方法の一実施形態を示す図である。
【図６】コンテンツ取込みデバイスで取り込まれたコンテンツ内に含まれるオブジェクトに情報構造を自動的に関連付ける方法の一実施形態を示す図である。
【図７】コンテンツ取込みデバイスによるコンテンツ取込み中にセンサによって使用される方法の一実施形態を示す図である。
【図８】コンテンツ取込みデバイスによるコンテンツ取込み中に使用されるセンサを構成するためにセンサ・スキャナによって使用されるための方法の一実施形態を示す図である。
【図９】コンテンツ管理システムがコンテンツ・タグ付けおよび管理能力のさまざまな機能を提供することを可能にする方法の一実施形態を示す図である。
【図１０】ユーザがタグ付けされたコンテンツを生成することを可能にするためにコンテンツ管理システムがユーザを登録することを可能にする方法の一実施形態を示す図である。
【図１１】コンテンツ管理システムが自動コンテンツ・タグ付けに関連するオブジェクト情報の要求を処理することを可能にする方法の一実施形態を示す図である。
【図１２】コンテンツ管理システムがタグ付けされたコンテンツをそれによって管理する方法の一実施形態を示す図である。
【図１３】コンテンツ管理システムが埋め込まれたオブジェクト情報の要求を処理することを可能にする方法の一実施形態を示す図である。
【図１４】本明細書で説明される機能を実行する際の使用に適するコンピュータを示す高水準ブロック図である。
【発明を実施するための形態】
【０００９】
理解し易くするために、可能な場合には、複数の図面に共通する同一の要素を指定するのに、同一の符号を使用する。
【００１０】
コンテンツ・タグ付けおよび管理能力を、本明細書で図示し、説明する。コンテンツ・タグ付けおよび管理能力は、本明細書で図示され説明されるさまざまなコンテンツ・タグ付け機能および／またはタグ付けされたコンテンツ管理機能を提供するために、個別におよび／または組合せで動作することができるさまざまな成分能力を含むことができる。
【００１１】
自動コンテンツ・タグ付け能力を、本明細書で図示し、説明する。自動コンテンツ・タグ付け能力は、情報構造を関連付けられたコンテンツ・タグを用いてコンテンツに自動的にタグ付けするように適合される。コンテンツ・タグは、タグ付けされるコンテンツ内に含まれるオブジェクトに関連付けられ、オブジェクトは、タグ付けされるコンテンツ内で表される物理オブジェクト、タグ付けされるコンテンツに関連するコンテンツなどを含むことができる。情報構造は、コンテンツ・タグが関連付けられるオブジェクトに関連するオブジェクト情報を含む（たとえば、オブジェクトの説明、オブジェクトに関連する追加情報への１つまたは複数のポインタなど、ならびにそのさまざまな組合せ）。コンテンツ・タグの選択は、情報構造のオブジェクト情報へのアクセスを提供する。
【００１２】
タグ付けされたコンテンツの分配能力を、本明細書で図示し、説明する。タグ付けされたコンテンツの分配能力は、（たとえば、自宅、仕事場などの）プライベート・ユーザ・プラットフォーム、ソーシャル・メディア・ポータル、メディア・サーバなど、ならびにそのさまざまな組合せなど、さまざまなパブリック・プラットフォームおよび／またはプライベート・プラットフォームへのタグ付けされたコンテンツの分配を提供する。この形で、タグ付けされたコンテンツの分配能力は、タグ付けされたコンテンツが容易に使用可能であることを保証するための、ストレージを有する任意のコンピューティング・プラットフォームへのタグ付けされたコンテンツの保護された許可ベースの分配を可能にする。
【００１３】
タグ付けされたコンテンツの管理能力を、本明細書で図示し、説明する。タグ付けされたコンテンツの管理能力は、コンテンツ・タグ付けの管理および／またはタグ付けされたコンテンツの管理ならびにさまざまな他の関連する管理機能を含むことができる。たとえば、管理機能は、登録管理機能（たとえば、ユーザ、センサ、スキャナ、エンティティ、プロバイダ、広告主などの登録の管理）、自動コンテンツ・タグ付けおよびタグ付けされたコンテンツ管理機能（たとえば、センサ許可の管理、自動コンテンツ・タグ付け関連アクティビティ中の許可妥当性検査、タグ付けされたコンテンツの所有権管理機能、タグ付けされたコンテンツの許可の管理など）、タグ付けされたコンテンツの配信管理機能（たとえば、タグ付けされたコンテンツに関連する許可の管理、タグ付けされたコンテンツへのアクセスに関連する他の判断基準の管理など）、タグ付けされたコンテンツの広告管理機能（たとえば、広告主管理機能、タグ付けされたコンテンツのパフォーマンス追跡機能、ユーザ報酬管理機能など）など、ならびにそのさまざまな組合せの提供のうちの１つまたは複数を含むことができる。コンテンツの自動タグ付けおよびタグ付けされたコンテンツの管理に関連するさまざまな他の実施形態を、本明細書で図示し、説明する。
【００１４】
本明細書では主にイメージベースのコンテンツ（たとえば、イメージ、ビデオなど）の自動タグ付けに関して図示され、説明されるが、コンテンツ・タグ付けおよび管理能力を、他の形のコンテンツおよび情報に自動的にタグ付けするのに、および／または他の形のタグ付けされたコンテンツおよび情報（たとえば、テキストベースのコンテンツ、オーディオベースのコンテンツ、マルチメディア・コンテンツ、ウィジェット、ソフトウェア定義のオブジェクトなど、ならびにそのさまざまな組合せ）を管理するのに使用することができる。
【００１５】
図１に、例示的なコンテンツ・タグ付けシステムの高水準ブロック図を示す。
【００１６】
図１に示されているように、コンテンツ・タグ付けシステム１００は、コンテンツ取込みデバイス１１０、センサ環境１２０、センサ・スキャナ１３０、ローカル・ネットワーク環境１４０、およびリモート・ネットワーク環境１５０を含む。用語ローカルおよびリモートの使用が、コンテンツ取込みデバイス１１０に対するこれらのネットワークの関係を示すことを了解されたい（たとえば、ローカル・ネットワーク環境１４０は、コンテンツ取込みデバイス１１０により近く、リモート・ネットワーク環境は、コンテンツ取込みデバイス１１０からより遠い）。
【００１７】
コンテンツ取込みデバイス１１０は、テキストベースのコンテンツ、イメージベースのコンテンツ（たとえば、写真、ビデオなど）、マルチメディア・コンテンツなど、ならびにそのさまざまな組合せのうちの１つまたは複数などのコンテンツを取り込むように構成されている。たとえば、コンテンツ取込みデバイス１１０を、写真カメラ（たとえば、静止画のみの取込みをサポートする、静止画とオーディオ／ビデオとの両方の取込みをサポートするなど）、ビデオ・カメラ（たとえば、オーディオ／ビデオのみの取込みをサポートする、オーディオ／ビデオと静止画との両方の取込みをサポートするなど）、カメラおよび／もしくはオーディオ／ビデオ取込み能力を有するスマートホン、またはコンテンツを取り込むことができる任意の他の類似するデバイスとすることができる。既存のコンテンツ取込みデバイスでは、そのようなコンテンツ取込み機構が、お互いから独立に使用されるが、自動コンテンツ・タグ付け能力の少なくともいくつかの実施形態では、複数のそのようなコンテンツ取込み機構を、コンテンツ・ベースのオブジェクトの自動タグ付け（本明細書で説明するように、保護された形および／またはオン・デマンドの形で実行することができる）をサポートするために、お互いに関連して利用することができる。
【００１８】
コンテンツ取込みデバイス１１０を、（１）取り込まれたコンテンツに自動的にタグ付けするために取り込まれたコンテンツを処理し、かつ／または（２）取り込まれたコンテンツに自動的にタグ付けするために取り込まれたコンテンツを処理するように構成された１つまたは複数のデバイスに向かって取り込まれたコンテンツを伝搬させるように構成することができる。
【００１９】
例示的なコンテンツ取込みデバイスを、図２に関して図示し、説明する。
【００２０】
センサ環境１２０は、複数のオブジェクト１２２１〜１２２Ｎ（集合的に、オブジェクト１２２）を含み、オブジェクト１２２１〜１２２Ｎは、１つまたは複数のセンサ（たとえば、複数のセンサ１２４１〜１２４Ｎ（集合的に、センサ１２４）によって表される）を関連付けられる。
【００２１】
図１に示されているように、各オブジェクト１２２は、１つまたは複数のセンサを関連付けられるものとすることができる。主にオブジェクト１２２とセンサ１２４との間の１：１関係に関して図示され、説明されるが、他のタイプのオブジェクト−センサ関係を使用することができ、たとえば、あるオブジェクト１２２が、センサ・セット（すなわち、複数のセンサ）を関連付けることができ、オブジェクト・セット（すなわち、複数のオブジェクト）が、あるセンサ１２４を関連付けることができ、オブジェクト・セットが、センサ・セットを関連付けることができ（すなわち、Ｎ：Ｎ関係）など、そのさまざまな組合せが可能であることを了解されたい。
【００２２】
オブジェクト１２２は、取り込み、取り込まれたコンテンツ（たとえば、写真、ビデオなど）内で表すことができる任意のオブジェクトを表す。
【００２３】
一実施形態では、たとえば、オブジェクト１２２は、物理オブジェクト、物理オブジェクトの諸部分などを含むことができる。この実施形態では、センサ環境１２０は、その上でセンサ１２４を展開できる、物理オブジェクト１２２を有する事実上すべての環境を含むことができ、この意味で、物理オブジェクト１２２は、それに関してコンテンツを取り込むことができる事実上すべての物理オブジェクトを含むことができる。
【００２４】
たとえば、センサ１２４を、通常は建物内に配置される物理オブジェクト１２２上で展開することができる。たとえば、物理オブジェクト１２２は、家庭（たとえば、家具、機具、ホーム・エンターテイメント機器、製品、装飾、宝飾品など）、会社（たとえば、オフィス機器、オフィス装飾など）、美術館（たとえば、人工品、展示品、人工品および展示品に関連する情報プラカードなど）、またはセンサ１２４を関連付けられることができる物理オブジェクト１２２を有する任意の他の建物内のオブジェクトを含むことができる。
【００２５】
たとえば、センサ１２４を、通常は外部で使用される消費者製品（たとえば、スポーツ機器、芝生の手入れ機器など）、輸送デバイス（たとえば、オートバイ、自動車、バス、ボート、飛行機など）など、通常は建物の外部に配置される物理オブジェクト１２２上で展開することができる。
【００２６】
たとえば、センサ１２４を、構造自体が物理オブジェクト１２２である構造に配置することができる。たとえば、センサ１２４を、家族、会社、組織などを収容する建物に配置することができる（たとえば、建物に関する情報を示すため、建物内に配置された人、会社、および／または組織を示すためなど、ならびにそのさまざまな組合せ）。たとえば、センサ１２４を、美術館、スタジアムなどの建物に配置することができる。たとえば、センサ１２４を、橋、モニュメント（たとえば、ワシントン・モニュメント、ジェファソン記念館など）などの構造に配置することができる。物理オブジェクト１２２が他のタイプの構造を含むことができるように、センサ１２４を、任意の他のタイプの構造上で展開することができる。
【００２７】
たとえば、センサ１２４を、自然に発生する物理オブジェクト１２２（たとえば、人間、動物、木、山の観光スポット、グランド・キャニオンの観光スポットなど）に配置することができる。
【００２８】
したがって、物理オブジェクト１２２の前述の例から、オブジェクト１２２が、コンテンツ取込みデバイス１１０によって取り込むことのできる事実上すべてのオブジェクト（たとえば、テレビジョン、建物、自動車、展示品、モニュメント、地理的特徴など、ならびにそのさまざまな組合せ）を含むことができることは明白である。
【００２９】
一実施形態では、オブジェクト１２２は、コンテンツ・オブジェクトを含むことができる。この実施形態では、センサ環境１２０は、コンテンツ・オブジェクト１２２をその中で取り込むことができる事実上すべての環境を含むことができ、この意味で、コンテンツ・オブジェクト１２２は、コンテンツ取込み中に取り込むことができる事実上すべてのタイプのコンテンツ・オブジェクトを含むことができる。
【００３０】
一実施形態では、たとえば、コンテンツ・オブジェクトは、取り込まれたコンテンツの一部として取り込まれる物理オブジェクトに関連するか他の形でコンテンツの取込みに関連するコンテンツ（たとえば、写真、オーディオ、ビデオ、マルチメディアなど）を含むことができる。
【００３１】
たとえば、ユーザが、映画を再生するテレビジョンを含む部屋の写真を撮る時に、そのテレビジョンが写真内で表される物理オブジェクトになるように、そのテレビジョンを、センサを関連付けられているものとすることができ、本明細書で説明するように自動的にタグ付けすることができ、さらに、そのテレビジョンで再生されている映画を、写真内で表されるコンテンツ・オブジェクトとして識別することができ、本明細書で説明するように自動的にタグ付けすることもできる。
【００３２】
たとえば、ユーザが、関連付けられたセンサを有する物理オブジェクトを有する第１の部屋内で写真を撮り、音楽が、第２の部屋内のラジオから再生されつつある時に、第１の部屋内の物理オブジェクトは、その写真内で表され、本明細書で説明するように自動的にタグ付けされ得、さらに、第２の部屋内のラジオで再生されつつある音楽を、その写真に関連するコンテンツ・オブジェクトとして識別することができ、本明細書で説明するように自動的にタグ付けすることもできる。
【００３３】
この意味で、コンテンツ・オブジェクトを、取り込まれたコンテンツ内に含まれる（たとえば、テレビジョンの例）か、コンテンツ取込みプロセス中に取り込まれたコンテンツに単純に関連する（たとえば、ラジオの例）物理オブジェクトによって表すことができる。
【００３４】
オブジェクト１２２は、任意の他の物理オブジェクト、コンテンツ・オブジェクト、および／またはコンテンツ取込みプロセスの一部として取り込まれ、取り込まれたコンテンツ内で表されることのできる他のオブジェクト（たとえば、取り込まれたコンテンツ内で表されるオブジェクトとして、取り込まれたコンテンツに関連するコンテンツ・タグとしてなど、ならびにそのさまざまな組合せ）を含むことができる。
【００３５】
用語オブジェクト１２２が、本明細書で議論される例示的なオブジェクトによって限定されないことを了解されたい。
【００３６】
図１に示されているように、各オブジェクト１２２は、１つまたは複数のセンサ１２４を関連付けられることができる。
【００３７】
オブジェクト１２２に関連するセンサ１２４は、センサ１２４が関連するオブジェクト１２２を含むコンテンツの自動タグ付けを可能にするように構成され／そのためにプロビジョニングされる（単純さのために、本明細書では単に構成されていると称する）。
【００３８】
概して、センサ１２４を関連付けられるのは物理オブジェクト１２２であるが、コンテンツ・オブジェクト１２２もセンサ１２４を関連付けられることができることが企図されている。たとえば、コンテンツ・オブジェクト１２２（たとえば、ビデオ・コンテンツまたはオーディオ・コンテンツ）が、センサ１２４を関連付けられた物理オブジェクト１２２（たとえば、テレビジョンまたはラジオ）によって表される場合に、そのセンサ１２４を、物理オブジェクト１２２とコンテンツ・オブジェクト１２４との両方に関連すると考えることができる。たとえば、コンテンツ・オブジェクト１２２が、単にコンテンツの取込みに関連する（が、必ずしもコンテンツ取込みの一部として取り込まれた任意の特定の物理オブジェクト１２２に関連しない）場合には、コンテンツ・オブジェクト１２２は、センサ１２４を関連付けられてもそうでなくてもよい。
【００３９】
オブジェクト１２２に関連するセンサ１２４は、任意の適切なセンサを含むことができる。
【００４０】
一実施形態では、たとえば、オブジェクト１２２は、少なくとも、情報センサ１２４を関連付けられ、１つまたは複数の位置センサ１２４を関連付けられることもできる。
【００４１】
概して、情報センサ１２４は、オブジェクト１２２に関連するオブジェクト情報を入手することを可能にするように適合される。
【００４２】
一実施形態では、たとえば、オブジェクト１２２に関連する情報センサ１２４は、オブジェクト１２２に関連するオブジェクト情報を格納し、そのオブジェクト情報をコンテンツ取込み中にコンテンツ取込みデバイス１１０に供給する。
【００４３】
一実施形態では、たとえば、オブジェクト１２２に関連する情報センサ１２４は、オブジェクトに関連するオブジェクト情報を取り出す際の使用に適合された情報（たとえば、オブジェクト１２２に関連するオブジェクト情報の位置（１つまたは複数）へのポインタ、オブジェクト１２２に関連するオブジェクト情報をそこから取り出すことのできるネットワーク位置のアドレスを判定するのに使用できるセンサ１２４および／またはオブジェクト１２２の識別子、ならびにそのさまざまな組合せ）を格納する。そのような実施形態で、情報センサ１２４は、オブジェクト１２２に関連するオブジェクト情報を取り出す際の使用に適合された情報をコンテンツ取込み中にコンテンツ取込みデバイス１１０に供給するように構成されている。
【００４４】
一実施形態では、たとえば、オブジェクト１２２に関連する情報センサ１２４を、オブジェクト１２２に関連する他のタイプの情報（たとえば、取り込まれたコンテンツ内で表されるオブジェクト１２２にコンテンツ・タグを関連付ける際の使用に適合された情報、オブジェクト１２２を含む取り込まれたコンテンツ内に埋め込まれたコンテンツ・タグに情報構造を関連付ける際の使用に適合された情報など、ならびにその組合せ）を伝えるように構成することができる。
【００４５】
情報センサ１２４を、オブジェクト１２２に関連するオブジェクト情報を入手することを可能にするのに適する任意の他の形で構成できることを了解されたい。
【００４６】
概して、位置センサは、取り込まれたコンテンツ内のオブジェクト１２２に自動的にタグ付けするのに使用されるコンテンツ・タグを、取り込まれたコンテンツ内のオブジェクト１２２に関連付けすることができるように、取り込まれたコンテンツ内のオブジェクト１２２の識別を可能にするように適合されたセンサである。
【００４７】
たとえば、オブジェクト１２２に関連する位置センサ１２４を、オブジェクト１２２のオブジェクト寸法、オブジェクト１２２に関連するオブジェクト距離（たとえば、コンテンツ取込みデバイス１１０からオブジェクト１２２までの距離）などの情報の判定を可能にするように構成することができ、この情報を、（たとえば、埋め込まれたコンテンツ・タグを、取り込まれたコンテンツ内のオブジェクト１２２に位置合せできるように、）取り込まれたコンテンツ内のオブジェクト１２２の位置を判定するために処理することができる。
【００４８】
主に情報センサ１２４および位置センサ１２４が別々の物理センサである実施形態に関して本明細書で図示され、説明されるが、少なくともいくつかのセンサ１２４が、情報センサ１２４と位置センサ１２４との両方として動作できることを了解されたい。
【００４９】
センサ１２４を、本明細書で説明する情報センサおよび／または位置センサとして動作するのに適する任意のセンサとすることができる。たとえば、センサ１２４を、ハードウェアベース、ソフトウェアベース、材料ベースなどのうちの１つまたは複数とすることができる。たとえば、センサ１２４は、バーコード、ボーコード、ＱＲコード、能動および／または受動のＲａｄｉｏ  Ｆｒｅｑｕｅｎｃｙ  Ｉｄｅｎｔｉｆｉｅｒ（ＲＦＩＤ）、ケミカル・タグ（ｃｈｅｍｉｃａｌ  ｔａｇ）および／またはフォトセンシティブ・タグ（ｐｈｏｔｏｓｅｎｓｉｔｉｖｅ  ｔａｇｓ）、モート（ｍｏｔｅ）、音声インデックス、オーディオ・インデックス、ビデオ・インデックスなど、ならびにそのさまざまな組合せなどのセンサを含むことができる。
【００５０】
センサ１２４は、コンテンツ・タグ付けおよび管理能力に関連する上記およびさまざまな他の機能を提供する際の使用に適する任意の他のセンサを含むことができる。
【００５１】
センサ１２４を、任意の適切な形で（たとえば、オブジェクト１２２内に埋め込む、オブジェクト１２２に取り付けるなど）オブジェクト１２２に関連付けることができる。当業者によって理解されるように、センサ１２４を、たとえば、任意の適切な形でオブジェクト１２２内に埋め込むことができ、任意の適切な形でオブジェクトに取り付けることができる。
【００５２】
センサ１２４を、センサ１２４に関連するオブジェクト１２２のタイプに依存するものとすることができる任意の適切な時に、オブジェクト１２２に関連付けることができる。
【００５３】
たとえば、製造されたオブジェクト１２２について、センサ１２４を、たとえば、製造中に、製造後であるがオブジェクト１２２の販売の前に（たとえば、販売業者が顧客への販売の前にオブジェクト１２２にセンサ１２４を取り付ける場合など）、オブジェクト１２２の販売の後に（たとえば、オブジェクト１２２の所有者がセンサ１２４を購入し、センサ１２４をオブジェクト１２２に取り付ける場合など）、オブジェクト１２２の販売の後に（たとえば、サードパーティ・プロバイダがセンサ１２４を供給し、センサ１２４をオブジェクト１２２に取り付ける場合など）、ならびにそのさまざまな組合せ時に、製造されたオブジェクト１２２に関連付けることができる。
【００５４】
たとえば、既存のオブジェクト１２２（たとえば、製造されたオブジェクト、構造、自然オブジェクトなど）について、センサ１２４を、オブジェクト１２２の責任を負う人（たとえば、オブジェクト１２２の所有者、オブジェクト１２２の責任を負うかこれを管理する人（１人または複数）（たとえば、オブジェクト１２２が美術館の展示品である場合の美術館の学芸員、オブジェクト１２２が公園などの自然オブジェクトである場合の公園管理者など））などによってオブジェクト１２２に関連付けることができる。
【００５５】
センサ１２４を、自動的に（たとえば、オブジェクト１２２の製造中に機械によって、オブジェクト１２２の製造後に機械によって）オブジェクト１２２に関連付けることができる。
【００５６】
センサ１２４を、センサ１２４が関連するオブジェクト１２２のタイプに依存するものとすることができる任意の適切な人によって手作業でオブジェクト１２２に関連付けることができる。
【００５７】
たとえば、コンテンツ取込みデバイス１１０の所有者は、センサ１２４を入手することができ、その結果、コンテンツ取込みデバイス１１０の所有者は、その所有者のさまざまなオブジェクト１２２（たとえば、家具、機具、自動車など）にセンサを取り付けることができるようになる。これは、コンテンツ取込みデバイス１１０の所有者によって所有されるか少なくともその支配下のオブジェクトに関するコンテンツ取込みデバイス１１０の所有者によって生成されるコンテンツの自動タグ付けを可能にする。これは、あるオブジェクト１２２を含むコンテンツのタグ付けが他のユーザによって見られる場合にコンテンツ取込みデバイス１１０およびセンサ１２４の所有者に報酬を与えることを可能にすることができる。
【００５８】
たとえば、コンテンツ取込みデバイス１１０を所有しない人が、センサ１２４を入手し、その人のオブジェクト１２２（たとえば、家具、機具、自動車など）にそのセンサを取り付けることができる。これは、ユーザ（たとえば、コンテンツ取込みデバイス１１０を使用してその人の家で写真またはビデオを撮影する友人）のオブジェクト１２２を含むコンテンツを取り込むのにコンテンツ取込みデバイス１１０を使用する人によって生成されたコンテンツの自動タグ付けを可能にする。これは、あるオブジェクト１２２を含むコンテンツのタグ付けが他のユーザによって見られる場合にセンサ１２４の所有者に報酬を与えることを可能にすることができる。
【００５９】
そのような実施形態では、センサ１２４を、任意の適切な形で入手することができる。たとえば、センサ１２４を、オブジェクト１２２の購入時にオブジェクト１２２と共に含める、オブジェクト１２２がそこから入手されるエンティティによって人に提供する、任意のオブジェクト１２２と独立に人が購入する（たとえば、センサ・プロバイダがオブジェクト１２２と共に使用するのに適するセンサを販売する場合など）など、ならびにそのさまざまな組合せを行うことができる。
【００６０】
センサ１２４を、オブジェクト１２２と独立の人が購入できる一実施形態では、任意の適切な個数のセンサ・タイプをサポートすることができる。一実施形態では、たとえば、１タイプのセンサ１２４を、オブジェクト１２２のタイプと独立に使用可能にすることができる。一実施形態では、複数のタイプのセンサ１２４を入手可能とすることができる（たとえば、１つまたは複数のセンサ・プロバイダから）。１つのそのような実施形態では、特定のオブジェクト１２２またはオブジェクト１２２のタイプと共に使用されなければならないセンサ１２４のタイプを、オブジェクト１２２のプロバイダ、オブジェクト１２２、または特定のタイプのセンサ１２４を使用しなければならないオブジェクト１２２のタイプをセンサ１２４のプロバイダ（１つまたは複数）によって推奨することなど、ならびにそのさまざまな組合せを行うことができる。言い替えると、任意の適切なタイプ（１つまたは複数）のセンサ１２４を、コンテンツ・タグ付けおよび管理機能を提供するのに使用することができる。
【００６１】
センサ１２４を、任意の他の適切な形でオブジェクト１２２に関連付けることができる。
【００６２】
センサ１２４は、それぞれセンサ１２４が関連付けられるオブジェクト１２２に関連するオブジェクト・データをセキュアに格納する。本明細書で説明するように、オブジェクト１２２に関連するセンサ１２４上で格納されるオブジェクト・データは、オブジェクト１２２に関連する位置情報および／またはオブジェクト１２２に関連するオブジェクト情報を含むことができる。
【００６３】
オブジェクト１２２に関連するオブジェクト・データを、（任意の適切な時（１つまたは複数）にオブジェクト１２２に関連付けられることができるセンサ１２４の能力と同様に）任意の適切な時（１つまたは複数）に関連するセンサ１２４に入力することができる。
【００６４】
たとえば、センサ１２４が、特定のオブジェクト１２２との関連付けを意図されている場合（たとえば、センサ１２４が、製造中にオブジェクト１２２内に埋め込まれる場合、オブジェクトの製造業者またはオブジェクトの販売業者によってオブジェクト１２２に関連付けられる場合など）に、オブジェクト１２２に関連するオブジェクト・データを、たとえば、センサ１２４が製造される時に、センサ１２４が製造された後であるがセンサ１２４がオブジェクト１２２の製造業者または販売業者に提供される前に、オブジェクト１２２の製造業者または販売業者によって、センサ１２４に入力することができる。
【００６５】
たとえば、センサ１２４が、特定のオブジェクト１２２との関連付けを意図されていない場合（たとえば、センサ１２４が、オブジェクト１２２を所有するかこれを制御する人が使用可能な汎用センサである場合）に、オブジェクト１２２に関連するオブジェクト・データを、たとえば、オブジェクト１２２に関連付けられる前に、オブジェクト１２２に関連付けられた後に、センサ１２４に入力することができる。たとえば、ある人が、センサ１２４を購入し、センサ１２４が関連付けられるオブジェクトに基づいてセンサ１２４にオブジェクト・データをロードし、その後、センサ１２４をオブジェクト１２２に取り付けることができる。同様に、たとえば、ある人が、センサ１２４を購入し、センサ１２４をオブジェクト１２２に取り付け、その後、センサ１２４が関連付けられるオブジェクト１２２に基づいてセンサ１２４にオブジェクト・データをロードすることができる。
【００６６】
オブジェクト１２２に関連するオブジェクト・データを、任意の他の適切な時（１つまたは複数）に、関連付けられたセンサ１２４に入力することができる。
【００６７】
オブジェクト１２２に関連するオブジェクト・データを、自動的に（たとえば、センサ１２４へのオブジェクト・データの機械から機械への転送を介して）関連付けられたセンサ１２４に入力することができる。
【００６８】
オブジェクト１２２に関連するオブジェクト・データを、任意の適切な人によって手作業で、関連付けられたセンサ１２４に入力することができ、この人は、センサ１２４が関連付けられるオブジェクト１２２のタイプに依存するものとすることができる（任意の適切な人によって手作業でオブジェクト１２２に関連付けられるセンサ１２４の能力に似て）。
【００６９】
一実施形態では、オブジェクト１２２に関連するオブジェクト・データを、センサ・スキャナ１３０を使用して関連するセンサ１２４に入力することができる。
【００７０】
センサ・スキャナ１３０は、たとえばセンサ１２４からのデータの読取り、センサ１２４へのデータの入力など、ならびにそのさまざまな組合せなど、セキュア読取り能力およびセキュア書込み能力を伴ってセンサ１２４とインターフェースするのに適する任意のスキャナとすることができる。
【００７１】
センサ・スキャナ１３０は、オブジェクト１２２に関連し、オブジェクト１２２に関連するセンサ１２４への入力を意図されたオブジェクト・データを任意の適切な形で入手することができる。
【００７２】
一実施形態では、センサ・スキャナ１３０は、それを介してユーザがセンサ１２４にセキュアにロードされることを意図されたオブジェクト・データをセキュアにオン・デマンドで入力できるユーザ・インターフェースを含む。
【００７３】
一実施形態では、センサ・スキャナ１３０は、センサ１２４にセキュアにロードされることを意図されたオブジェクト・データをそこから入手できる１つまたは複数のデバイスとインターフェースする１つまたは複数の通信インターフェースを含む。
【００７４】
１つのそのような実施形態では、センサ・スキャナ１３０は、センサ・スキャナ１３０が１つまたは複数のユーザ・デバイスとセキュアに通信することを可能にする、ネットワーク化されない接続能力および／またはネットワーク化された接続能力を含む１つまたは複数の有線および／またはワイヤレスの接続能力を含むことができる。たとえば、センサ・スキャナ１３０を、１つまたは複数のユーザ・デバイスに直接に（たとえば、Ｐｅｒｉｐｈｅｒａｌ  Ｃｏｍｐｏｎｅｎｔ  Ｉｎｔｅｒｃｏｎｎｅｃｔ（ＰＣＩ）、Ｕｎｉｖｅｒｓａｌ  Ｓｅｒｉａｌ  Ｂｕｓ（ＵＳＢ）など、ならびにその組合せのうちの１つまたは複数を使用して）接続することができる。たとえば、センサ・スキャナ１３０を、有線ネットワーク接続を介して（たとえば、イーサネットまたは任意の他の適切な有線ネットワーク接続を介して）１つまたは複数のユーザ・デバイスに接続することができる。たとえば、センサ・スキャナ１３０を、ワイヤレスで（たとえば、Ｂｌｕｅｔｏｏｔｈ、ＷｉＦｉ、無線周波数（ＲＦ），紫外線（ＵＶ）、可視スペクトル（ＶＳ）などを使用して）１つまたは複数のユーザ・デバイスに接続することができる。上記および他の接続能力は、図１では、通信パス１３１として表されている。
【００７５】
１つのそのような実施形態では、センサ・スキャナ１３０は、センサ・スキャナ１３０が１つまたは複数のネットワーク・デバイス（たとえば、オブジェクト１２２のオブジェクト・データを格納するネットワーク・サーバ、オブジェクト１２２のオブジェクト・データを格納するネットワーク・データベースなど、ならびにそのさまざまな組合せ）と通信することを可能にする１つまたは複数の有線および／またはワイヤレスの接続能力を含むことができる。たとえば、センサ・スキャナ１３０は、イーサネット、ＷｉＦｉ、セルラなど、ならびにそのさまざまな組合せのうちの１つまたは複数を介して１つまたは複数のネットワーク・デバイスと通信することができる。上記および他の接続能力は、図１では通信パス１３１および／または１３２（たとえば、コンテンツ取込みデバイス１１０がローカル・ネットワーク環境１４０を介してリモート・ネットワーク環境１５０にアクセスするパス１３１、コンテンツ取込みデバイス１１０がリモート・ネットワーク環境１５０に直接にアクセスするパス１３２）として表されている。
【００７６】
オブジェクト１２２のオブジェクト・データを、任意の適切な形で、センサ・スキャナ１３０によってセキュアに入手し、センサ・スキャナ１３０を使用してセンサ１２４にセキュアにロードすることができる。
【００７７】
一実施形態では、たとえば、ユーザは、オブジェクト１２２のオブジェクト・データを、ユーザのユーザ・デバイス（たとえば、コンピュータ）に入力する。その後、ユーザは、オブジェクト・データを、任意の適切な通信／インターフェース技術を使用してコンピュータからセンサ・スキャナ１３０にダウンロードする。その後、ユーザは、センサ・スキャナ１３０を使用して、オブジェクト１２２に関連付けられたセンサ１２４にオブジェクト・データを入力することができる。
【００７８】
ユーザが、オブジェクト１２２のオブジェクト・データをユーザ・デバイス（たとえば、センサ・スキャナ１３０、コンピュータ１４２など）に入力する一実施形態では、１つまたは複数のテンプレートを、情報を入力するためにユーザが使用可能にすることができる。テンプレートを、任意の適切なソース（たとえば、オブジェクト１２２のプロバイダ／マネージャ、１つまたは複数のサード・パーティ・テンプレート・プロバイダなど、ならびにそのさまざまな組合せ）によって作成することができる。テンプレートを、任意の適切なソース（たとえば、オブジェクト１２２のプロバイダ／マネージャ、１つまたは複数のサード・パーティ・テンプレート・プロバイダなど、ならびにそのさまざまな組合せ）によってユーザに供給することができる。テンプレートを、任意の適切な時に（たとえば、ユーザがオブジェクト１２２を購入する時などにオブジェクト１２２と共に、オブジェクトの所有者がオブジェクト１２２のために１つまたは複数のセンサ１２４を購入する場合などにセンサ１２４と共に、ユーザがそこから１つまたは複数のテンプレートをダウンロードできる１つまたは複数のネットワーク・サーバからなど、ならびにそのさまざまな組合せ）ユーザに供給することができる。たとえば、テンプレートを、営利団体１５３１、サード・パーティ・ブローカ１５３２、アプリケーション・プロバイダ１５３３、およびフェデレーテッド・エージェンシ（ｆｅｄｅｒａｔｅｄ  ａｇｅｎｃｙ）１５３４のうちの１つまたは複数によって運営されるサーバに格納することができる。テンプレートを、任意の適切なレベルの粒度で提供することができる（たとえば、１つまたは複数のテンプレートを、特定のオブジェクト１２２について提供することができ、１つまたは複数のテンプレートを、特定のオブジェクト・タイプについて提供することができ、１つまたは複数のテンプレートを、すべてまたは少なくともいくつかのタイプのオブジェクトについてオブジェクト・データを取り込むことができる汎用テンプレートとして提供することができなど、ならびにそのさまざまな組合せ）。テンプレートを、ユーザが情報を入力することを可能にする任意の適切な形で（たとえば、１つまたは複数のフォームを使用して、オブジェクト情報を引き出すように設計された質問にユーザが答える調査フォーマットを使用して、ユーザがオブジェクト情報を入力するようにプロンプト・フォーマットを使用して、ならびにそのさまざまな組合せを使用して）構成することができる。センサ１２４にセキュアにロードされるオブジェクト情報を入力するのにそのようなテンプレートを使用できるユーザは、任意の適切なユーザ（たとえば、オブジェクト情報がそれについてセンサ１２４にセキュアにロードされるオブジェクト１２２のプロバイダの従業員、オブジェクト１２２のプロバイダの代わりにセンサ１２４にセキュアにロードされるオブジェクト情報を入力するサード・パーティ・サービスの従業員、入力されたオブジェクト情報をセンサ１２４にロードするのにセンサ・スキャナ１３０を使用するオブジェクト１２２の所有者／マネージャなど、ならびにそのさまざまな組合せ）を含むことができる。
【００７９】
一実施形態では、たとえば、ユーザは、センサ・スキャナ１３０を介して、オブジェクト１２２のオブジェクト・データの要求を開始し、オブジェクト・データは、ユーザ・デバイスまたはネットワーク・デバイス上にセキュアに格納される。センサ・スキャナ１３０は、要求されたオブジェクト・データを受け取り、格納する。その後、ユーザは、センサ・スキャナ１３０を使用して、オブジェクト・データを、オブジェクト１２２に関連するセンサ１２４に入力することができる。
【００８０】
この形で、センサ１２４（したがって、センサ１２４によって格納されるオブジェクト・データ）が、所期のデバイスのみによって書込み可能かつ読取り可能であるさまざまな実施形態が提供される（たとえば、センサ１２４およびセンサ１２４に格納された関連するオブジェクト・データを、許可に基づいて認可されると判定されたデバイスだけがセンサ１２４と相互作用することができるように、保護することができる）。
【００８１】
同様に、この形で、センサ・スキャナ１３０が、割り当てられたさまざまな割り当てられた許可に基づいて、センサ１２４の事前定義のセット、デバイス（コンピュータ１４２、付属デバイス１４３など）、および／またはネットワーク環境（たとえば、ローカル・ネットワーク環境１４０および／またはリモート・ネットワーク環境１５０）と共に動作することを可能にされる、さまざまな実施形態が提供される。
【００８２】
オブジェクト１２２のオブジェクト・データをセンサ・スキャナ１３０によってセキュアに入手でき、センサ・スキャナ１３０を使用してセンサ１２４にセキュアにロードできるさまざまな形の前述の説明から、コンテンツ・タグ付けおよび管理能力が、オブジェクト１２２のオブジェクト・データをセンサ・スキャナ１３０によってセキュアに入手でき、センサ・スキャナ１３０を使用してセンサ１２４にセキュアにロードできる任意の特定の機構または方法に限定され、またはこれによって限定されることが意図されていないことを了解されたい。
【００８３】
センサ１２４に格納されるオブジェクト１２２のオブジェクト・データは、オブジェクト１２２に関連する任意の適切なタイプおよび／または量のデータを含むことができる。
【００８４】
一実施形態では、センサ１２４に格納されるオブジェクト１２２のオブジェクト・データは、オブジェクト１２２の位置情報を含む（たとえば、位置センサ１２４または組合せ位置／情報センサ１２４内に格納される）。オブジェクト１２２の位置情報は、取り込まれたコンテンツ内のオブジェクト１２２の位置を判定する際の使用に適する任意の情報を含むことができる。たとえば、位置情報は、オブジェクト１２２のＧＰＳ位置、１つまたは複数の基準点に対する相対的なオブジェクト１２２の位置を示す情報（たとえば、センサ１２４を関連付けられていてもいなくてもよい１つもしくは複数の他のオブジェクト１２２および／または任意の他の適切な基準点（１つまたは複数））、オブジェクト１２２の１つまたは複数の寸法を示す情報など、ならびにそのさまざまな組合せを含むことができる。
【００８５】
一実施形態では、センサ１２４に格納されるオブジェクト１２２のオブジェクト・データは、オブジェクト１２２を含む取り込まれたコンテンツに関連する情報構造内に含まれるように適合されたオブジェクト情報を含む（たとえば、センサ１２４または組合せ情報／位置センサ１２４内に格納される）。
【００８６】
センサ１２４に格納されるオブジェクト１２２のオブジェクト情報は、オブジェクト１２２の異なるタイプについて変化する、オブジェクト１２２に関連する任意の適切な情報を含むことができる。オブジェクト情報は、オブジェクト１２２のプロバイダ／マネージャによって提供される情報、オブジェクト１２２の所有者によって提供される情報など、ならびにそのさまざまな組合せを含むことができる。センサ１２４に格納できるオブジェクト情報のタイプは、いくつかの特定の例を参照することによってよりよく理解することができる。
【００８７】
たとえば、一実施形態では、センサ１２４に格納されるオブジェクト１２２のオブジェクト情報は、オブジェクト１２２を記述する目的情報を含む。たとえば、オブジェクト１２２が冷蔵庫である場合に、冷蔵庫に関連してセンサ１２４内に含まれるオブジェクト情報は、冷蔵庫に関する情報をレビューする人にとって重要である可能性が最も高いタイプの情報を含むことができる（たとえば、冷蔵庫の寸法、冷蔵庫の容量、冷蔵庫の特徴など、ならびにそのさまざまな組合せ）。たとえば、オブジェクト１２２がテレビジョンである場合に、テレビジョンに取り付けられるセンサ１２４内に含まれるオブジェクト情報は、テレビジョンに関する情報をレビューする人にとって重要である可能性が最も高いタイプの情報を含むことができる（たとえば、使用される技術のタイプ（たとえば、プラズマ、ＬＣＤなど）、寸法、ディスプレイ情報（たとえば、対角線サイズ、技術、解像度など）、ビデオ特徴、サポートされるマルチメディア能力、ビデオ・サービス接続に関連する電子番組ガイド（ＥＰＧ）情報、保証情報など、ならびにそのさまざまな組合せ）。たとえば、オブジェクト１２２が、美術館に展示される絵画である場合に、絵画に関連するセンサ１２４内に含まれるオブジェクト情報は、絵画を見る人にとって重要である可能性が最も高いタイプの情報を含むことができる（たとえば、アーティストの名前、絵画の名前、アーティストおよび／または絵画の簡単な歴史など、ならびにそのさまざまな組合せ）。前述の例は、単に、センサ１２４に格納できるオブジェクト情報のタイプの小数の例である。オブジェクトの他のタイプに関係すると考えることのできるオブジェクト情報のさまざまなタイプを理解されたい。
【００８８】
一実施形態では、たとえば、センサ１２４に格納されるオブジェクト１２２のオブジェクト情報は、オブジェクト１２２に関連する主観的情報および／または個人的情報を含む。たとえば、オブジェクト１２２がテレビジョンである場合に、テレビジョンに取り付けられるセンサ１２４内に含まれるオブジェクト情報は、テレビジョンの所有者による購入の日付、テレビジョンの所有者による購入の場所、所有者がテレビジョンに関して得た割引、所有者によるテレビジョンのレビュー、所有者がテレビジョンで見ることを望むコンテンツのタイプなど、ならびにそのさまざまな組合せなどの情報を含むことができる。たとえば、オブジェクト１２２が美術館に展示される絵画である場合に、絵画に関連するセンサ１２４内に含まれるオブジェクト情報は、絵画の重要性に関する学芸員の意見、絵画の質に関する学芸員の意見、その絵画を好む人が好む可能性がある他の絵画に関する学芸員の意見など、ならびにそのさまざまな組合せなどの情報を含むことができる。オブジェクトの他のタイプに関係すると考えることのできるさまざまなタイプの主観的情報および／または個人的情報を理解されたい。
【００８９】
少なくとも前述の例から、事実上すべてのオブジェクト情報を、関連するオブジェクト１２２についてセンサ１２４に格納できることを了解されたい（たとえば、オブジェクトの説明、オブジェクトおよび／または関連するオブジェクトの広告、オブジェクトに関する意見、オブジェクトに関する追加情報へのリンクなど、ならびにそのさまざまな組合せ）。
【００９０】
同様に、少なくとも前述の例から、オブジェクト情報が、１つまたは複数のタイプのコンテンツ（たとえば、テキスト、イメージ、オーディオ、ビデオ、マルチメディアなど、ならびにそのさまざまな組合せ）を含むことができることを了解されたい。
【００９１】
オブジェクト１２２についてセンサ１２４に格納される情報を、そのような情報の任意の適切なソースによって、たとえば、オブジェクト１２２のプロバイダ／マネージャ、オブジェクト１２２のプロバイダ／マネージャの代わりのエンティティ（たとえば、オブジェクト１２２を販売する会社がセンサ１２４に含めるためにオブジェクト１２２の製造業者にオブジェクト情報を提供する場合、たとえば、オブジェクト１２２を販売する会社がセンサ１２４にオブジェクト情報をロードする責任を負うサード・パーティに情報を提供する場合など）によって、センサ・スキャナ１３０を介してオブジェクト１２２の所有者／マネージャ（たとえば、所有者／マネージャがセンサ１２４に既に格納されているオブジェクト情報を補足し、かつ／またはセンサ１２４に格納されるオブジェクト情報のすべてを提供する場合）によって、ならびにそのさまざまな組合せによって、センサ１２４上で構成することができる。
【００９２】
センサ１２４に格納されるオブジェクト１２２のオブジェクト情報は、任意の他の適切な情報を含むことができる。
【００９３】
センサ１２４に格納されるオブジェクト１２２のオブジェクト・データは、任意の他の適切なオブジェクト・データを含むことができる。
【００９４】
オブジェクト１２２のオブジェクト・データが、オブジェクト１２２に関連するセンサに格納される実施形態に関して図示され、説明されるが、オブジェクト１２２のオブジェクト・データ（たとえば、位置情報、オブジェクト情報など、ならびにそのさまざまな組合せのうちの１つまたは複数）の一部またはすべてを、そのようなオブジェクト・データの１つまたは複数の他のソースから入手できることを了解されたい。この形で、オブジェクト１２２に関してセンサ１２４内に含まれるものとして本明細書で説明されるさまざまなタイプのオブジェクト・データを、オブジェクト・データをそのようなオブジェクト・データの任意の適切なソース（１つまたは複数）から入手できるので、より一般的に、センサ１２４に関連すると考えることができる。
【００９５】
一実施形態では、たとえば、センサ１２４に格納されるオブジェクト・データ（オブジェクト１２２の）は、オブジェクト１２２に関連するオブジェクト・データを取り出す際の使用に適合されたデータを含む（たとえば、位置情報、情報構造内に含まれるオブジェクト情報など、ならびにそのさまざまな組合せのうちの１つまたは複数を取り出すための）。たとえば、オブジェクト１２２に関連するオブジェクト・データの取出に使用するのに適合されたデータは、オブジェクト１２２に関連するオブジェクト・データを取り出すのに使用することができるオブジェクト１２２の識別子を含むことができる。たとえば、オブジェクト１２２に関連するオブジェクト・データの取出に使用するのに適合されたデータは、オブジェクト・データをそこから取り出すことのできるデバイス（たとえば、コンピュータ１４２、１つまたは複数の付属デバイス１４３、リモート・ネットワーク環境１５０の１つまたは複数のネットワーク・デバイスなど、ならびにそのさまざまな組合せ）の１つまたは複数の識別子および／またはアドレスを含むことができる。オブジェクト１２２に関連するオブジェクト・データを取り出す際の使用に適合されたデータは、それに関連するセンサ１２４以外のソースからオブジェクト１２２のオブジェクト・データを取り出す際の使用に適する任意の他の情報を含むことができる。そのような実施形態では、オブジェクト・データの取出を、セキュアに実行できることを了解されたい。
【００９６】
オブジェクト１２２に関連するオブジェクト・データを、そのような情報の任意の適切なソース（たとえば、コンテンツ取込みデバイス１１０上のメモリ、ローカル・ネットワーク環境１４０内の１つまたは複数のデバイス、リモート・ネットワーク環境１５０内の１つまたは複数のデバイスなど、ならびにそのさまざまな組合せ）から取り出すことができる。
【００９７】
主に、オブジェクト・データがセンサ１２４に格納されるさまざまな実施形態に関して図示され、説明されるが、少なくとも１つの他の実施形態では、センサ１２４は、センサを一意に識別するのに使用されるのに適するセンサ識別情報だけを格納する。そのような実施形態では、センサ識別情報を使用して、センサ１２４が関連するオブジェクト１２２の関連するオブジェクト・データを取り出すことができる（本明細書で説明するオブジェクト・データを取り出すためのオブジェクト識別情報の使用に似て）。そのような実施形態では、たとえば、そのオブジェクト１２２へのセンサ１２４のマッピングを維持することができ（たとえば、コンテンツ取込みデバイス１１０上、ローカル・ネットワーク環境１４０のデバイス内、リモート・ネットワーク環境１５０のデバイス内など、ならびにそのさまざまな組合せなどの任意の適切なソースで）、センサが関連するオブジェクト１２２を判定でき、オブジェクト１２２の関連するオブジェクト・データを、そのオブジェクト１２２を含むコンテンツに自動的にタグ付けする際の使用のために入手することができる。他の類似する配置が企図されていることを了解されたい。
【００９８】
センサ１２４は、暗号化された形でオブジェクト・データをセキュアに格納することができる。一実施形態では、センサ１２４に格納されるオブジェクト・データのすべてが、暗号化される。一実施形態では、センサ１２４に格納されるオブジェクト・データのサブセットが、暗号化される。そのような実施形態では、オブジェクト・データは、コンテンツ所有者だけが使用可能とすることができる（たとえば、プロバイダが、オブジェクト１２２に関連するオブジェクト・データを制御する場合のオブジェクト１２２のプロバイダ、オブジェクト１２２の所有者またはマネージャなど）。そのような実施形態では、オブジェクト・データ暗号化を、認可された人によるセンサ１２４のアクティブ化の後に、完全にまたは部分的に除去することができる。
【００９９】
センサ１２４は、１つまたは複数の許可レベルを関連付けられることができる。センサ１２４の許可レベルを使用して、センサ１２４上のオブジェクト・データの格納および／またはセンサ１２４からのオブジェクト・データの読取りを制御することができ、これによってセンサ１２４上のオブジェクト・データのセキュア・ストレージおよび／またはセンサ１２４からのオブジェクト・データのセキュア読取りを可能にすることができる。許可（１つまたは複数）を、任意の適切なレベル（たとえば、センサ１２４について、センサ１２４に格納されたすべてのオブジェクト・データについて、センサ１２４に格納されたオブジェクト・データの１つまたは複数のサブセットについてなど、ならびにそのさまざまな組合せ）でセットすることができる。センサ１２４の許可レベルは、任意の適切なレベルを含むことができる。一実施形態では、たとえば、３つの許可レベルを、所有者、グループ、およびパブリックとしてサポートすることができる。この実施形態では、「所有者」許可レベルは、センサ１２４の所有者だけが、センサ１２４にオブジェクト・データをセキュアに格納でき、かつ／またはセンサ１２４からオブジェクト・データをセキュアに取り出せることを示し、「グループ」許可レベルは、センサ１２４にオブジェクト・データをセキュアに格納でき、かつ／またはセンサ１２４からオブジェクト・データをセキュアに取り出せるユーザの１つまたは複数のグループ（各グループは、１人または複数のユーザを含む）を指定するのに使用することができ、「パブリック」許可レベルは、任意のユーザが、センサ１２４にセキュアにオブジェクト・データを格納し、かつ／またはセンサ１２４からオブジェクト・データをセキュアに取り出すことができることを示す。これらの許可レベルが、単に例示的であり、任意の他の適切な個数および／またはタイプの許可レベルをサポートできることを了解されたい。異なる個数および／またはタイプの許可レベルを、異なるセンサ１２４について使用できることを了解されたい。
【０１００】
センサ１２４は、取り込まれるコンテンツがオブジェクト１２２を含む時に、コンテンツ取込みデバイス１１０によるコンテンツ取込み中またはこれと同時に、コンテンツ取込みデバイス１１０にオブジェクト１２２の格納されたオブジェクト・データを供給することができる。センサ１２４は、センサ１２４のタイプに依存するものとすることができる任意の適切な形で、コンテンツ取込みデバイス１１０にオブジェクト１２２の格納されたオブジェクト・データを供給する。一実施形態では、センサ１２４は、センサ１２４についてセットされた１つまたは複数の許可レベルに従って、コンテンツ取込みデバイスにオブジェクト１２２の格納されたオブジェクト・データを供給する（または供給しない）。
【０１０１】
本明細書で説明するように、自動タグ付け能力を、ローカル・ネットワーク環境１４０および／またはリモート・ネットワーク環境１５０によって提供し、かつ／またはサポートすることができる。
【０１０２】
ローカル・ネットワーク環境１４０は、１つまたは複数のユーザ・デバイスと、コンテンツ取込みデバイス１１０のユーザの関連する通信能力とを含む。たとえば、ローカル・ネットワーク環境１４０を、ユーザの家庭環境、ユーザの企業環境などとすることができる。
【０１０３】
図１に示されているように、ローカル・ネットワーク環境１４０は、ローカル・ネットワーク１４１、コンピュータ１４２、付属デバイス１４３、およびローカル・ストレージ１４４を含む。
【０１０４】
ローカル・ネットワーク１４１は、ローカル・ネットワーク環境１４０内（たとえば、コンピュータ１４２と付属デバイス１４３との間）、および／またはローカル・ネットワーク環境１４０とリモート・ネットワーク環境１５０との間（たとえば、コンピュータ１４２および／または付属デバイスがリモート・ネットワーク環境１５０を介して通信することを可能にする）での通信を容易にすることができる。
【０１０５】
コンピュータ１４２は、コンテンツ・タグ付け能力に関連してユーザが使用できる任意のコンピュータを含む。たとえば、コンピュータ１４２を、ユーザの家庭またはオフィスのデスクトップ・コンピュータまたはラップトップ・コンピュータとすることができる。
【０１０６】
コンピュータ１４２を、ユーザによって所有されるか少なくともその支配下のオブジェクト１２２上に配置されるセンサ１２４を構成するために、ユーザによって使用することができる。たとえば、ユーザは、センサ１２４に関連する許可をセットし、センサ１２４上にオブジェクト・データとして格納される情報を入力することなどができる。その後、ユーザは、センサ・スキャナ１３０に構成された情報をダウンロードし、センサ・スキャナ１３０を使用して、関連するセンサ１２４を構成することができる。
【０１０７】
コンピュータ１４２を、ユーザおよび／または他の人によって取り込まれたコンテンツを含むことができる取り込まれたコンテンツ内のオブジェクトに関連する情報構造に関連する情報を構成するのにユーザによって使用することができる。
【０１０８】
たとえば、コンピュータ１４２は、入力された情報を、取り込まれたコンテンツ内のオブジェクト１２２に自動的に関連付けられる情報構造内に格納できるように、オブジェクト１２２の情報をユーザがそれを介して入力できる１つまたは複数のローカル・プログラムを実行することができる。この例では、入力されたオブジェクト情報を、任意の適切な位置（たとえば、コンピュータ１４２上、付属デバイス１４３上、ローカル・ストレージ１４４上、コンテンツ取込みデバイス１１０上、リモート・ネットワーク環境１５０の１つまたは複数のネットワーク・デバイス上など、ならびにそのさまざまな組合せ）に格納することができる。
【０１０９】
たとえば、コンピュータ１４２を使用して、取り込まれたコンテンツ内のオブジェクト１２２に自動的に関連付けられる情報構造内に、入力された情報を格納できるように、ユーザがそれを介してオブジェクト１２２の情報を入力できる１つまたは複数のオンライン情報管理システムにアクセスすることができる。この例では、前の例と同様に、入力されたオブジェクト情報を、任意の適切な位置に格納することができる。
【０１１０】
次の例では、ユーザは、取り込まれたコンテンツ内のオブジェクト１２２に自動的に関連付けられるオブジェクト情報をセキュアに定義するためにコンピュータ１４２を使用することができる。本明細書で説明するように、センサ１２４を、無数の個数およびタイプのオブジェクト１２２上に配置することができ、したがって、多数の異なるタイプのユーザが、この目的のために多数の異なる形でコンピュータ１４２を使用することができる。たとえば、ユーザは、オブジェクト１２２の所有者とすることができ、オブジェクト１２２に関する情報を入力することを望むことができる。たとえば、ユーザは、美術館で働く可能性があり（たとえば、オブジェクト１２２が、美術館の展示品である）、美術館の展示品に関する情報を入力することを望む可能性がある。これらの例が、単に、取り込まれたコンテンツ内のオブジェクト１２２に自動的に関連付けられる情報をセキュアに定義するコンピュータ１４２の少数の例示的使用であることを了解されたい。
【０１１１】
コンピュータ１４２を、ユーザによって、コンテンツ・タグ付け能力のさまざまな他の機能性を実行するために使用することができる。
【０１１２】
付属デバイス１４３は、コンテンツ・タグ付け能力に関連してユーザによって使用され得る任意の１つまたは複数のデバイスを含む。たとえば、付属デバイス１４２は、コンピュータ、セットトップ・ボックス、アクセス・ポイント、ストレージ／キャッシュ・デバイス、ストレージ・エリア・ネットワーク（ＳＡＮ）など、ならびにそのさまざまな組合せのうちの１つまたは複数を含むことができる。
【０１１３】
コンピュータ１４２および付属デバイス１４３は、それぞれ、ローカル・ストレージ１４４へのアクセスを有し、このアクセスは、コンピュータ１４２上および／または付属デバイス１４３のうちの１つもしくは複数上で使用可能な任意のストレージに加えて、および／またはその代わりに提供することができる。
【０１１４】
ローカル・ネットワーク環境１４０が、より小数またはより多数のデバイスおよび／または通信能力を含むことができ、任意の他の適切な形で配置され得ることを了解されたい。
【０１１５】
さまざまな実施形態では、ローカル・ネットワーク環境１４０のデバイスのうちの１つまたは複数が、コンテンツ・タグ付け能力のさまざまな機能（たとえば、関連するオブジェクト１２２（１つまたは複数）に関する情報を情報構造（１つまたは複数）に投入するために処理を実行する、情報構造（１つまたは複数）を取り込まれたコンテンツに関連付けるために処理を実行する、他のデバイスによって自動的にタグ付けされたコンテンツを格納するなど、ならびにそのさまざまな組合せ）を実行することができる。
【０１１６】
リモート・ネットワーク環境１５０は、サービス・プロバイダ・ネットワーク１５１、インターネット１５２、複数のエンティティ１５３、クラウド・コンピューティング・インフラストラクチャ１５４、およびＣＭＳ１５５（ＣＭＳ）１５５を含む。
【０１１７】
サービス・プロバイダ・ネットワーク１５１は、ローカル・ネットワーク環境１４０からインターネット１５０へのアクセスを提供し、ローカル・ネットワーク環境１４０のデバイスおよびリモート・ネットワーク環境１５０のエンティティ１５３が通信できるようにする。
【０１１８】
エンティティは、営利団体１５３１、サード・パーティ・ブローカ１５３２、アプリケーション・プロバイダ１５３３、およびフェデレーテッド・エージェンシ１５３４（集合的に、エンティティ１５３）を含む。エンティティ１５３は、より小数またはより多数のエンティティ１５３を含むことができる。
【０１１９】
営利団体１５３１は、コンテンツ・タグ付けおよび管理能力に関連付けることができる任意の営利団体を含むことができる。たとえば、営利団体１５３１は、センサ１２４を関連付けられまたは関連付けられることができるオブジェクト１２２のプロバイダを含むことができる。営利団体１５３１は、コンテンツ・タグ付けおよび管理能力に関連する情報（たとえば、センサ１２４に格納されるオブジェクト情報、オブジェクト１２２を含む取り込まれたコンテンツが自動的にタグ付けされる時にオブジェクト１２２に関連付けられる情報構造に格納されるオブジェクト情報、オブジェクト１２２を含むタグ付けされたコンテンツ内に埋め込まれたタグの選択に応答して使用可能になるオブジェクト情報など、ならびにそのさまざまな組合せ）にそこからアクセスできるシステムを運営することができる。明瞭にするために省略されているが、営利団体１５３１の一部またはすべてが、コンテンツ・タグ付けおよび管理能力と共に使用するためにそのような情報を使用可能にするためにそれ自体のシステムを運営できることを了解されたい。
【０１２０】
サード・パーティ・ブローカ１５３２は、コンテンツ・タグ付けおよび管理能力に関連付けることができる任意のサード・パーティ・エンティティを含むことができる。たとえば、サード・パーティ・ブローカ１５３２は、センサ１２４を提供するブローカ、センサ１２４をオブジェクトに関連付けるブローカ、コンテンツ・タグ付けおよび管理能力と共に使用されるオブジェクト情報を供給するブローカ（たとえば、センサ１２４を構成するため、取り込まれたコンテンツに埋め込まれたタグの選択に応答するためなど）、タグ付けされたコンテンツのビューイングに基づく報酬を容易にするブローカなど、ならびにそのようなサービスのさまざまな組合せを提供するブローカを含むことができる。サード・パーティ・ブローカ１５３２は、コンテンツ・タグ付けおよび管理能力に関連する情報にそこからアクセスできるシステムを運営することができる。明瞭にするために省略されているが、サード・パーティ・ブローカ１５３２の一部またはすべてが、コンテンツ・タグ付けおよび管理能力と共に使用するためにそのような情報を使用可能にするためにそれ自体のシステムを運営できることを了解されたい。
【０１２１】
アプリケーション・プロバイダ１５３３は、コンテンツ・タグ付けおよび管理能力を使用可能にする際の使用に適するアプリケーションを提供できる任意のアプリケーション・プロバイダを含むことができる。たとえば、アプリケーション・プロバイダ１５３３は、センサ１２４に格納されるオブジェクト情報を定義する際の使用のために構成されたアプリケーション、取り込まれたコンテンツ内のコンテンツ・タグに関連付けられる情報構造のフォーマットを定義する際の使用のために構成されたアプリケーション、情報構造が関連するコンテンツ・タグを介してアクセス可能なオブジェクト情報を情報構造に投入する際の使用のために構成されたアプリケーション、自動的にタグ付けされたコンテンツを管理する際のコンテンツ所有者による使用のために構成されたアプリケーション（たとえば、自動的にタグ付けされたコンテンツの編成、自動的にタグ付けされたコンテンツまたは自動的にタグ付けされたコンテンツの諸部分へのアクセスを制御するための許可のセッティングなど）、自動的にタグ付けされたコンテンツのレビューに基づくユーザの報酬に関連する当事者（たとえば、報酬アカウントを管理するユーザ、ユーザの報酬を管理する営利団体など）による使用のためのアプリケーション、および類似するアプリケーション、またはコンテンツ・タグ付けおよび管理能力と共に使用するのに適する任意の他のアプリケーション、ならびにそのさまざまな組合せを提供することができる。
【０１２２】
フェデレーテッド・エージェンシ１５３４は、コンテンツ・タグ付けおよび管理能力を提供し、ユーザおよびエンティティがコンテンツ・タグ付けおよび管理能力をサポートする形でインターフェースすることを可能にするために、支配的な制御および管理機能を提供するように動作することができる。
【０１２３】
クラウド・コンピューティング・インフラストラクチャ１５４は、プライベート・クラウドまたはパブリック・クラウドとすることができる、管理され、ホスティングされ、または共有されるデータ・センタ・ベースのインフラストラクチャである。クラウド・コンピューティング・インフラストラクチャ１５４内では、さまざまなタグ付けされたコンテンツの管理能力を提供することができる。たとえば、タグ付けされたコンテンツを、サービス・プロバイダ・ネットワーク／アクセス機構を介して送出することができ、タグ付けされたコンテンツを、ユーザまたは彼もしくは彼女の連絡先の拡張されたグループによってセキュアに格納しまたはアクセスすることができ、タグ付けされたコンテンツ自体は、タグ付けされたコンテンツがアクセスされる時に、タグ付けされたコンテンツをユーザ・デバイスに「プッシュ」できるものとすることなど、ならびにそのさまざまな組合せを行うことができる。
【０１２４】
ＣＭＳ１５５は、コンテンツ・タグ付けの管理および／またはタグ付けされたコンテンツの管理を提供することを含む、コンテンツ・タグ付けおよび管理能力のさまざまな管理機能を提供するように構成されている。たとえば、ＣＭＳ１５５は、登録管理機能（たとえば、ユーザ、センサ、スキャナ、エンティティ、プロバイダ、広告主などの登録の管理）の提供、自動コンテンツ・タグ付けおよびタグ付けされたコンテンツの管理機能（たとえば、センサ許可の管理、自動コンテンツ・タグ付け関連アクティビティ中の許可妥当性検査、タグ付けされたコンテンツの所有権管理機能、タグ付けされたコンテンツの許可の管理など）、タグ付けされたコンテンツの配信管理機能（たとえば、タグ付けされたコンテンツに関連する許可の管理、タグ付けされたコンテンツへのアクセスに関連する他の判断基準の管理など）、タグ付けされたコンテンツの広告管理機能（たとえば、広告主管理機能、タグ付けされたコンテンツのパフォーマンス追跡機能、ユーザ報酬管理機能など）など、ならびにそのさまざまな組合せなどの管理機能を提供することができる。ＣＭＳ１５５によって実行されるさまざまな機能が、管理機能の複数のそのようなカテゴリに含まれる場合があることを了解されたい。さらに、本明細書で説明するさまざまな管理機能を、さまざまな他の形で編成できることを了解されたい。
【０１２５】
一実施形態では、ＣＭＳ１５５は、登録管理機能を提供するように構成されている。
【０１２６】
一実施形態では、ユーザを、ＣＭＳ１５５に登録することができる。たとえば、ユーザを、タグ付けされたコンテンツを生成するのに使用されるコンテンツ取込みデバイスのユーザ、ローカル・ネットワーク環境のデバイスのユーザ、センサを用いてタグ付けされるオブジェクトを所有するかその責任を負うユーザ、オブジェクトに関連するセンサを所有するかその責任を負うユーザ、センサにデータをロードするのに使用されるセンサ・スキャナのユーザ、タグ付けされたコンテンツにアクセスするユーザなどとすることができる。ユーザを、アカウント管理、許可管理、コンテンツ管理、ユーザの報酬など、ならびにそのさまざまな組合せなど、任意の適切な目的のために登録することができる。登録されたユーザは、ユーザ・アカウントを関連付けられることができ、このユーザ・アカウントは、ユーザに関連するユーザ・プロファイル、ユーザによって生成されるユーザ・コンテンツなどを含むことができる。
【０１２７】
一実施形態では、エンティティを、ＣＭＳ１５５に登録することができる。たとえば、エンティティは、営利団体１５３１、サード・パーティ・ブローカ１５３２、アプリケーション・プロバイダ１５３３、オブジェクト・プロバイダ／コントローラ、センサ・プロバイダ、センサ・スキャナ・プロバイダ、オブジェクト・データ・テンプレート・プロバイダ、情報構造テンプレート・プロバイダ、タグ付けされたコンテンツに基づく報酬に関わることができるエンティティなど、ならびにそのさまざまな組合せなどのエンティティを含むことができる。
【０１２８】
一実施形態では、センサ１２４を、ＣＭＳ１５５に登録することができる。一実施形態では、センサ１２４を、センサ１２４のプロバイダによってＣＭＳ１５５に登録することができる。一実施形態では、センサ１２４を、センサ１２４が関連するオブジェクト１２２のプロバイダによってＣＭＳ１５５に登録することができる。一実施形態では、センサ１２４を、オブジェクト１２２の所有者によって（たとえば、センサ・スキャナ１３０を用いてセンサ１２４をアクティブ化する前にまたはその後に）ＣＭＳ１５５に登録することができる。一実施形態では、センサ１２４を、複数のそのような当事者によってＣＭＳ１５５に登録することができ、センサ１２４の登録は、センサがある当事者から次の当事者に渡される時に更新される。たとえば、センサ１２４を、当初にセンサ１２４に関連するオブジェクト１２２のプロバイダによってＣＭＳ１５５に登録することができ、その後、オブジェクト１２２の所有者が、センサ１２４の登録にアクセスし、センサ１２４へのアクセスを制御するためにその登録を制御することができる。一実施形態では、製造業者は、センサ１２４が働くことを可能にし、不能にする能力を有し、ユーザがセンサ１２４またはセンサ１２４を関連付けられたオブジェクト１２２を購入した後に、そのユーザは、そのユーザの登録されたユーザ・プロファイル（たとえば、これをＣＭＳ１５５に登録することができる）に基づいてセンサ１２４を使用可能にすることができる。センサ１２４を、センサ１２４へのオブジェクト・データのロード、どのユーザ（１人または複数）がコンテンツ取込み中にセンサ１２４上のオブジェクト・データにアクセスできるのかの制御など、ならびにそのさまざまな組合せなどの管理機能を使用可能にするために登録することができる。ＣＭＳ１５５を使用するセンサ１２４の管理を、任意の他の適切な形で提供することができる。
【０１２９】
一実施形態では、センサ・スキャナ（たとえば、センサ・スキャナ１３０）を、ＣＭＳ１５５に登録することができる。センサ・スキャナを、センサ・スキャナのプロバイダによって（たとえば、センサ・スキャナの販売または展開の前に）、センサ・スキャナの所有者によって（たとえば、センサ・スキャナの購入およびアクティブ化の後に）など、ならびにそのさまざまな組合せによって、ＣＭＳ１５５に登録することができる。センサ・スキャナを、センサ１２４へのアクセスの制御、センサ１２４上のオブジェクト・データのロードの管理など、ならびにそのさまざまな組合せなどの管理機能を使用可能にするために登録することができる。ＣＭＳ１５５を使用するセンサ・スキャナ１３０の管理を、任意の他の適切な形で提供することができる。
【０１３０】
本明細書では、ユーザ、エンティティ、デバイスなどの登録および管理がＣＭＳ１５５を介して実行される実施形態に関して図示され、説明されるが、ユーザ、エンティティ、デバイスなどの登録および管理を、任意の他の管理システムおよび／または任意の他のエンティティによって実行できることを了解されたい。
【０１３１】
一実施形態では、ＣＭＳ１５５は、自動コンテンツ・タグ付け管理機能およびタグ付けされたコンテンツの管理機能を提供するように構成されている。
【０１３２】
自動コンテンツ・タグ付け管理機能は、タグ付けされたコンテンツを自動的に生成するプロセスに関する任意の機能を含むことができる。たとえば、自動コンテンツ・タグ付け管理機能は、自動的にタグ付けされたコンテンツの生成に関連するさまざまな許可チェック機能の提供、自動コンテンツ・タグ付け中に情報構造内に最終的に含められるオブジェクト情報（たとえば、オブジェクト記述情報、広告情報など）を変更するためのオブジェクト・プロバイダ／コントローラ・アクセスの使用可能化、関連するサード・パーティ情報およびサービスを管理するためのサード・パーティ・アクセスの使用可能化など、ならびにそのさまざまな組合せを含むことができる。
【０１３３】
タグ付けされたコンテンツの管理機能は、タグ付けされたコンテンツを管理するプロセスに関する任意の機能を含むことができる。
【０１３４】
一実施形態では、タグ付けされたコンテンツの管理機能は、タグ付けされたコンテンツのストレージを管理することを含むことができる（これは、タグ付けされたコンテンツ、コンテンツ・タグ、および／または情報構造が別々のコンテンツ構造としてどこで維持されるのかなど、タグ付けされたコンテンツの成分部分の一部またはすべての管理を含むことができる）。
【０１３５】
一実施形態では、タグ付けされたコンテンツの管理機能は、タグ付けされたコンテンツを管理するため（たとえば、許可の変更、タグ付けされたコンテンツの分配の制御など）のタグ付けされたコンテンツの所有者のアクセスを可能にすることを含むことができる。
【０１３６】
一実施形態では、タグ付けされたコンテンツの管理機能は、タグ付けされたコンテンツの所有権管理機能を含むことができる。
【０１３７】
一実施形態では、タグ付けされたコンテンツ項目がユーザによって生成される時に、タグ付けされたコンテンツ項目は、ユーザが、コンテンツ項目の分配に関わりなくコンテンツ項目の所有者として必ず識別されるように、ユーザに関連付けられる。これは、タグ付けされたコンテンツがコピーされ、コンテンツ・ポスティング・サイト（たとえば、Ｆｌｉｃｋｒ、ＹｏｕＴｕｂｅなど）、ソーシャル・ネットワーキング・サイト（たとえば、Ｆａｃｅｂｏｏｋ、Ｔｗｉｔｔｅｒなど）などのさまざまなコンテンツ分配機構を介して分配される場合であっても、ユーザが生成したタグ付けされたコンテンツに関するユーザの報酬を可能にする。これは、少なくとも、コンテンツ所有権の正しい追跡が、ユーザが正しい額の報酬を受け取ることを可能にすることがユーザに保証されるので、コンテンツが「急速に広まる」場合に、ユーザが報酬を受け取ることを可能にすることができる興味深い形でユーザがコンテンツを取り込むことの重要な動機づけを提供する。この形でのタグ付けされたコンテンツ所有権の管理は、さまざまな他の利益を提供することもできる。
【０１３８】
一実施形態では、コンテンツ所有者は、ＣＭＳ１５５を介してタグ付けされたコンテンツの所有権を変更することができる。これは、タグ付けされたコンテンツの所有者が、タグ付けされたコンテンツの所有権を１人または複数の他のユーザに転送する（たとえば、これらのユーザがタグ付けされたコンテンツを管理することを可能にするため、ビジネス契約の一部として、または任意の他の目的（１つまたは複数）のため）ことを可能にする。
【０１３９】
一実施形態では、ＣＭＳ１５５は、タグ付けされたコンテンツの配信を管理するタグ付けされたコンテンツの配信管理機能を提供するように構成されている。
【０１４０】
一実施形態では、コンテンツ所有者は、ＣＭＳ１５５を介してタグ付けされたコンテンツのコンテンツ使用許可を変更することができる。コンテンツ使用許可は、タグ付けされたコンテンツの分配を制御する。コンテンツ使用許可を、タグ付けされたコンテンツ（たとえば、コンテンツ項目ごとの基礎で、コンテンツ所有者によって所有されるコンテンツ項目のグループについて、コンテンツ所有者によって所有されるすべてのコンテンツ項目についてなど）、ユーザ（たとえば、ユーザごとの基礎で、コンテンツ所有者が許可をセットしたユーザのグループについて、コンテンツ所有者が許可をセットしたすべてのユーザについてなど）など、ならびにそのさまざまな組合せに関する任意の粒度を使用して変更することができる。
【０１４１】
一実施形態では、タグ付けされたコンテンツの所有者以外のユーザによるタグ付けされたコンテンツへのアクセスは、ユーザがコンテンツにアクセスすることを試みている時にそのユーザがオフラインまたはオンラインのどちらであるのか（たとえば、ユーザがタグ付けされたコンテンツへのアクセスをそれを介して試みつつあるユーザ・デバイスがネットワーク接続性を有するか否か）に基づいて制御される。
【０１４２】
この実施形態では、ユーザがオフラインである時のタグ付けされたコンテンツへのアクセスを、任意の適切なレベルの粒度で提供することができる。一実施形態では、たとえば、ユーザがオフラインである時に、タグ付けされたコンテンツは、タグ付けされたコンテンツにユーザによってアクセスできなくなるように、暗号化される。一実施形態では、たとえば、ユーザがオフラインである時に、タグ付けされたコンテンツ項目内の埋め込まれたタグ（１つまたは複数）は、ユーザがオフラインである間にコンテンツ項目にアクセスできるが、埋め込まれたタグにはアクセスできず、したがってコンテンツ・タグ（１つまたは複数）に関連する情報構造（１つまたは複数）にアクセスできなくなるように、暗号化される。一実施形態では、たとえば、ユーザがオフラインである時に、コンテンツ項目の埋め込まれたタグ（１つまたは複数）に関連する情報構造（１つまたは複数）の諸部分は、ユーザが、オフラインである間に、コンテンツ項目の情報構造（１つまたは複数）に関連する情報のすべてではないが一部を含むコンテンツ項目にアクセスできるように、暗号化される。
【０１４３】
この実施形態では、ユーザがオンラインである時に、タグ付けされたコンテンツへのアクセスは可能にされるが、（たとえば、コンテンツ項目またはコンテンツ項目の諸部分に関連する許可に基づいて、ユーザについてセットされた許可に基づいて、ならびにそのさまざまな組合せに基づいて）そのようなアクセスを他の形で制限することができる。
【０１４４】
そのような実施形態で、タグ付けされたコンテンツへのアクセスを要求するユーザがオンラインまたはオフラインであるか否かの判定を、任意の適切な形で実行することができる（たとえば、オンライン／オフライン・インジケータをユーザごとにＣＭＳ１５５によって維持し、ユーザがオフラインおよびオンラインになる時に更新することができ、ネットワーク接続性についてテストするためにユーザのユーザ・デバイスにｐｉｎｇを打つことによって、ならびにそのさまざまな組合せ）。
【０１４５】
一実施形態では、オンライン／オフライン状況更新インジケータが、タグ付けされたコンテンツの管理を容易にするものとして使用される。１つのそのような実施形態では、オンライン／オフライン状況更新インジケータは、（ｉ）ＣＭＳ１５５と同期した彼／彼女のローカル更新に対して所有者からのオリジナル・コンテンツ許可に対するローカル更新を保ち、（ｉｉ）要求するユーザがオンラインになる時に行うべきタグ付けされたコンテンツのオフライン要求を同期化するのに使用される。
【０１４６】
一実施形態では、ＣＭＳ１５５は、タグ付けされたコンテンツの広告管理機能（たとえば、広告主管理機能、タグ付けされたコンテンツのパフォーマンス追跡機能、ユーザ報酬管理機能など）を提供するように構成されている。
【０１４７】
一実施形態では、ＣＭＳ１５５は、広告主がタグ付けされたコンテンツを介する広告を制御することを可能にする広告主管理機能を提供するように構成されている。
【０１４８】
一実施形態では、たとえば、オブジェクトのプロバイダは、ＣＭＳ１５５を介して、特定のオブジェクト・タイプに関連するオブジェクト情報を変更することができる。集中化された形でのそのようなオブジェクト情報の制御は、オブジェクトのプロバイダが、オブジェクト・タイプに関連する埋め込まれたタグの選択時にユーザに提示されるオブジェクト情報の少なくとも一部を変更することを可能にする。これは、特定のオブジェクトに関するターゲティングされた広告を提供するのに有用である可能性がある。たとえば、自動車製造業者は、広告管理を提供するためにＣＭＳ１５５上でアカウントを維持することができる。この例では、その自動車製造業者によって作られる自動車のメーカーおよびモデルごとに、ＣＭＳ１５５は、自動車のその特定のメーカーおよびモデルに関する情報を含むウェブページへのリンクを格納することができ、ＣＭＳ１５５に格納されたリンクを変更することによって、自動車製造業者は、自動的にタグ付けされるコンテンツが、ユーザを自動車製造業者によって製造されるさまざまな自動車のそれぞれに関する最新情報に向けるように構成された最新リンクを使用して生成されることを保証することができる。これは、自動車製造業者が、自動車の最新版を購入するためにタグ付けされたコンテンツに関連するオブジェクト情報を見るように任意の人を誘うことを可能にする。
【０１４９】
一実施形態では、たとえば、製品（１つまたは複数）のプロバイダが、ＣＭＳ１５５を介して、そのプロバイダがプロモートしたい製品（１つまたは複数）に関する情報を広告することができる。その後、広告主は、ＣＭＳ１５５のユーザ（たとえば、ＣＭＳ１５５上にアカウントを有し、ＣＭＳ１５５を介してコンテンツ・タグ付けおよび管理能力を使用してコンテンツを生成し、かつ／またはタグ付けされたコンテンツを管理するユーザ）に、プロバイダの関連する製品（１つまたは複数）を含むタグ付けされたコンテンツのパフォーマンスに基づいてそのプロバイダが進んで提供する報酬のタイプを示すことができる。この形で、プロバイダは、製品（１つまたは複数）を最終的に購入する可能性がある多数の他のユーザによって見られる可能性が高い興味深い形で彼らの製品を特色にするタグ付けされたコンテンツを生成することを試みるようにユーザに動機づけることができる。製品プロバイダは、その後、通常は任意の特定の数の人に提示されることすら保証されない伝統的な広告に通常基づく全体的な広告予算を減らしながら、彼らの製品をプロモートするためにユーザに報酬を与えることができる。
【０１５０】
一実施形態では、ＣＭＳ１５５を、タグ付けされたコンテンツのパフォーマンスを追跡するように構成することができる。一実施形態では、たとえば、ＣＭＳ１５５を、タグ付けされたコンテンツのパフォーマンス情報、たとえば、タグ付けされたコンテンツの各項目が見られる回数、タグ付けされたコンテンツの各項目の一意ビューの回数など、ならびにそのさまざまな組合せを追跡するように構成することができる。
【０１５１】
一実施形態では、ＣＭＳ１５５は、タグ付けされたコンテンツのパフォーマンスに基づいてタグ付けされたコンテンツの所有者の報酬を管理するように構成されている（たとえば、コンテンツ所有者が資格を与えられる報酬の額の更新、そのような報酬の資格を与えられるコンテンツ所有者の代わりのさまざまなソースからの報酬クレジットの収集など、ならびにそのさまざまな組合せ）。そのような実施形態では、ＣＭＳ１５５上で管理されるさまざまなアカウントを、さまざまな他のアカウント（たとえば、クレジット・アカウント、銀行口座など、ならびにそのさまざまな組合せ）にリンクすることができる。
【０１５２】
ＣＭＳ１５５を、コンテンツ・タグ付けおよび管理能力をサポートするさまざまな他の管理機能を提供するように構成できることを了解されたい。
【０１５３】
独立型システムとして図示され、説明されるが、一実施形態で、ＣＭＳ１５５を、エンティティ１５３のうちの１つまたは複数によってホスティングすることができる。一実施形態では、たとえば、ＣＭＳ１５５を、フェデレーテッド・エージェンシ１５３４によってホスティングすることができる。
【０１５４】
本明細書で図示され、説明されるＣＭＳ１５５の管理機能のいずれをも、そのような機能を提供する任意の適切なアルゴリズムを使用して実施することができ、本明細書で図示され、説明されるＣＭＳ１５５のさまざまな管理機能を、そのような管理機能を提供するためにＣＭＳ１５５が実行するように構成されたアルゴリズムのステップと考えることもできることを了解されたい。
【０１５５】
本明細書で説明するように、コンテンツ・タグ付けシステム１００によってサポートされるコンテンツ・タグ付けおよび管理能力は、取り込まれたコンテンツ内のオブジェクトの自動タグ付けを可能にする。
【０１５６】
本明細書で説明するように、取り込まれたコンテンツ内のオブジェクトの自動タグ付けは、コンテンツ・タグの取り込まれたコンテンツ内の埋込みをもたらし、それにより、コンテンツ・タグが、取り込まれたコンテンツ内のオブジェクトに関連付けられ、ここで、コンテンツ・タグが、タグ付けされたオブジェクトに関連する情報を格納する情報構造に関連付けられる。
【０１５７】
一実施形態では、取り込まれたコンテンツ内のオブジェクトの自動タグ付けは、オブジェクトに関連するコンテンツ・タグへの情報構造の関連付けを介する（１）取り込まれたコンテンツ内のオブジェクトとのコンテンツ・タグの関連付け、および（２）取り込まれたコンテンツ内のオブジェクトへの情報構造の関連付けを含む。
【０１５８】
一実施形態では、取り込まれたコンテンツ内のオブジェクトの自動タグ付けは、（１）コンテンツ・タグへの情報構造の関連付け、および（２）取り込まれたコンテンツ内のコンテンツ・タグの関連付けを含み、それにより、コンテンツ・タグが、取り込まれたコンテンツ内のオブジェクトに関連付けられ、これによって情報構造が関連付けられたタグ付けされたコンテンツを形成する。
【０１５９】
そのような実施形態では、取り込まれたコンテンツ内のオブジェクトとのコンテンツ・タグの関連付けを、任意の適切な形で実行することができる。一実施形態では、取り込まれたコンテンツ内のコンテンツ・タグの関連付けは、取り込まれたコンテンツ内のオブジェクト１２２の位置の判定と、取り込まれたコンテンツ内のオブジェクト１２２の位置またはその付近でのオブジェクト１２２とのコンテンツ・タグの関連付けとを含む。取り込まれたコンテンツ内のオブジェクト１２２の位置を、任意の適切な位置情報（たとえば、オブジェクト１２２の位置を示す位置情報、オブジェクト１２２の１つまたは複数の寸法を示す寸法情報など、ならびにそのさまざまな組合せ）を使用して判定することができ、この位置情報は、そのような情報の任意の適切なソースから入手することができる（たとえば、センサ（１つまたは複数）１２４からオブジェクト・データの一部として受け取る、センサ１２４から受け取られるオブジェクト・データを使用して入手するなど、ならびにそのさまざまな組合せ）。取り込まれたコンテンツ内のコンテンツ・タグの実際の埋込みを、当業者によって理解されるように、任意の適切な形で実行することができる。
【０１６０】
そのような実施形態では、コンテンツ・タグは、コンテンツのタイプ、オブジェクトのタイプ、市場セグメントなど、ならびにそのさまざまな組合せなどの１つまたは複数の要因に基づいて変化する可能性がある任意の適切なタイプのコンテンツ・タグを含むことができる。コンテンツ・タグは、任意の適切な特性を関連付けられることができる。たとえば、コンテンツ・タグは、任意の適切な形状、サイズ、色などを使用することができる。たとえば、コンテンツ・タグを、常に可視、マウスオーバ中のみ可視など、ならびにそのさまざまな組合せとすることができる。タグ付けされたコンテンツを形成するために取り込まれたコンテンツ内のオブジェクトに関連付けられるコンテンツ・タグは、任意の他の適切なタイプのコンテンツ・タグを含むことができる。
【０１６１】
そのような実施形態では、オブジェクト１２２に関連するコンテンツ・タグへの情報構造の関連付けを介する取り込まれたコンテンツ内のオブジェクト１２２への情報構造の自動関連付けを、任意の適切な形で実行することができる。
【０１６２】
情報構造を、任意の適切なソース（たとえば、コンテンツ・タグへの情報構造の関連付けの処理を実行しつつあるデバイスのローカル・メモリ、コンテンツ・タグへの情報構造の関連付けの処理を実行しつつあるデバイスからリモートのデバイスなど、ならびにそのさまざまな組合せ）から入手することができる。情報構造を、コンテンツ取込みの前または取り込まれたコンテンツに自動的にタグ付けする処理中に、リモート・ソースから受け取ることができる。
【０１６３】
情報構造を、使用のために使用可能な唯一の情報構造とすることができ、あるいは、使用のために使用可能な複数の情報構造の中から選択することができる。
【０１６４】
たとえば、単一の情報構造だけが使用のために使用可能である一実施形態では、情報構造は、すべてのタイプのオブジェクト（または、少なくとも、自動コンテンツ・タグ付けが実行されるか実行されると期待されるすべてのタイプのオブジェクト）のオブジェクト情報を格納する際の使用に適するテンプレートを提供することができる。
【０１６５】
たとえば、複数の情報構造が使用のために使用可能である一実施形態では、使用される情報構造を、任意の適切な形で選択することができる。１つのそのような実施形態では、たとえば、情報構造は、複数の情報構造テンプレートのうちの１つであり、この情報構造テンプレートを、タグ付けされるオブジェクト１２２のオブジェクト・タイプ、タグ付けされるオブジェクト１２２に関連するセンサ１２４のセンサ・タイプ、タグ付けされるオブジェクト１２２に固有のオブジェクト識別子、タグ付けされるオブジェクトに関連するセンサ１２４に固有のセンサ識別子などのうちの１つまたは複数に基づいて選択することができる。１つのそのような実施形態で、たとえば、情報構造は、オブジェクト情報をその中に格納された複数の情報構造のうちの１つであり、情報構造を、タグ付けされるオブジェクト１２２のオブジェクト・タイプ、タグ付けされるオブジェクト１２２に固有のオブジェクト識別子、タグ付けされるオブジェクトに関連するセンサ１２４に固有のセンサ識別子などのうちの１つまたは複数に基づいて選択することができる。複数の使用可能な情報構造のうちの１つを、任意の他の適切な形で選択することができることを了解されたい。
【０１６６】
そのような実施形態では、情報構造は、オブジェクト１２２に関連する情報を格納し、この情報には、取り込まれたコンテンツ内に埋め込まれたコンテンツ・タグの選択時にアクセスすることができる。
【０１６７】
本明細書で説明するように、タグ付けされたコンテンツを形成するためにオブジェクト１２２に関連付けられる情報構造は、オブジェクト１２２に関連する任意の適切なオブジェクト情報を格納することができる。
【０１６８】
オブジェクト１２２のオブジェクト情報を、任意の適切な形で情報構造内に格納することができる。
【０１６９】
一実施形態では、たとえば、オブジェクト１２２のオブジェクト情報の少なくとも一部が、コンテンツ取込みの前に情報構造に格納される。これによって、この場合には、取り込まれたコンテンツ内のオブジェクト１２２に情報構造を関連付けることにより、取り込まれたコンテンツ内のオブジェクト１２２にオブジェクト情報を関連付ける。この場合には、情報構造内のオブジェクト情報を、自動コンテンツ・タグ付けの時に（たとえば、関連するセンサ１２４から受け取られたおよび／または関連するセンサ１２４から受け取られた情報を使用して判定された追加のオブジェクト情報が情報構造に追加される場合など）および／または自動コンテンツ・タグ付けが完了した後に（たとえば、コンテンツ所有者が後に情報構造内に格納されたオブジェクト情報を変更する（たとえば、コンピュータ１４２または任意の他の適切なデバイスを介して）場合など）、追加のオブジェクト情報を用いて補足することができる。
【０１７０】
一実施形態では、たとえば、オブジェクト１２２のオブジェクト情報の少なくとも一部が、コンテンツ取込みの時に情報構造内に格納される。この場合に、オブジェクト情報を、タグ付けされたコンテンツを形成するための取り込まれたコンテンツ内のオブジェクト１２２への情報構造の関連付けの前に、その間に、またはその後に情報構造内に格納することができる。この場合に、情報構造内に格納されるオブジェクト情報を、任意の適切なソースから入手することができる。たとえば、自動コンテンツ・タグ付けの処理が、コンテンツ取込みデバイスによって実行される場合に、情報構造内に格納されるオブジェクト情報を、コンテンツ取込みデバイスで関連するセンサ１２４から受け取ることができる。たとえば、自動コンテンツ・タグ付けの処理が、コンテンツ取込みデバイスによって実行される場合に、情報構造内に格納されるオブジェクト情報を、コンテンツ取込みデバイスで、１つまたは複数の他のデバイスから受け取ることができる（たとえば、オブジェクト情報が、センサ１２４からコンテンツ取込みデバイスによって受け取られるオブジェクト情報に基づいてコンテンツ取込みデバイスによって取り出される場合など）。たとえば、自動コンテンツ・タグ付けの処理が、コンテンツ取込みデバイス以外のデバイスによって実行される場合に、情報構造内に格納されるオブジェクト情報を、コンテンツ取込みデバイスから受け取ることができる（たとえば、コンテンツ取込みデバイスから受け取られる他のオブジェクト・データに加えて）。たとえば、自動コンテンツ・タグ付けの処理が、コンテンツ取込みデバイス以外のデバイスによって実行される場合に、情報構造内に格納されるオブジェクト情報を、１つまたは複数の他のデバイスから（たとえば、ローカル・ネットワーク環境１４０の付属デバイス１４３、リモート・ネットワーク環境１５０のネットワーク・デバイスなどから）受け取ることができる。オブジェクト情報が１つまたは複数の外部ソースから受け取られるそのような実施形態で、オブジェクト情報を、任意の適切な形で外部ソースから受け取ることができる。この場合に、情報構造内に格納されるオブジェクト情報を、自動コンテンツ・タグ付けが完了した後に、追加のオブジェクト情報を用いて補足することができる（たとえば、コンテンツ所有者が後に情報構造内に格納されたオブジェクト情報を変更する（たとえば、コンピュータ１４２または任意の他の適切なデバイスを介して）場合など）。
【０１７１】
一実施形態では、タグ付けされたコンテンツを形成するためにオブジェクト１２２に関連付けられる情報構造は、オブジェクト１２２に関連するオブジェクト情報をセキュアに格納する。
【０１７２】
そのような実施形態では、当業者が理解するように、情報構造に、任意の適切な形でオブジェクト情報を投入することができる。一実施形態では、たとえば、オブジェクト情報を解析して、オブジェクト情報を識別し、情報構造の対応するフィールド（すなわち、オブジェクト情報に関連するフィールド）が、情報構造内で識別され、オブジェクト・データが、情報構造内の対応するフィールドに投入される。一実施形態では、たとえば、オブジェクト情報がそれに向けられている情報のフィールド（１つまたは複数）がオブジェクト情報の一部として指定され、オブジェクト情報を情報構造の適当なフィールド（１つまたは複数）に格納できるように、オブジェクト情報を編成することができる。情報構造の適当なフィールドへのオブジェクト情報の関連付けを、任意の適切な形で実行できることを了解されたい。
【０１７３】
オブジェクト１２２のオブジェクト情報を、任意の他の適切な形で情報構造内に格納することができる。
【０１７４】
本明細書で説明するように、取り込まれたコンテンツ内のオブジェクト１２２への情報構造の自動関連付けを介する自動コンテンツ・タグ付けを、任意の適切なデバイスまたはデバイスの組合せによって実行することができる。
【０１７５】
一実施形態では、取り込まれたコンテンツ内のオブジェクト１２２への情報構造の自動関連付けが、コンテンツ取込みデバイス１１０によって実行される。
【０１７６】
この実施形態では、情報構造を、任意の適切なソースから入手することができる。一実施形態では、たとえば、情報構造は、コンテンツ取込みデバイス１１０上に格納される。一実施形態では、たとえば、情報構造は、コンテンツ取込みデバイス１１０で、１つまたは複数の他のデバイス（たとえば、センサ１２４、コンピュータ１４２、付属デバイス１４３、リモート・ネットワーク環境１５０のネットワーク・デバイスなど、ならびにそのさまざまな組合せ）から受け取られる。
【０１７７】
この実施形態では、取り込まれたコンテンツ内のオブジェクト１２２への情報構造の自動関連付けを、コンテンツ取込みデバイス１１０によって任意の適切な時に実行することができる。たとえば、取り込まれたコンテンツ内のオブジェクト１２２への情報構造の自動関連付けを、コンテンツ取込みデバイス１１０によって、オブジェクト１２２を含む取り込まれたコンテンツが取り込まれる時に、オブジェクト１２２を含む取り込まれたコンテンツが取り込まれる時の後の時になど、ならびにそのさまざまな組合せに実行することができる。
【０１７８】
この実施形態では、取り込まれたコンテンツ内のオブジェクト１２２への情報構造の自動関連付けのプロセスを、任意の適切なトリガ条件に応答してコンテンツ取込みデバイス１１０によって開始することができる。たとえば、取り込まれたコンテンツ内のオブジェクト１２２への情報構造の自動関連付けを、コンテンツが取り込まれる時に自動的に（たとえば、オブジェクトを含むコンテンツが取り込まれたことの検出に応答して）、コンテンツが取り込まれ、関連する情報構造がコンテンツ取込みデバイス１１０で受け取られる時に自動的に、コンテンツ取込みデバイス１１０でのアクティビティのレベルに基づいて自動的に（たとえば、コンテンツ取込みデバイス１１０が現在は使用されていない時に）、スケジュールおよび／またはしきい条件（１つまたは複数）に基づいてコンテンツ取込みデバイス１１０によって自動的に（たとえば、ある長さの時間が経過した後に周期的に、しきい個数のイメージが取り込まれた後に、ならびに／または任意の他の適切なスケジューリングおよび／もしくはしきい条件（１つまたは複数）に基づいて）、コンテンツ取込みデバイス１１０のユーザ・インターフェースを介してユーザによって手作業で開始された要求に応答してなど、ならびにそのさまざまな組合せで、コンテンツ取込みデバイス１１０によって開始することができる。
【０１７９】
そのような実施形態のさまざまな組合せを、コンテンツ取込みデバイス１１０による取り込まれたコンテンツ内のオブジェクト１２２への情報構造の自動関連付けを可能にするために、コンテンツ取込みデバイス１１０で使用することができる（たとえば、取り込まれたコンテンツの単一の項目の異なるオブジェクト１２２について、取り込まれたコンテンツの異なる項目についてなど、ならびにそのさまざまな組合せ）ことを了解されたい。
【０１８０】
一実施形態では、取り込まれたコンテンツ内のオブジェクト１２２への情報構造の自動関連付けは、コンテンツ取込みデバイス１１０以外の１つまたは複数のデバイスによって実行される。
【０１８１】
この実施形態では、取り込まれたコンテンツおよびオブジェクト・データは、コンテンツ取込みデバイス１１０から、タグ付けされたコンテンツを形成するために取り込まれたコンテンツ内のオブジェクト１２２に情報構造を関連付ける処理を実行する他のデバイス（１つまたは複数）に供給される。
【０１８２】
取り込まれたコンテンツおよびオブジェクト・データを、コンテンツ取込みデバイス１１０から他のデバイス（１つまたは複数）へ任意の適切な形で供給することができる。
【０１８３】
一実施形態では、たとえば、取り込まれたコンテンツおよびオブジェクト・データを、コンテンツ取込みデバイス１１０から他のデバイスに直接に供給することができる。そのような実施形態では、コンテンツ取込みデバイス１１０から他のデバイスへの取り込まれたコンテンツおよびオブジェクト・データの直接転送を、任意の適切な通信能力を使用して実現することができる。たとえば、他のデバイスがコンピュータ１４２または付属デバイス１４３である場合に、取り込まれたコンテンツおよびオブジェクト・データの直接転送を、直接配線接続を介してコンテンツ取込みデバイス１１０からコンピュータ１４２または付属デバイス１４３へ行うことができる（たとえば、カメラまたはカムコーダがコンピュータ１４２または付属デバイス１４３にＵＳＢまたは他の適切なポートを介してプラグで接続される場合など）。たとえば、他のデバイスがコンピュータ１４２または付属デバイス１４３である場合に、取り込まれたコンテンツおよびオブジェクト・データの直接転送を、有線ネットワーク化された接続を介してコンテンツ取込みデバイス１１０からコンピュータ１４２または付属デバイス１４３へ行うことができる。たとえば、他のデバイスがコンピュータ１４２、付属デバイス１４３、またはリモート・ネットワーク環境１５０のネットワーク・デバイスである場合に、取り込まれたコンテンツおよびオブジェクト・データの直接転送を、ワイヤレス接続を介してコンテンツ取込みデバイス１１０からコンピュータ１４２、付属デバイス１４３、またはリモート・ネットワーク環境１５０のネットワーク・デバイスへ行うことができる（たとえば、Ｂｌｕｅｔｏｏｔｈ、ＷｉＦｉ、またはコンピュータ１４２もしくは付属デバイス１４３への他の適切な接続を介して、ＷｉＦｉ、セルラ、またはリモート・ネットワーク環境１５０のネットワーク・デバイスへの他の適切な接続を介して）。ここで、リモート・ネットワーク環境１５０のネットワーク・デバイスへの直接接続が、ローカル・ネットワーク１４０をトラバースするのではなく、複数の他のネットワーク要素をトラバースする可能性がある接続であることを了解されたい。取り込まれたコンテンツおよびオブジェクト・データを、コンテンツ取込みデバイス１１０から他のデバイス（１つまたは複数）へ任意の他の適切な形で直接に供給することができる。
【０１８４】
一実施形態では、たとえば、取り込まれたコンテンツおよびオブジェクト・データを、コンテンツ取込みデバイス１１０から他のデバイスに間接に供給することができる。そのような実施形態では、コンテンツ取込みデバイス１１０から他のデバイスへの取り込まれたコンテンツおよびオブジェクト・データの間接転送を、任意の適切な通信能力を使用して実現することができる。たとえば、付属デバイス１４３のうちの１つまたは複数が、タグ付けされたコンテンツを形成するために取り込まれたコンテンツ内のオブジェクト１２２に情報構造を関連付ける処理を実行するように構成されている一実施形態では、取り込まれたコンテンツおよびオブジェクト・データを、コンテンツ取込みデバイス１１０からコンピュータ１４２にアップロードすることができ、コンピュータ１４２が、ローカル・ネットワーク１４１を介して取り込まれたコンテンツおよびオブジェクト・データを付属デバイス１４３に供給でき、付属デバイス１４３が、関連付け処理を実行できるようになる。たとえば、リモート・ネットワーク環境１５０のネットワーク・デバイスが、タグ付けされたコンテンツを形成するために取り込まれたコンテンツ内のオブジェクト１２２に情報構造を関連付ける処理を実行するように構成されている一実施形態では、取り込まれたコンテンツおよびオブジェクト・データを、コンテンツ取込みデバイス１１０からコンピュータ１４２に（有線通信および／またはワイヤレス通信を介して）アップロードすることができ、コンピュータ１４２が、サービス・プロバイダ・ネットワーク１４１およびインターネット１４２を介して、取り込まれたコンテンツおよびオブジェクト・データをリモート・ネットワーク環境１５０のネットワーク・デバイスに供給でき、リモート・ネットワーク環境１５０のネットワーク・デバイスが、関連付け処理を実行できるようになる。取り込まれたコンテンツおよびオブジェクト・データを、コンテンツ取込みデバイス１１０から他のデバイスへ任意の他の適切な形で間接に供給することができる。
【０１８５】
取り込まれたコンテンツおよびオブジェクト・データを、コンテンツ取込みデバイス１１０から他のデバイス（１つまたは複数）へ任意の適切な時に供給することができる。
【０１８６】
たとえば、コンテンツ取込みデバイス１１０が、ローカル・ネットワーク環境１４０またはリモート・ネットワーク環境１５０とワイヤレスで通信することができない一実施形態では、コンテンツ取込みデバイス１１０から他のデバイスに向かう取り込まれたコンテンツおよびオブジェクト・データの送出を、（１）コンテンツ取込みデバイス１１０が他のデバイスまたは中間デバイスに接続される時に、または（２）コンテンツ取込みデバイス１１０がその後に他のデバイスまたは中間デバイスに接続される任意の適切な時に、コンテンツ取込みデバイス１１０によって開始することができる。コンテンツ取込みデバイスが他のデバイス（たとえば、コンピュータ１４２または付属デバイス１４３）に接続される実施形態では、取り込まれたコンテンツおよびオブジェクト・データを、他のデバイスへのコンテンツ取込みデバイス１１０の接続時にならびに／または取り込まれたコンテンツおよびオブジェクト・データを他のデバイスに転送しなければならないことのユーザからの指示に応答して、コンテンツ取込みデバイス１１０から他のデバイスに供給することができる。コンテンツ取込みデバイス１１０が、取り込まれたコンテンツおよびオブジェクト・データを受け取り、取り込まれたコンテンツおよびオブジェクト・データを他のデバイスに供給することのできる中間デバイスに接続される実施形態では、取り込まれたコンテンツおよびオブジェクト・データを、中間デバイスへのコンテンツ取込みデバイス１１０の接続時にならびに／または取り込まれたコンテンツおよびオブジェクト・データを中間デバイスに転送しなければならないことのユーザからの指示に応答して、コンテンツ取込みデバイス１１０から中間デバイスに供給することができる。コンテンツ取込みデバイス１１０が、取り込まれたコンテンツおよびオブジェクト・データを受け取り、取り込まれたコンテンツおよびオブジェクト・データを他のデバイスに供給することのできる中間デバイスに接続される実施形態では、中間デバイスは、取り込まれたコンテンツおよびオブジェクト・データをコンテンツ取込みデバイス１１０から受け取る時に、取り込まれたコンテンツおよびオブジェクト・データを他のデバイスに供給すること、他のデバイスへの後の送出（たとえば、スケジュールに基づいて自動的に、中間デバイスまたは別のデバイスを介するユーザからの指示に応答して）のために中間デバイスで取り込まれたコンテンツおよびオブジェクト・データをセキュアに格納することなど、ならびにそのさまざまな組合せを行うことができる。
【０１８７】
たとえば、コンテンツ取込みデバイス１１０が、ローカル・ネットワーク環境１４０および／またはリモート・ネットワーク環境１５０とワイヤレスで通信することができる実施形態では、コンテンツ取込みデバイス１１０から他のデバイス（たとえば、他のデバイスまたは取り込まれたコンテンツおよびオブジェクト・データを他のデバイスの供給するように構成された中間デバイス）に向かう取り込まれたコンテンツおよびオブジェクト・データの送出を、任意の適切な時にコンテンツ取込みデバイス１１０によって開始することができる。たとえば、取り込まれたコンテンツおよびオブジェクト・データの送出を、（１）コンテンツ取込みが実行される時（たとえば、写真が撮影される時、ビデオが撮影される時など）、および／または（２）コンテンツ取込みが実行された時の後であるが、コンテンツ取込みデバイス１１０が取り込まれたコンテンツおよびオブジェクト・データを他のデバイスにアップロードするために他のデバイスまたは中間デバイスに物理的に接続される前または接続されることを必要とせずに、コンテンツ取込みデバイス１１０によって開始することができる。そのような実施形態では、コンテンツ取込みデバイス１１０は、他のデバイスと直接に通信することができる（たとえば、コンピュータ１４２が関連付け処理を実行するデバイスである場合のコンテンツ取込みデバイス１１０とコンピュータ１４２との間の直接接続を介して、ネットワーク・デバイスが関連付け処理を実行するデバイスである場合のコンテンツ取込みデバイス１１０とリモート・ネットワーク環境１５０のネットワーク・デバイスとの間の直接接続を介してなど）。そのような実施形態では、コンテンツ取込みデバイス１１０は、取り込まれたコンテンツおよびオブジェクト・データを他のデバイスに供給するように構成された中間デバイスを介して間接に他のデバイスと通信することができる。そのような実施形態では、他のデバイスへのまたは他のデバイスへの送出のための中間デバイスへの取り込まれたコンテンツおよびオブジェクト・データの送出を、自動的におよび／または手作業で実行することができる。たとえば、他のデバイスまたは中間デバイスへの取り込まれたコンテンツおよびオブジェクト・データの送出を、たとえば、コンテンツの各項目が取り込まれる時（たとえば、各写真が撮影される時）に、しきい個数のコンテンツ項目が取り込まれた後（たとえば、１０枚の写真が撮影された後、３つのビデオが撮影された後など）に、周期的に（たとえば、１時間に１回、１日に１回など、ただし、時間期間は、自動的におよび／または手作業で構成することができる）、ならびにそのさまざまな組合せで実行することができる。そのような実施形態では、取り込まれたコンテンツおよびオブジェクト・データを、ローカル・ネットワーク環境１４０および／またはリモート・ネットワーク環境１５０の任意の適切なデバイス（１つまたは複数）に供給することができる。
【０１８８】
この実施形態では、情報構造を、任意の適切なソースから入手することができる。一実施形態では、たとえば、情報構造を、オブジェクト１２２への情報構造の自動関連付けを実行するデバイス（１つまたは複数）によって、コンテンツ取込みデバイス１１０から受け取ることができる。一実施形態では、たとえば、情報構造を、オブジェクト１２２への情報構造の自動関連付けを実行するデバイス（１つまたは複数）上に格納することができる。一実施形態では、たとえば、情報構造を、オブジェクト１２２への情報構造の自動関連付けを実行するデバイス（１つまたは複数）によって、１つまたは複数の他のデバイス（たとえば、コンピュータ１４２、付属デバイス１４３、リモート・ネットワーク環境１５０のネットワーク・デバイスなど、ならびにそのさまざまな組合せ）から受け取ることができる。
【０１８９】
そのような実施形態では、取り込まれたコンテンツ内のオブジェクト１２２に情報構造を自動的に関連付けるプロセスを、他のデバイス（１つまたは複数）によって、任意の適切なトリガ条件に応答して開始することができる。たとえば、取り込まれたコンテンツ内のオブジェクト１２２への情報構造の自動関連付けを、取り込まれたコンテンツおよびオブジェクト・データの受取時に自動的に、他のデバイス１１０上のアクティビティのレベルに基づいて自動的に（たとえば、他のデバイスが現在使用されていない時に）、スケジュールおよび／またはしきい条件（１つまたは複数）に基づいて自動的に（たとえば、ある長さの時間が経過した後に周期的に、しきい個数のイメージが取り込まれた後に、ならびに／または任意の他の適切なスケジューリングおよび／もしくはしきい条件（１つまたは複数）に基づいて）、他のデバイスのユーザ・インターフェースを介してユーザによって手作業で開始された要求に応答して（たとえば、取り込まれたコンテンツおよびオブジェクト・データを受け取る時に、受け取るデバイスは、ユーザが関連付け／タグ付けプロセスを開始したことの表示を受け取るまで取り込まれたコンテンツおよびオブジェクト・データを格納するように構成されている）など、ならびにそのさまざまな組合せに、他のデバイスによって開始することができる。
【０１９０】
本明細書で説明するように、取り込まれたコンテンツ内のオブジェクトの自動タグ付けは、（１）取り込まれたコンテンツ内のオブジェクトへのコンテンツ・タグの関連付けと、（２）オブジェクトに関連するコンテンツ・タグへの情報構造の関連付けを介する取り込まれたコンテンツ内のオブジェクトへの情報構造の関連付けとを含む。本明細書で図示され、説明される自動コンテンツ・タグ付けのさまざまな実施形態では、これらの関連付けを、任意の適切な形で提供することができる。
【０１９１】
タグ付けされたコンテンツとタグ付けされたコンテンツのコンテンツ・タグとの間の関連付けを、任意の適切な形で提供することができる。
【０１９２】
一実施形態では、たとえば、タグ付けされたコンテンツおよびタグ付けされたコンテンツとの関連付けのために生成されるコンテンツ・タグを、単一のコンテンツ構造（たとえば、ファイル、データ・ストリームなど）として維持することができる。たとえば、コンテンツ・タグがタグ付けされたコンテンツと同一のファイル内に埋め込まれる１つのそのような実施形態では、（１）コンテンツ・タグが、たとえばオブジェクトに対するコンテンツ・タグのオーバーレイまたは任意の他の適切なタイプの直接関連付けを介して、それが意図されたオブジェクトとに直接に関連付けられる（すなわち、関連付け処理が、タグ付けされたコンテンツがアクセスされる時に実行される必要がない）、または（２）コンテンツ・タグが、それが意図されるオブジェクトに直接には関連付けられないが、同一ファイル内で容易に使用可能である（すなわち、それが意図されるオブジェクト上にコンテンツ・タグをオーバーレイする関連付け処理またはそれが意図されるオブジェクトとのコンテンツ・タグの他の形の関連付けが、タグ付けされたコンテンツがアクセスされる時に実行される）ように、コンテンツ・タグを同一のファイル内に埋め込むことができる。
【０１９３】
一実施形態では、たとえば、タグ付けされたコンテンツ項目およびそのタグ付けされたコンテンツ項目との関連付けのために生成されたコンテンツ・タグを、別々のコンテンツ構造（たとえば、別々のファイル、別々のデータ・ストリームなど）として維持することができる。この実施形態では、タグ付けされたコンテンツは、タグ付けされたコンテンツに関連付けられるコンテンツ・タグへのポインタを含むことができ、タグ付けされたコンテンツがアクセスされる時に、コンテンツ・タグを、タグ付けされたコンテンツにアクセスするユーザ（１つまたは複数）によるコンテンツ・タグの選択を可能にするために取り出し、タグ付けされたコンテンツ内に埋め込むことができるようになっている。この実施形態では、コンテンツ・タグへのポインタを、任意の適切な形で、タグ付けされたコンテンツ内で表すか、これに他の形で関連付けることができる（たとえば、タグ付けされたコンテンツ内にコンテンツ・タグの識別子を含めること、タグ付けされたコンテンツ内にコンテンツ・タグのアドレスを含めることなど、ならびにそのさまざまな組合せを介して）。これは、タグ付けされたコンテンツのコンテンツ・タグを、タグ付けされたコンテンツ自体とは独立に管理することを可能にし、これによって、許可に基づいてまたは許可とは独立にユーザがタグ付けされたコンテンツにアクセスすることを可能にすると同時に、情報構造／オブジェクト情報がそれを介してアクセスされるコンテンツ・タグへのアクセスに対するより厳密な制御を維持する。
【０１９４】
タグ付けされたコンテンツのコンテンツ・タグとタグ付けされたコンテンツ内に含まれるオブジェクトのオブジェクト情報を含む情報構造との間の関連付けを、任意の適切な形で提供することができる。
【０１９５】
一実施形態では、たとえば、タグ付けされたコンテンツ内に含まれるオブジェクトに関連するコンテンツ・タグは、関連するオブジェクトのオブジェクト情報を格納する情報構造を含む。これは、コンテンツ・タグが、タグ付けされたコンテンツ内に埋め込まれ、またはタグ付けされたコンテンツを提示するために取り込まれたコンテンツと組み合わされる別々のコンテンツ構造として提供される場合である可能性がある。
【０１９６】
一実施形態では、たとえば、タグ付けされたコンテンツ内に含まれるオブジェクトに関連するコンテンツ・タグは、関連するオブジェクトのオブジェクト情報を格納する情報構造へのポインタを含む。この実施形態では、情報構造を、コンテンツ・タグとは別々のコンテンツ構造（たとえば、ファイル、データ・ストリームなど）として格納することができ、タグ付けされたコンテンツがアクセスされる時に、情報構造を取り出し、タグ付けされたコンテンツからコンテンツ・タグを選択するユーザ（１つまたは複数）に提示することができる。この実施形態では、情報構造へのポインタを、任意の適切な形でコンテンツ・タグ内で表すか、他の形でこれに関連付けることができる（たとえば、コンテンツ・タグ内に情報構造の識別子を含めること、コンテンツ・タグ内に情報構造のアドレスを含めることなど、ならびにそのさまざまな組合せを介して）。これは、タグ付けされたコンテンツの情報構造を、コンテンツ・タグ（および、したがって、タグ付けされたコンテンツ自体）とは独立に管理することを可能にし、これによって、ユーザが、許可に基づいてまたは許可とは独立にタグ付けされたコンテンツにアクセスすることを可能にすると同時に、関連するコンテンツ・タグを介する情報構造／オブジェクト情報へのアクセスに対するより厳密な制御を維持する。
【０１９７】
タグ付けされたコンテンツとコンテンツ・タグとの間の関連付けおよびコンテンツ・タグと情報構造との間の関連付けの上で説明した実施形態に関して、そのような実施形態のさまざまな組合せを使用することができる（たとえば、コンテンツ・タグ付けシステム１００の異なる実施形態で、コンテンツ・タグ付けシステム１００内で生成される異なるタグ付けされたコンテンツ項目で、同一のタグ付けされたコンテンツ項目に関連する異なるオブジェクト／コンテンツ・タグ／情報構造についてなど、ならびにそのさまざまな組合せ）ことを了解されたい。
【０１９８】
そのような関連付けが、タグ付けされたコンテンツがユーザに提示される形および／またはタグ付けされたコンテンツ内に含まれるオブジェクトに関連するオブジェクト情報がアクセスされる形を制御できることを了解されたい。
【０１９９】
本明細書では、主にコンテンツの自動タグ付けが取り込まれたコンテンツ内のオブジェクトへのコンテンツ・タグの関連付けと、コンテンツ・タグへの情報構造の関連付けとを含み、そのようなステップが単一のデバイスによって実行される実施形態に関して図示され、説明されるが、少なくともいくつかの実施形態で、そのようなステップを、複数のデバイスによって実行することができることを了解されたい。一実施形態では、たとえば、第１のデバイスが、取り込まれたコンテンツ内のオブジェクトの位置を判定し、取り込まれたコンテンツ内のオブジェクトにコンテンツ・タグを関連付ける処理を実行することができ、第２のデバイスが、コンテンツ・タグに情報構造を関連付ける処理を実行することができる。さまざまな機能を、複数のデバイスにまたがってさまざまな他の形で分散させることができることを了解されたい。
【０２００】
前述の説明から、コンテンツ・タグ付けおよび管理能力のさまざまな機能を、コンテンツ・タグ付けシステム１００の任意の適切な要素に集中化し、かつ／またはコンテンツ・タグ付けシステム１００の要素の任意の適切な組合せ（１つまたは複数）にまたがって分散させることができることは、明白である。
【０２０１】
本明細書で説明するように、取り込まれたコンテンツ内のオブジェクトの自動タグ付けは、タグ付けされたコンテンツの作成をもたらし、このタグ付けされたコンテンツを、その後、そのようなコンテンツを処理する任意の適切な形で処理することができる。
【０２０２】
たとえば、タグ付けされたコンテンツを、格納すること、送出すること、提示することなど、ならびにそのさまざまな組合せを行うことができる。タグ付けされたコンテンツを、タグ付けされたコンテンツを作成するコンテンツ取込みデバイス、タグ付けされたコンテンツを作成するユーザ・デバイス、タグ付けされたコンテンツがアクセスされるまで格納されるネットワーク・デバイス、タグ付けされたコンテンツがその上でアクセスされるユーザ・デバイスなど、ならびにそのさまざまな組合せなどの任意の適切なデバイス（１つまたは複数）によって、格納、送出、提示などを行うことができる。
【０２０３】
たとえば、タグ付けされたコンテンツに、任意の適切な形で（たとえば、電子メールを介して受け取られる時、ウェブサイトから受け取られる時など、ならびにそのさまざまな組合せ）アクセスすることができる。タグ付けされたコンテンツ（たとえば、写真、ビデオ、マルチメディアなど）に、タグ付けされたコンテンツをその上で提示でき、タグ付けされたコンテンツ内のコンテンツ・タグをタグ付けされたコンテンツのオブジェクト（１つまたは複数）に関連する情報にアクセスするためにそこから選択できる任意の適切なユーザ・デバイスを使用してアクセスできることを了解されたい。たとえば、ユーザ・デバイスを、コンピュータ、タブレットＰＣ、スマートホン、公安に特殊化されたデバイス（ｐｕｂｌｉｃ  ｓａｆｅｔｙ  ｓｐｅｃｉａｌｉｚｅｄ  ｄｅｖｉｃｅ）および連邦政府機関が義務づけるＦＩＰＳ準拠デバイス（Ｆｅｄｅｒａｌ  ａｇｅｎｃｙ  ｍａｎｄａｔｅｄ  ＦＩＰＳ  ｃｏｍｐｌｉａｎｔ  ｄｅｖｉｃｅ）などとすることができる。
【０２０４】
本明細書で説明されるように、タグ付けされたコンテンツがユーザに提示される形を、ある関連付け（たとえば、タグ付けされたコンテンツとタグ付けされたコンテンツのコンテンツ・タグとの間の関連付け）が維持され、制御される形に依存するものとすることができる。
【０２０５】
たとえば、タグ付けされたコンテンツおよびタグ付けされたコンテンツとの関連付けのために生成されたコンテンツ・タグが単一のファイル内で維持される一実施形態では、そのファイルを、所期のユーザ・デバイスに供給し、その後、コンテンツ・タグを含むタグ付けされたコンテンツを提示するために処理することができる。たとえば、そのファイルが、コンテンツ・タグが既にオブジェクトに関連付けられるように配置される場合に、そのファイルは、タグ付けされたコンテンツを提示するために処理される。たとえば、ファイルが、コンテンツ・タグがまだオブジェクトに関連付けられないように配置される場合には、そのファイルは、コンテンツ・タグに関連する情報を抽出し、タグ付けされたコンテンツを正しい位置に埋め込まれたコンテンツ・タグと共に提示するために処理される。
【０２０６】
たとえば、タグ付けされたコンテンツ項目およびタグ付けされたコンテンツ項目との関連付けのために生成されたコンテンツ・タグが、別々のファイルとして維持される一実施形態では、タグ付けされたコンテンツ・ファイルとコンテンツ・タグ・ファイルとの両方が、所期のユーザ・デバイスに供給され、その後、タグ付けされたコンテンツを提示するためにこれらを組み合わせるために処理される。
【０２０７】
この２つのファイルを、ユーザ・デバイスに同時に供給することができる。たとえば、ユーザが、ユーザ・デバイスを介してウェブサイトにタグ付けされたコンテンツを要求する場合に、タグ付けされたコンテンツ・ファイルおよび関連するコンテンツ・タグ・ファイルを取り出し、ユーザ・デバイスに供給することができる。たとえば、ユーザが、タグ付けされたコンテンツを友人から電子メールで受け取る場合に、その電子メールは、タグ付けされたコンテンツ・ファイルとコンテンツ・タグ・ファイルとの両方を含むことができる。
【０２０８】
この２つのファイルを、ユーザ・デバイスに順次供給することができる。たとえば、ユーザが、ユーザ・デバイスを介してウェブサイトにタグ付けされたコンテンツを要求する場合に、タグ付けされたコンテンツ・ファイルを取り出し、ユーザ・デバイスに供給することができ、ユーザ・デバイスは、タグ付けされたコンテンツ・ファイル内に含まれる情報（たとえば、コンテンツ・タグのアドレスまたは識別子）からコンテンツ・タグ・ファイルを識別することができ、ユーザ・デバイスは、その後、コンテンツ・タグ・ファイルを要求し、受け取ることができる。たとえば、ユーザが、タグ付けされたコンテンツを友人から電子メールで受け取る場合に、その電子メールは、タグ付けされたコンテンツ・ファイルを含むことができ、ユーザ・デバイスは、タグ付けされたコンテンツ・ファイル内に含まれる情報（たとえば、コンテンツ・タグのアドレスまたは識別子）からコンテンツ・タグ・ファイルを識別することができ、ユーザ・デバイスは、その後、コンテンツ・タグ・ファイルを（たとえば、タグ付けされたコンテンツのコンテンツ・タグを格納するネットワーク要素に）要求し、受け取ることができる。
【０２０９】
タグ付けされたコンテンツ・ファイルおよびコンテンツ・タグ・ファイルを、ユーザ・デバイスで受け取られた後に、タグ付けされたコンテンツを提示するために任意の適切な形で処理することができる。たとえば、タグ付けされたコンテンツ・ファイルは、ユーザ・デバイスを介して提示される時にコンテンツ・タグをタグ付けされたコンテンツに追加できるように、タグ付けされたコンテンツ内のコンテンツ・タグの所期の位置を識別するマーカーを含むことができる。同様に、たとえば、コンテンツ・タグを含むファイルは、ユーザ・デバイスを介して提示される時にコンテンツ・タグをタグ付けされたコンテンツに追加できるように、タグ付けされたコンテンツ内のコンテンツ・タグの所期の位置を突き止める際のユーザ・デバイスによる使用に適合された情報を含むことができる。
【０２１０】
本明細書で説明される時に、タグ付けされたコンテンツ内に含まれるオブジェクトに関連するオブジェクト情報がアクセスされる形を、ある関連付け（たとえば、タグ付けされたコンテンツのコンテンツ・タグとタグ付けされたコンテンツ内に含まれるオブジェクトのオブジェクト情報を含む情報構造との間の関連付け）が維持され、制御される形に依存するものとすることができる。
【０２１１】
たとえば、タグ付けされたコンテンツ内に含まれるオブジェクトに関連するコンテンツ・タグが、関連するオブジェクトのオブジェクト情報を格納した情報構造を含む一実施形態では、オブジェクト情報は、情報構造から入手され、コンテンツ・タグの選択時に、そのオブジェクト情報が、ユーザ・デバイスを介してユーザに提示される。この場合に、コンテンツ・タグを、タグ付けされたコンテンツ内に埋め込むか、コンテンツ・タグの提示およびその後の提示されるコンテンツ・タグの選択に応答したオブジェクト情報の提示のためにアクセスできる別々のファイルとして提供することができる。
【０２１２】
たとえば、タグ付けされたコンテンツ内に含まれるオブジェクトに関連するコンテンツ・タグが、関連するオブジェクトのオブジェクト情報を格納した情報構造へのポインタを含む一実施形態では、その情報構造が、コンテンツ・タグの選択に応答して取り出され、その情報構造のオブジェクト情報が、ユーザ・デバイスを介してユーザに提示される。この場合に、情報構造へのポインタを、任意の適切な形でコンテンツ・タグ内で表し、また他の形でコンテンツ・タグに関連付けることができる（たとえば、コンテンツ・タグ内に情報構造の識別子を含めること、コンテンツ・タグ内に情報構造のアドレスを含めることなど、ならびにそのさまざまな組合せを介して）。
【０２１３】
そのような実施形態では、情報構造のオブジェクト情報へのアクセスが、１つまたは複数の判断基準が満足されることを必要とする場合もあることを了解されたい（たとえば、アクセスを要求するユーザが正しい許可レベルを有する、アクセスを要求するユーザがオンラインであるなど、ならびにそのさまざまな組合せ）。これらの潜在的な判断基準は、コンテンツ・タグの選択に応答するユーザ・デバイスでのオブジェクト情報の提示を含む、コンテンツ・タグおよび関連する情報構造の管理の説明での明瞭さのために、本開示からは省略される。
【０２１４】
本明細書で説明するように、少なくとも１つの実施形態では、コンテンツ取込みデバイス１１０は、取り込まれたコンテンツ内のオブジェクトに情報構造を自動的に関連付ける関連付け処理を実行するように構成されている。１つのそのような実施形態による例示的なコンテンツ取込みデバイスを、図２に関して図示し、説明する。
【０２１５】
図２に、図１のコンテンツ取込みデバイスの一実施形態の高水準ブロック図を示す。
【０２１６】
図２に示されているように、コンテンツ取込みデバイス１１０は、コンテンツ取込みモジュール２１０、メモリ２２０、コンテンツ・タグ付けモジュール２３０、およびコントローラ２４０を含む。
【０２１７】
コンテンツ取込みモジュール２１０は、１つまたは複数のコンテンツ取込み機構２１１１〜２１１Ｎ（集合的にコンテンツ取込み機構２１１）を含み、各コンテンツ取込み機構２１１は、コンテンツを取り込み、メモリ２２０での格納のために取り込まれたコンテンツをメモリ２２０に供給するように構成されている。
【０２１８】
コンテンツ取込み機構２１０は、コンテンツを取り込む任意の適切な機構（１つまたは複数）を含むことができる。たとえば、各コンテンツ取込み機構２１１は、オーディオ・コンテンツ取込み機構、イメージ・コンテンツ取込み機構、ビデオ・コンテンツ取込み機構など、ならびにそのさまざまな組合せのうちの１つまたは複数を含むことができる。
【０２１９】
そのようなコンテンツ・タイプをそのようなコンテンツ取込み機構によって取り込むことができる形は、当業者によって理解されるであろう。たとえば、カメラが通常イメージ・コンテンツを取り込む形が、当業者によって理解されるであろう。同様に、たとえば、ビデオ・レコーダが通常ビデオおよびオーディオ・コンテンツを取り込む形が、当業者によって理解されるであろう。
【０２２０】
コンテンツ取込みデバイス１１０内に含まれるコンテンツ取込み機構（１つまたは複数）２１１のタイプ（１つまたは複数）が、コンテンツ取込みデバイス１１０のタイプ、コンテンツ取込みデバイス１１０による取込みが意図されるコンテンツのタイプ（たとえば、写真、ビデオなど）、および／または任意の他の適切な要因に依存する可能性があることを了解されたい。
【０２２１】
一実施形態では、たとえば、コンテンツ取込みデバイス１１０は、イメージ・コンテンツ取込み機構を含むカメラである。多数のカメラが、現在、オーディオ／ビデオ記録能力をも含むことを了解されたい。
【０２２２】
一実施形態では、たとえば、コンテンツ取込みデバイス１１０は、ビデオ・コンテンツ取込み機構およびオーディオ・コンテンツ取込み機構を含むビデオ・レコーダである。多数のビデオ・レコーダが、現在、イメージ・コンテンツ取込み能力（たとえば、静止写真をも撮影するため）をも含むことを了解されたい。
【０２２３】
コンテンツ取込みデバイス１１０は、そのようなコンテンツ取込み機構１１１の任意の適切な組合せを含むことができる、任意の他の適切なタイプのデバイスを含むことができる。
【０２２４】
一実施形態では、コンテンツ取込み機構２１１のうちの１つまたは複数が、本明細書で説明するように自動的にタグ付けされるコンテンツを取り込む。たとえば、オーディオ・コンテンツ取込み機構が、タグ付けされるオーディオ・コンテンツを取り込むことができる。たとえば、イメージ・コンテンツ取込み機構が、タグ付けされるイメージ・コンテンツを取り込むことができる。たとえば、オーディオおよびビデオ・コンテンツ取込み機構が、タグ付けされるオーディオおよびビデオ・コンテンツを取り込むことができる。
【０２２５】
一実施形態では、タグ付けされるコンテンツを取り込むのに１つまたは複数のコンテンツ取込み機構２１１を使用することに加えて、コンテンツ取込み機構２１１のうちの１つまたは複数を使用して、取り込まれたコンテンツ内のコンテンツ・オブジェクト（本明細書では、コンテンツ内コンテンツと称する場合もある）を取り込むことができる。本明細書で説明する時に、これは、テレビジョンが写真内で取り込まれる時にテレビジョンに表示されたテレビジョン番組のタグ付け、ビデオが取り込まれる時に再生されつつある音楽のタグ付けなどのコンテンツ内コンテンツを含むことができる。
【０２２６】
１つのそのような実施形態では、複数のコンテンツ取込み機構２１１が、取り込まれたコンテンツ内のそのようなコンテンツ・オブジェクト（本明細書では、コンテンツ内コンテンツと称する場合もある）の取込みを可能にするために協力することができる。
【０２２７】
たとえば、ユーザが、イメージ・コンテンツ取込み機構を使用してイメージ・コンテンツ（たとえば、写真）の取込みを開始する一実施形態では、コンテンツ取込みデバイス１１０が、取り込まれたイメージ・コンテンツ内のオーディオ・コンテンツ（この文脈では、コンテンツ・オブジェクトと考えられる）にタグ付けするために取り込まれたイメージに関連するオーディオ・コンテンツをも取り込むようにするために、コンテンツ取込みデバイス１１０のオーディオ・コンテンツ取込み機構をもアクティブ化することができる。
【０２２８】
この実施形態では、オーディオ・コンテンツを取り込み、任意の適切な形で識別することができる。一実施形態では、たとえば、オーディオ・コンテンツ取込み機構が、イメージ・コンテンツの取込みと同時に、いくつかのオーディオを録音する。取り込まれたオーディオ・コンテンツは、その後、オーディオ・コンテンツ（たとえば、題名、アーティスト、および他の関連する情報）を識別するために処理される。取り込まれたオーディオ・コンテンツを、取り込まれたオーディオに埋め込まれた情報から、たとえば、一致を識別するためにオーディオの取り込まれた部分をオーディオ録音のデータベースと比較することによって、識別することができる。
【０２２９】
この実施形態では、取り込まれたイメージ内で、オーディオ・コンテンツ・オブジェクトに任意の適切な形でタグ付けすることができる。たとえば、オーディオが、取り込まれたイメージ内で取り込まれたテレビジョン上で再生されているテレビジョン番組のオーディオである場合に、オーディオ・コンテンツについて取り込まれたイメージに関連付けられるコンテンツ・タグを、タグ付けされたイメージ内のテレビジョンに関連付けることができる。たとえば、オーディオが、隣接する部屋内で再生されているが取り込まれたイメージ内に取り込まれていないラジオのオーディオである場合に、オーディオ・コンテンツについて取り込まれたイメージに関連付けられるコンテンツ・タグを、取り込まれたイメージ内の任意の適切な位置に配置することができる。
【０２３０】
コンテンツ取込み（たとえば、写真などの静止画像コンテンツ）に関連するオーディオ・コンテンツ・オブジェクトの取込み、識別、およびタグ付けを、任意の他の適切な形で実行することができる。
【０２３１】
たとえば、ユーザが、イメージ・コンテンツ取込み機構を使用して写真の取込みを開始する一実施形態では、コンテンツ取込みデバイス１１０が取り込まれたイメージ・コンテンツ内のビデオ・コンテンツ（この文脈では、コンテンツ・オブジェクトと考えられる）にタグ付けするために取り込まれたイメージに関連するビデオ・コンテンツをも取り込むように、コンテンツ取込みデバイス１１０のビデオ・コンテンツ取込み機構をもアクティブ化することができる。
【０２３２】
この実施形態では、ビデオ・コンテンツを取り込み、任意の適切な形で識別することができる。一実施形態では、たとえば、ビデオ・コンテンツ取込み機構が、イメージ・コンテンツの取込みと同時に、ビデオの１つまたは複数のビデオ・フレームを録画する。取り込まれたビデオ・コンテンツは、その後、ビデオ・コンテンツ（たとえば、ショーまたは映画の名前、および他の関連する情報）を識別するために処理される。取り込まれたビデオ・コンテンツを、取り込まれたビデオ内に埋め込まれた情報から、たとえば、取り込まれたビデオのビデオ・フレームのうちの１つまたは複数の少なくとも一部を使用してビデオ録画情報のデータベースを検索することによって、識別することができる。
【０２３３】
この実施形態では、取り込まれたイメージ内で、ビデオ・コンテンツ・オブジェクトに任意の適切な形でタグ付けすることができる。たとえば、ビデオが、取り込まれたイメージ内に取り込まれたテレビジョンで再生されるテレビジョン番組のビデオである場合に、ビデオ・コンテンツについて取り込まれたイメージに関連付けられるコンテンツ・タグを、タグ付けされるイメージ内でテレビジョンに関連付けることができる。
【０２３４】
コンテンツ取込み（たとえば、写真などの静止画像コンテンツ）に関連するビデオ・コンテンツ・オブジェクトの取込み、識別、およびタグ付けを、任意の他の適切な形で実行することができる。
【０２３５】
図２に示されているように、１つまたは複数のコンテンツ取込み機構２１１は、カメラ上のボタン、ビデオ・レコーダ上のボタン、スマートホン上のタッチ・スクリーン・コントロール、またはメモリ２２０での格納のためにコンテンツ（たとえば、タグ付けされる取り込まれたコンテンツおよび／またはタグ付けされる取り込まれたコンテンツに関連するコンテンツ・オブジェクト）を取り込むためにコンテンツ取込み機構２１１のうちの１つまたは複数を作動させる任意の他の適切な機構など、コンテンツ取込みコントロール２１２によって作動させられる。
【０２３６】
メモリ２２０は、コンテンツ取込み機構２１１によって取り込まれたコンテンツを格納するストレージを提供し、オプションで、コンテンツ・タグ付けモジュール２３０用の情報（たとえば、コンテンツ・タグ付けモジュール２３０によってタグ付けされる取り込まれたコンテンツ、コンテンツ・タグ付けモジュール２３０によって取り込まれたコンテンツ内でタグ付けされるコンテンツ・オブジェクト、取り込まれたコンテンツの自動タグ付けを介して取り込まれたコンテンツに関連付けられる情報構造、コンテンツ・タグ付けモジュール２３０によって生成されたタグ付けされたコンテンツなど、ならびにそのさまざまな組合せ）を格納するストレージを提供する。メモリ２２０を、任意の適切な形のメモリとすることができる。たとえば、メモリ２２０は、内部メモリ、コンテンツ取込みデバイス１１０に挿入されたメモリ（たとえば、カメラに装入されたメモリ・スティック、カメラ付き電話機内のＳＩＭカードなど）、外部メモリなどを含むことができる。コンテンツ取込みデバイス１１０が、複数のそのようなタイプの使用可能なメモリを有することができることを了解されたい。
【０２３７】
コンテンツ・タグ付けモジュール２３０は、コンテンツ取込み機構２１１によって取り込まれたコンテンツの自動タグ付けを実行するように構成されている。
【０２３８】
図２に示されているように、コンテンツ・タグ付けモジュール２３０は、複数のトランシーバ２３１１〜２３１Ｎ（集合的にトランシーバ２３１）、トランシーバ入出力（Ｉ／Ｏ）インターフェース２３２、暗号化／暗号化解除（Ｅ／Ｄ）モジュール２３３、およびコンテンツ・タグ付け論理モジュール２３４を含む。
【０２３９】
図２に示されているように、一実施形態では、コンテンツ・タグ付けモジュール２３０を、メモリ２２０での格納のためにコンテンツを取り込むためにコンテンツ取込み機構２１１を作動させるのに使用されるコンテンツ取込みコントロール２１２によって作動させることもできる。コンテンツ・タグ付けモジュール２３０の作動は、センサ１２４からオブジェクト・データを受け取る機能を実行するためにコンテンツ・タグ付けモジュール２３０をトリガし、このオブジェクト・データを、その後、コンテンツ取込みコントロール２１２の作動時にコンテンツ取込み機構２１１によって取り込まれたコンテンツの自動タグ付けに使用することができる（たとえば、センサ１２４からの情報の受取を準備し、センサ１２４から情報を受け取るためにセンサ１２４との通信を開始するなど）。コンテンツ・タグ付けモジュール２３０の作動は、さまざまな他の機能を実行するためにコンテンツ・タグ付けモジュール２３０をトリガすることもできる（たとえば、コンテンツ取込み機構２１１によって取り込まれるコンテンツに自動的にタグ付けする自動コンテンツ・タグ付け処理の実行、他のデバイス（１つまたは複数）がコンテンツ取込み機構２１１によって取り込まれるコンテンツに自動的にタグ付けする自動コンテンツ・タグ付け処理を実行できるようにする、１つまたは複数の他のデバイスに向かう取り込まれたデータおよびオブジェクト・データの送出など）。主にコンテンツ・タグ付けモジュール２３０がコンテンツ取込み機構２１１を作動させるのに使用されるものと同一の制御機構を使用して作動させられる実施形態に関して図示され、説明されるが、他の実施形態では、コンテンツ取込みデバイス１１０が、コンテンツ取込みモジュール２３０を作動させるように構成された異なるコントロールを含むことができる。１つのそのような実施形態では、たとえば、別々のコンテンツ取込みコントロール（たとえば、カメラ上の別のボタン、ビデオ・レコーダ上の別のボタン、または任意の他の適切な制御機構）を、コンテンツ取込みデバイス１１０上に設けることができ、これによって、ユーザが、コンテンツ取込み機構２１１によって取り込まれたコンテンツについて自動コンテンツ・タグ付けを実行すべきか否かを制御することを可能にすることができる。
【０２４０】
トランシーバ２３１は、コンテンツ取込みデバイス１１０に通信能力を与える。トランシーバ２３１は、１つまたは複数のワイヤレストランシーバ（実例として、トランシーバ２３１１および２３１２）および１つまたは複数の有線トランシーバ（実例として、トランシーバ２３１Ｎ）を含む。
【０２４１】
コンテンツ取込みデバイス１１０内に含まれる特定の個数およびタイプのトランシーバに関して図示され、説明されるが、任意の適切な個数および／またはタイプのトランシーバ２３１を、コンテンツ取込みデバイス１１０内に含めることができることを了解されたい。
【０２４２】
主にトランシーバ（コンテンツ取込みデバイス１１０内の使用に関して本明細書で図示され、説明されるが、コンテンツ取込みデバイス１１０が、任意の適切な個数および／またはタイプの送信器、受信器、トランシーバなど、ならびにそのさまざまな組合せを含むことができることを了解されたい。
【０２４３】
トランシーバ２３１は、コンテンツ・タグ付けシステム１００のさまざまな要素との通信をサポートすることができる。
【０２４４】
たとえば、トランシーバ２３１のうちの１つまたは複数は、センサ１２４からオブジェクト・データを受け取るためにセンサ１２４との通信をサポートすることができ、この通信は、センサ１２４のタイプおよび／またはこれらのセンサ１２４によってサポートされる通信のタイプに依存するものとすることができる（たとえば、セルラ通信、Ｂｌｕｅｔｏｏｔｈ通信、ＲＦＩＤ通信、ボーコード／バーコード／ＱＲコード通信、免許を交付された／免許不要のスペクトルベースの通信など、ならびにそのさまざまな組合せ）。
【０２４５】
たとえば、トランシーバ２３１のうちの１つまたは複数は、ローカル・ネットワーク環境１４０の１つもしくは複数のデバイスおよび／またはリモート・ネットワーク環境１５０の１つもしくは複数のデバイスとの通信をサポートすることができる。たとえば、トランシーバ２３１のうちの１つまたは複数は、コンテンツ取込みデバイス１１０によって生成された自動的にタグ付けされたコンテンツをローカル・ネットワーク環境１４０および／またはリモート・ネットワーク環境１５０に供給するために、ローカル・ネットワーク環境１４０および／またはネットワーク環境と通信することができる。たとえば、トランシーバ２３１のうちの１つまたは複数は、コンテンツ取込みデバイス１１０によって取り込まれたコンテンツの自動タグ付けを実行するためにコンテンツ取込みデバイス１１０が必要とする可能性がある情報を要求するために（たとえば、オブジェクト・データ、１つまたは複数の情報構造など、ならびにそのさまざまな組合せを要求するために）ローカル・ネットワーク環境１４０および／またはネットワーク環境と通信することができる。たとえば、トランシーバ２３１のうちの１つまたは複数は、取り込まれたコンテンツをローカル・ネットワーク環境１４０および／またはリモート・ネットワーク環境１５０の１つまたは複数のデバイスによって自動的にタグ付けできるように、ローカル・ネットワーク環境１４０および／またはリモート・ネットワーク環境１５０の１つまたは複数のデバイスに取り込まれたコンテンツおよび関連するオブジェクト・データを供給するためにローカル・ネットワーク環境１４０および／またはリモート・ネットワーク環境１５０と通信することができる。たとえば、トランシーバ２３１のうちの１つまたは複数は、取り込まれたコンテンツにローカル・ネットワーク環境１４０および／またはリモート・ネットワーク環境１５０の１つまたは複数のデバイスによって自動的にタグ付けできるように、ローカル・ネットワーク環境１４０および／またはリモート・ネットワーク環境１５０の１つまたは複数のデバイスに、取り込まれたコンテンツ、関連するオブジェクト・データ、および１つまたは複数の情報構造を供給するために、ローカル・ネットワーク環境１４０および／またはリモート・ネットワーク環境１５０と通信することができる。そのような実施形態で、トランシーバ２３１が、任意の適切な通信能力（たとえば、ワイヤレス通信、セルラ通信、ＷｉＦｉ通信など、ならびにそのさまざまな組合せ）をサポートすることができることを了解されたい。
【０２４６】
トランシーバＩ／Ｏインターフェース２３２は、トランシーバ２３１とＥ／Ｄモジュール２３３との間のインターフェースを提供する。トランシーバＩ／Ｏインターフェース２３２を、複数のトランシーバ２３１とＥ／Ｄモジュール２３３との間の通信をサポートするのに適切な任意の形で実施することができる（たとえば、トランシーバＩ／Ｏインターフェース２３２からトランシーバ２３１への任意の適切な個数の通信パスを使用して、および類似して、Ｅ／Ｄモジュール２３３への任意の適切な個数の通信パスを使用して）。
【０２４７】
Ｅ／Ｄモジュール２３３は、コンテンツ・タグ付け論理モジュール２３４に暗号化能力および暗号化解除能力を与える。Ｅ／Ｄモジュール２３３は、コンテンツ・タグ付け論理モジュール２３４宛の暗号化された情報（たとえば、コンテンツ取込み機構２１１および／またはメモリ２２０から受け取られた取り込まれたコンテンツ、トランシーバ２３１およびトランシーバＩ／Ｏインターフェース２３２を介してセンサ１２４から受け取られたオブジェクト・データ、トランシーバ２３１およびトランシーバＩ／Ｏインターフェース２３２を介して（たとえば、ローカル・ネットワーク環境１４０および／またはリモート・ネットワーク環境１５０から）受け取られた情報構造など、ならびにそのさまざまな組合せを暗号化解除する。Ｅ／Ｄモジュール２３３は、コンテンツ・タグ付け論理モジュール２３４によって送出される情報を暗号化する。たとえば、Ｅ／Ｄモジュール２３３は、ローカル・ネットワーク環境１４０および／またはネットワーク環境に送出される、取り込まれたコンテンツ、オブジェクト・データ、情報構造、タグ付けされたコンテンツなどのうちの１つまたは複数を暗号化する。たとえば、Ｅ／Ｄモジュール２３３は、メモリ２２０への格納のためにメモリ２２０に供給されるタグ付けされたコンテンツを暗号化する。Ｅ／Ｄモジュール２３３は、任意の他の適切な情報を暗号化／暗号化解除することができる。
【０２４８】
コンテンツ・タグ付け論理モジュール２３４は、コンテンツ取込み機構２１１によって取り込まれたコンテンツの自動タグ付けを実行するように構成されている。
【０２４９】
図２に示されているように、コンテンツ・タグ付け論理モジュール２３４は、メモリ２３５、コンテンツ分析論理２３６、およびオーバーレイ作成論理２３７を含む。
【０２５０】
メモリ２３５は、コンテンツ分析論理２３６およびオーバーレイ作成論理２３７による使用のための情報をセキュアに格納するストレージと、コンテンツ分析論理２３６およびオーバーレイ作成論理２３７によって生成される情報をセキュアに格納するストレージとを提供する。たとえば、図２に示されているように、メモリ２３５は、取り込まれたコンテンツ、取り込まれたコンテンツ内のオブジェクトに関連付けられるコンテンツ・タグ、取り込まれたコンテンツの自動タグ付けを介して取り込まれたコンテンツに関連付けられる情報構造、タグ付けされたコンテンツなど、ならびにそのさまざまな組合せなどの情報をセキュアに格納することができる。コンテンツ・タグ付け論理モジュール２３４内のメモリ２３５の使用が、コンテンツ分析論理２３６およびオーバーレイ作成論理２３７が処理のためにそのような情報にアクセスする時の暗号化処理および暗号化解除処理の必要をなくすと同時に、それでも、情報のセキュアな格納を可能にすることができることを了解されたい。メモリ２３５を、当業者が理解するように、任意の適切な形のメモリとすることができる。
【０２５１】
コンテンツ分析論理２３６は、取り込まれたコンテンツ内に含まれるオブジェクト１２２ごとに、取り込まれたコンテンツ内のオブジェクト１２２へのタグ付けで使用される情報を判定するために取り込まれたコンテンツを分析するように構成されている。
【０２５２】
取り込まれたコンテンツ内のオブジェクト１２２へのタグ付けで使用される情報は、オブジェクト１２２の関連するコンテンツ・タグを埋め込まなければならない取り込まれたコンテンツ内の位置を判定する際の使用に適するすべての情報を含むことができる。たとえば、取り込まれたコンテンツ内のオブジェクト１２２へのタグ付けで使用される情報は、取り込まれたコンテンツ内のオブジェクト１２２の位置を含むことができ、オプションで、取り込まれたコンテンツ内のオブジェクト１２２の寸法を含むことができる。取り込まれたコンテンツ内のオブジェクト１２２へのタグ付けで使用される情報を、任意の適切なフォーマットで表すことができる（たとえば、静止画像の座標位置として、移動するイメージのフレーム番号とフレーム内の座標位置との組合せとしてなど）。
【０２５３】
取り込まれたコンテンツ内のオブジェクト１２２へのタグ付けで使用される情報を、任意の適切な形で判定することができる。一実施形態では、たとえば、取り込まれたコンテンツ内のオブジェクト１２２へのタグ付けで使用される情報を、オブジェクト１２２が含まれる取り込まれたコンテンツ、オブジェクト１２２に関連する１つまたは複数のセンサ１２４から受け取られた情報など、ならびにそのさまざまな組合せのうちの１つまたは複数を処理することによって判定することができる。
【０２５４】
コンテンツ分析論理２３６は、オブジェクト１２２に関連するコンテンツ・タグを用いて取り込まれたコンテンツに自動的にタグ付けするためのオーバーレイ作成論理２３７による使用のために、取り込まれたコンテンツ内のオブジェクト１２２へのタグ付けで使用される情報をオーバーレイ作成論理２３７に供給する。
【０２５５】
図２に示されているように、コンテンツ分析論理２３６は、Ｅ／Ｄモジュール２３３、メモリ２３５、およびオーバーレイ作成論理２３７に結合される。コンテンツ分析論理２３６は、コンテンツ取込み機構２１１および／またはメモリ２２０から取り込まれたコンテンツを受け取るため、オブジェクト１２２に関連するセンサ１２４からオブジェクト１２２のオブジェクト・データを受け取るため（たとえば、トランシーバ２３１、トランシーバＩ／Ｏインターフェース２３２、およびＥ／Ｄモジュール２３３を介して）などのために、Ｅ／Ｄモジュール２３３に結合される。コンテンツ分析論理２３６は、取り込まれたコンテンツ内のオブジェクト１２２にタグ付けするのに使用できる任意の情報（たとえば、取り込まれたコンテンツ、取り込まれたコンテンツ内のオブジェクト１２２の位置を示す位置データなど）にアクセスするためにメモリ２３５に結合される。コンテンツ分析論理２３６は、オブジェクト１２２を含む取り込まれたコンテンツを受け取り（たとえば、コンテンツ取込み機構２１１、メモリ２２０、および／またはメモリ２３５から）、センサ１２４からオブジェクト１２２のオブジェクト・データを受け取り（たとえば、トランシーバ２３１、トランシーバＩ／Ｏインターフェース２３２、およびＥ／Ｄモジュール２３３を介して）、取り込まれたコンテンツ内のオブジェクト１２２の位置を識別する際の使用のための情報および取り込まれたコンテンツ内のオブジェクト１２２にタグ付けする際の使用のための情報を判定するために、受け取られた情報を処理する。コンテンツ分析論理２３６は、取り込まれたコンテンツ内のオブジェクト１２２にタグ付けする際に使用される情報をオーバーレイ作成論理２３７に供給するために、オーバーレイ作成論理２３７に結合される。
【０２５６】
オーバーレイ作成論理２３７は、取り込まれたコンテンツに自動的にタグ付けするように構成されている。オーバーレイ作成論理２３７は、（１）コンテンツ・タグを取り込まれたコンテンツ内のオブジェクト１２２に関連付けることと、（２）オブジェクト１２２に関連付けられたコンテンツ・タグへの情報構造の関連付けを介して取り込まれたコンテンツ内のオブジェクト１２２に情報構造を自動的に関連付けることとによって、取り込まれたコンテンツ内に含まれる所与のオブジェクト１２２について、取り込まれたコンテンツに自動的にタグ付けする。
【０２５７】
オーバーレイ作成論理２３７は、取り込まれたコンテンツ内のオブジェクト１２２へのタグ付けの際に使用される情報（たとえば、取り込まれたコンテンツ内のオブジェクト１２２の位置を示す情報、オブジェクト１２２の１つまたは複数の寸法を示す情報など、ならびにそのさまざまな組合せ）へのアクセスを有する。たとえば、オーバーレイ作成論理２３７は、コンテンツ分析論理２３６から情報を受け取ること、メモリ２３５から情報をセキュアに取り出すこと（たとえば、コンテンツ分析論理２３６が情報をメモリ２３５に格納する場合など）などを行うことができる。
【０２５８】
オーバーレイ作成論理２３７は、取り込まれたコンテンツへのアクセスおよび取り込まれたコンテンツ内のオブジェクト１２２に関連付けられた情報構造へのアクセスを有する。
【０２５９】
一実施形態では、たとえば、オーバーレイ作成論理２３７は、コンテンツ取込み機構２１１、メモリ２２０またはメモリ２３５などから取り込まれたコンテンツを受け取ることができる。
【０２６０】
一実施形態では、たとえば、オーバーレイ作成論理２３７は、たとえば、ローカル・ソース（たとえば、メモリ２２０、メモリ２３５などのうちの１つまたは複数）から、リモート・ソース（たとえば、ローカル・ネットワーク環境１４０および／またはリモート・ネットワーク環境１５０の１つまたは複数のデバイス）から、情報構造を入手することができる。情報構造を、コンテンツ取込みの前または取り込まれたコンテンツに自動的にタグ付けする処理中に、リモート・ソースから入手することができる。
【０２６１】
単一の情報構造だけが使用可能である一実施形態では、オーバーレイ作成論理２３７は、使用可能な情報構造を入手する。たとえば、情報構造が、すべてのタイプのオブジェクト（または、少なくとも、自動コンテンツ・タグ付けが実行されるか実行されると期待されるすべてのタイプのオブジェクト）のオブジェクト情報を格納する際の使用に適するテンプレートを提供する場合に、オーバーレイ作成論理２３７は、単純に、情報構造を入手する（すなわち、複数の使用可能な情報構造から適当な情報構造を識別するための追加処理を必要とせずに）。
【０２６２】
複数の情報構造が、オーバーレイ作成論理２３７による使用のために使用可能である一実施形態では、オーバーレイ作成論理２３７は、使用可能な情報構造のうちの１つを選択する。情報構造を、本明細書で説明するように、任意の適切な形で選択することができる。選択に使用可能な複数の情報構造が、情報構造タイプのさまざまな組合せ（たとえば、オブジェクト情報を投入されるテンプレート、少なくともいくつかのオブジェクト情報を用いて既に構成されている構造など）を含む可能性があるので、そのような実施形態のさまざまな組合せを使用できることを了解されたい。
【０２６３】
オーバーレイ作成論理２３７は、取り込まれたコンテンツ、取り込まれたコンテンツ内のオブジェクト１２２へのタグ付けに使用される情報、および情報構造を使用して、取り込まれたもの内のオブジェクト１２２にコンテンツ・タグを関連付け、コンテンツ・タグに情報構造を関連付けることによって、オブジェクト１２２に情報構造を関連付けて、これによってタグ付けされたコンテンツを形成する。
【０２６４】
オーバーレイ作成論理２３７は、任意の適切な形で、取り込まれたコンテンツ内のオブジェクト１２２にコンテンツ・タグを関連付けることができる。たとえば、オーバーレイ作成論理２３７は、取り込まれたコンテンツ内にコンテンツ・タグを埋め込むことができる。たとえば、オーバーレイ作成論理２３７は、タグ付けされたコンテンツがその後にユーザへの提示のために取り出される時に、取り込まれたコンテンツおよびコンテンツ・タグ・ファイルを組み合わせてタグ付けされたコンテンツを提示できるように、コンテンツ・タグ・ファイルを生成し、コンテンツ・タグ・ファイルを取り込まれたコンテンツに関連付けることができる。オーバーレイ作成論理２３７は、情報構造がコンテンツ・タグに関連付けられる前にまたはその後に、取り込まれたコンテンツ内のオブジェクト１２２にコンテンツ・タグを関連付けることができる。
【０２６５】
オーバーレイ作成論理２３７は、任意の適切な形で情報構造をコンテンツ・タグに関連付けることができる。たとえば、オーバーレイ作成論理２３７は、情報構造を取り込まれたコンテンツ内に埋め込むことができる。たとえば、オーバーレイ作成論理２３７は、関連するコンテンツ・タグが後にユーザによって選択される時に、情報構造ファイルを取り出すことができ、情報構造からのオブジェクト・データをユーザに提示できるように、情報構造ファイルを生成し、情報構造ファイルを取り込まれたコンテンツに関連付けることができる（たとえば、取り込まれたコンテンツに直接に、情報構造が関連付けられるコンテンツ・タグを介してなど）。オーバーレイ作成論理２３７は、コンテンツ・タグが取り込まれたコンテンツに埋め込まれる前またはその後に、情報構造をコンテンツ・タグに関連付けることができる。
【０２６６】
オーバーレイ作成論理２３７は、たとえば、オブジェクト１２２に関連付けられるように、取り込まれたコンテンツに関連するコンテンツ・タグを介して、オブジェクト１２２に情報構造を関連付けて、これによってタグ付けされたコンテンツを形成する。本明細書で説明するように、タグ付けされたコンテンツを形成するためにオブジェクト１２２に関連付けられる情報構造は、オブジェクト１２２に関連する任意の適切なオブジェクト情報を格納することができ、オブジェクト１２２のオブジェクト情報は、任意の適切な形で（たとえば、いつでも、任意の適切なフォーマットで、任意の適切な投入技法を使用してなど）情報構造内に格納することができる。
【０２６７】
オーバーレイ作成論理２３７は、タグ付けされたコンテンツの生成時に、タグ付けされたコンテンツを使用して１つまたは複数のアクションを実行することができる。
【０２６８】
オーバーレイ作成論理２３７は、コンテンツ取込みデバイス１１０でのタグ付けされたコンテンツの格納（たとえば、メモリ２３５、メモリ２２０、および／または任意の他の適切なメモリへの）をトリガすることができる。
【０２６９】
オーバーレイ作成論理２３７は、コンテンツ取込みデバイス１１０からのタグ付けされたコンテンツの送出をトリガすることができる。一実施形態では、たとえば、オーバーレイ作成論理２３７が、タグ付けされたコンテンツをＥ／Ｄモジュール２３３に供給し、Ｅ／Ｄモジュールが、タグ付けされたコンテンツを暗号化し、暗号化されたタグ付けされたコンテンツをトランシーバＩ／Ｏインターフェース２３２に供給し、トランシーバＩ／Ｏインターフェース２３２が、暗号化されたタグ付けされたコンテンツをトランシーバ２３１のうちの１つに供給し、トランシーバ２３１が、暗号化されたタグ付けされたコンテンツをリモート・デバイスに向かって（たとえば、ローカル・ネットワーク環境１４０および／またはリモート・ネットワーク環境１５０に向かって）伝搬させる。一実施形態では、たとえば、オーバーレイ作成論理は、タグ付けされたコンテンツが使用可能であることをプロセッサ２４０に知らせるためにプロセッサ２４０にシグナリングし、プロセッサ２４０は、これに応答して、メモリ２３５またはメモリ２２０からタグ付けされたコンテンツをセキュアに取り出し、タグ付けされたコンテンツをコンテンツ取込みデバイス１１０からの送出のためにトランシーバ２３１のうちの１つに供給することができる。タグ付けされたコンテンツを、コンテンツ取込みデバイス１１０から任意の他の適切な形で送出できることを了解されたい。
【０２７０】
オーバーレイ作成論理２３７は、コンテンツ取込みデバイス１１０のディスプレイ・インターフェースを介するタグ付けされたコンテンツのディスプレイをトリガすることができる。
【０２７１】
コンテンツ取込みデバイス１１０は、任意の適切な時に任意の適切な形で、タグ付けされたコンテンツに関する任意のそのようなアクション（たとえば、格納、送出、表示など、ならびにそのさまざまな組合せ）を実行するように構成されている。
【０２７２】
本明細書では、主に情報構造をオブジェクトに関連付ける（たとえば、関連するコンテンツ・タグのオーバーレイを介して）機構としてのオーバーレイの使用に関して図示され、説明されるが、本明細書で説明される関連付けを、任意の他の適切な形で提供することができる。この場合に、オーバーレイ作成論理２３７を、より一般的に、関連付け作成論理２３７と呼ぶことができる。
【０２７３】
プロセッサ２４０を、コンテンツ取込みモジュール２１０、メモリ２２０、およびコンテンツ・タグ付けモジュール２３０に結合することができる。プロセッサ２４０を、コンテンツ取込みモジュール２１０、メモリ２２０、およびコンテンツ・タグ付けモジュール２３０によって実行されるさまざまな機能（コンテンツ取込みモジュール２１０のコンテンツ取込み機構２１１によって実行されるコンテンツ取込みを含む）を制御するように構成することができる。プロセッサ２４０を、コンテンツ取込みデバイス１１０の他の要素に関して本明細書で図示され、説明されるさまざまな機能を実行するように構成することもできる。
【０２７４】
明瞭さのために省略されているが、コンテンツ取込みデバイス１１０が、デバイスのタイプに依存するものとすることができるさまざまな他のモジュールおよび／または機能を含み、かつ／またはサポートすることができることを了解されたい。
【０２７５】
たとえば、コンテンツ取込みデバイス１１０が、写真カメラである場合に、コンテンツ取込みデバイス１１０は、ビューファインダ、ディスプレイ・インターフェース、さまざまなカメラ・セッティングを調整するユーザ制御機構（たとえば、ボタン、タッチ・スクリーン能力など）フラッシュ能力、ビデオ録画能力など、ならびにそのさまざまな組合せなどの要素を含むことができる。カメラの通常の要素、能力、および動作は、当業者によって理解されるであろう。
【０２７６】
たとえば、コンテンツ取込みデバイス１１０がビデオ・カメラである場合に、コンテンツ取込みデバイス１１０は、ビューファインダ、ディスプレイ・インターフェース、さまざまなカメラ・セッティングを調整するユーザ制御機構（たとえば、ボタン、タッチ・スクリーン能力など）、静止写真能力など、ならびにそのさまざまな組合せなどの要素を含むことができる。ビデオ・カメラの通常の要素、能力、および動作は、当業者によって理解されるであろう。
【０２７７】
コンテンツ・タグ付けおよび管理能力と共に使用するのに適する他のタイプのデバイスの通常の能力および関連する動作は、当業者によって理解されるであろう。
【０２７８】
本明細書では主にコンテンツ取込みデバイス１１０がカメラである実施形態に関して図示され、説明されるが、本明細書で説明するように、コンテンツ取込みデバイス１１０を、図２のコンテンツ取込みデバイス１１０のさまざまな要素および／または機能の異なる構成をもたらすことができる任意の他の適切なユーザ・デバイスとすることができる。
【０２７９】
主に本明細書ではコンテンツ取込みデバイス１１０のさまざまな要素が特定の形で配置される実施形態に関して図示され、説明されるが、図２のコンテンツ取込みデバイス１１０のさまざまな要素を、コンテンツ・タグ付けおよび管理能力を提供するのに適する任意の他の形で配置できることを了解されたい。たとえば、さまざまな機能および能力がコンテンツ・タグ付けモジュール２３０内で提供される実施形態に関して図示され、説明されるが、コンテンツ・タグ付けモジュール２３０のさまざまな機能および能力を、任意の適切な形（たとえば、コンテンツ・タグ付けモジュール２３０内で異なる形で配置され、複数のモジュールにまたがって分散されなど、ならびにそのさまざまな組合せ）でコンテンツ取込みデバイス１１０内で実施できることを了解されたい。同様に、たとえば、さまざまな機能および能力がコンテンツ・タグ付け論理モジュール２３４内で提供される実施形態に関して図示され、説明されるが、コンテンツ・タグ付け論理モジュール２３４のさまざまな機能および能力を、任意の適切な形（たとえば、コンテンツ・タグ付け論理モジュール２３４内で異なる形で配置され、複数のモジュールにまたがって分散されなど、ならびにそのさまざまな組合せ）でコンテンツ取込みデバイス１１０で実施できることを了解されたい。
【０２８０】
主に取り込まれたコンテンツ内のオブジェクトへの情報構造の自動的な関連付けの関連付け処理がコンテンツ取込みデバイス１１０によって実行される実施形態に関して本明細書で図示され、説明されるが、他の実施形態では、関連付け処理の少なくとも一部を、１つまたは複数の他のデバイスによって実行することができる。そのような実施形態では、図２の例示的なコンテンツ取込みデバイス２００に関して図示され説明される機能要素および／または関連する機能の少なくとも一部を、そのような機能が実行されることを意図される１つまたは複数の他のデバイス（たとえば、コンピュータ１４２、１つまたは複数の付属デバイス１４３、リモート・ネットワーク環境１５０の１つまたは複数のネットワーク・デバイスなど、ならびにそのさまざまな組合せのうちの１つまたは複数）上で実施することができる。そのような実施形態では、機能要素のさまざまな機能を、任意の他の適切な形で１つまたは複数の他のデバイス上でまたはこれらにまたがって分散させることができることを了解されたい。
【０２８１】
図３に、タグ付けされたコンテンツを作成するプロセスの例示的実施形態を示す。
【０２８２】
図３に示されているように、プロセス３００は、センサを関連付けられたオブジェクトを含むコンテンツの取込みと、取り込まれたコンテンツ内に示されたオブジェクトに情報構造を関連付けるためにコンテンツ・タグを用いて取り込まれたコンテンツに自動的にタグ付けすることとを示す。
【０２８３】
図３に示されているように、ある人が、カメラ３１０を使用して、彼の居間に座っている友人の写真を撮影する。カメラ３１０の視野は、居間のほとんどを含み、この居間は、とりわけ、長椅子、テレビジョンおよび他のエレクトロニクス機器、コーヒー・テーブル、コーヒー・テーブル上の項目、およびさまざまな他のオブジェクトを含むさまざまな物理オブジェクトを含む。図３では、カメラ３１０の視野内の物理オブジェクトのうちの２つが、それぞれのセンサを関連付けられている。すなわち、テレビジョン（オブジェクト３２２１と表される）は、第１のセンサ３２４１が取り付けられ、コーヒー・テーブル上のソーダ缶（オブジェクト３２２２と表される）は、第２のセンサ３２４２が埋め込まれている。カメラ３１０の視野は、コンテンツ・オブジェクト３２２３（すなわち、テレビジョン上で現在再生されている映画）をも含む。オブジェクト３２２１〜３２２３を、集合的にオブジェクト３２２と呼ぶことができ、同様に、センサ３２４１〜３２４２を、集合的にセンサ３２４と呼ぶことができる。
【０２８４】
カメラ３１０は、写真が撮影される時に、取り込まれたコンテンツと表されるイメージを生成し、取り込まれたコンテンツをタグ付けされたコンテンツ３６０に変換する処理を実行する。取り込まれたコンテンツ、したがってタグ付けされたコンテンツ３６０は、テレビジョンおよびソーダ缶を含むカメラ３１０の視野内のさまざまなオブジェクトを含む。
【０２８５】
カメラ３１０は、写真が撮影される時に、テレビジョンおよびソーダ缶に関連するセンサ３２４を検出する。カメラ３１０は、センサ３２４からオブジェクト・データを受け取る。カメラ３１０は、取り込まれたコンテンツ内のオブジェクト３２２の位置を判定する。カメラ３１０は、取り込まれたコンテンツ内のオブジェクト３２２の位置を使用して、コンテンツ・タグ３６１１および３６１２を、それぞれ取り込まれたコンテンツ内のオブジェクト３２２１および３２２２に関連付ける。カメラ３１０は、センサ３２４からのオブジェクト・データを使用して、情報構造３６２１および３６２２の対をそれぞれコンテンツ・タグ３６１１および３６１２に関連付ける。コンテンツ・タグ３６１１および３６１２に関連付けられた情報構造３６２１および３６２２は、それぞれテレビジョンのモデルおよびソーダのブランドに関する情報をセキュアに格納し、これによって、その後にこの写真を見る人が関連するコンテンツ・タグ３６１１および３６１２を介して情報構造３６２１および３６２２の情報にアクセスすることを可能にする。
【０２８６】
カメラ３１０は、写真が撮影される時に、写真が撮影される時にテレビジョンで再生されつつあるテレビジョン番組に関する情報を取り込むためにもコンテンツ取込みを実行する。たとえば、カメラ３１０は、テレビジョン番組の１つまたは複数のビデオ・フレームを取り込むためにビデオ取込み機構を使用することができ、このビデオ・フレームを、その後に、写真が撮影される時にテレビジョンで再生されつつあるテレビジョン番組を識別するのに使用することができる。この意味で、テレビジョン番組は、コンテンツ・オブジェクト（オブジェクト３２２３として表される）である。カメラ３１０は、取り込まれたコンテンツ内のコンテンツ・オブジェクト３２２３の位置を判定する。カメラ３１０は、取り込まれたオブジェクト内のコンテンツ・オブジェクト３２２３の位置を使用して、コンテンツ・タグ３６１３を取り込まれたコンテンツ内のコンテンツ・オブジェクト３２２３に関連付ける。カメラ３１０は、コンテンツ・オブジェクト３２２３に関連するオブジェクト・データ（たとえば、取り込まれたビデオ自体、テレビジョン番組に関連する情報など、ならびにそのさまざまな組合せ）を使用して、それぞれ情報構造３６２３をコンテンツ・タグ３６１３に関連付ける。コンテンツ・タグ３６１３に関連する情報構造３６２３は、テレビジョン番組に関する情報をセキュアに格納し、これによって、その後にこの写真を見る人が、関連するコンテンツ・タグ３６１３を介して情報構造３６２３の情報にアクセスすることを可能にする。
【０２８７】
その結果は、上で説明したように、その中にコンテンツ・タグ３６１を埋め込まれ、コンテンツ・タグ３６２との情報構造３６２関連付けを有するタグ付けされたコンテンツ３６０である。本明細書で説明するように、タグ付けされたコンテンツ３６０を、さらに、任意の適切な形でカメラ３１０によって処理することができる（たとえば、格納、送出、表示など）。
【０２８８】
図４に、図３のタグ付けされたコンテンツにアクセスするプロセスの例示的実施形態を示す。
【０２８９】
図４に示されているように、プロセス４００は、ユーザによるタグ付けされたコンテンツのアクセスを示し、タグ付けされたコンテンツは、ユーザがオンラインであることの判定に応答してユーザによってアクセスされ、タグ付けされたコンテンツに関連する情報構造からの情報は、ユーザが情報構造からの情報にアクセスすることを許可されることの判定に応答してユーザによってアクセスされる。プロセス４００は、ユーザ・デバイス４１０とＣＭＳ１５５との間の相互作用を含む複数のステップ（すなわち、１から７までの番号を付けられた）からなる。
【０２９０】
図４に示されているように、ユーザ・デバイス４１０は、その上に表示される（たとえば、ユーザ・デバイス４１０のディスプレイ・インターフェースを介して）複数のタグ付けされたコンテンツ項目３６０１〜３６０Ｎ（集合的に、タグ付けされたコンテンツ３６０）を有する。タグ付けされたコンテンツ項目３６０は、任意の適切なユーザ制御インターフェース（たとえば、キーボード、マウス、タッチ・スクリーンなど）を介するユーザによる選択のために使用可能である。
【０２９１】
ステップ４０１では、タグ付けされたコンテンツ項目３６０２が、ユーザ制御インターフェースを介してユーザによって選択される。タグ付けされたコンテンツ項目３６０２は、図３に関して図示され、説明されたタグ付けされたコンテンツ３６０と同一である。一実施形態では、タグ付けされたコンテンツにアクセスするために、ユーザは、オンラインでなければならない。
【０２９２】
ステップ４０２では、ＣＭＳ１５５が、ユーザがタグ付けされたコンテンツ項目３６０２へのアクセスを許可されるか否か、たとえば、ユーザが正しい許可レベルを有するか否かを判定することによって、ユーザがタグ付けされたコンテンツ項目３６０２にアクセスできるか否かを判定する。
【０２９３】
ステップ４０２Ａでは、ユーザ・デバイス４１０が、コンテンツ要求をＣＭＳ１５５に送り、ユーザによるタグ付けされたコンテンツ項目３６０２の選択に応答して、タグ付けされたコンテンツ項目３６０２へのアクセスを要求する。
【０２９４】
ＣＭＳ１５５は、コンテンツ要求をユーザ・デバイス４１０から受け取り、ユーザがタグ付けされたコンテンツ項目３６０２へのアクセスを許可されるか否かを判定する。この例では、ユーザがタグ付けされたコンテンツ項目３６０２へのアクセスを許可されると仮定する。
【０２９５】
ステップ４０２Ｂでは、ＣＭＳ１５５が、コンテンツ応答をユーザ・デバイス４１０に送出し、ユーザ・デバイス４１０がユーザのためにタグ付けされたコンテンツ項目３６０２を表示できるかどうかに関する指示を提供する。この例では、ユーザは、タグ付けされたコンテンツ項目３６０２へのアクセスを許可されるので、コンテンツ応答は、ユーザ・デバイス４１０が、ユーザのためにタグ付けされたコンテンツ項目３６０２を表示できることを示す。
【０２９６】
ステップ４０３では、コンテンツ要求が認可され、ユーザ・デバイス４１０は、ユーザにタグ付けされたコンテンツ項目３６０２を表示する。図３および４に示され、図３に関して説明したように、タグ付けされたコンテンツ項目３６０２は、３つの埋め込まれたコンテンツ・タグ３６１１、３６１２、および３６１３を含み、これらは、それぞれテレビジョン、ソーダ缶、およびテレビジョン番組に関連付けられている。
【０２９７】
ステップ４０４では、タグ付けされたコンテンツ項目３６０２の埋め込まれたコンテンツ・タグ３６１２が、ユーザ制御インターフェースを介してユーザによって選択される。一実施形態では、タグ付けされたコンテンツ項目の埋め込まれたコンテンツ・タグに関連付けられた情報にアクセスするために、ユーザは、正しい許可レベルを有しなければならない。
【０２９８】
ステップ４０５では、ＣＭＳ１５５が、ユーザがタグ付けされたコンテンツ項目３６０２の埋め込まれたコンテンツ・タグ３６１２に関連する情報へのアクセスを許可されるか否か、たとえば、ユーザが正しい許可レベルを有するか否かを判定することによって、ユーザがその情報にアクセスできるか否かを判定する。
【０２９９】
ステップ４０５Ａでは、ユーザ・デバイス４１０が、ユーザによるタグ付けされたコンテンツ項目３６０２の埋め込まれたコンテンツ・タグ３６１２の選択に応答して、ＣＭＳ１５５に許可要求を送出し、タグ付けされたコンテンツ項目３６０２の埋め込まれたコンテンツ・タグ３６１２へのアクセスを要求する。
【０３００】
ＣＭＳ１５５は、ユーザ・デバイス４１０から許可要求を受け取り、ユーザが正しい許可レベルを有するか否かを判定する。この例では、ユーザ・デバイス４１０が、タグ付けされたコンテンツ項目３６０２の埋め込まれたコンテンツ・タグ３６１２の情報のすべてにアクセスすることを許可されると仮定する。
【０３０１】
ステップ４０５Ｂでは、ＣＭＳ１５５が、ユーザ・デバイス４１０に許可応答を送り、ユーザ・デバイス４１０がユーザのためにタグ付けされたコンテンツ項目３６０２を表示できるかどうかに関する指示を提供する。この例では、ユーザは、タグ付けされたコンテンツ項目３６０２の埋め込まれたコンテンツ・タグ３６１２の情報のすべてへのアクセスを許可され、許可応答は、ユーザ・デバイス４１０がユーザのためにタグ付けされたコンテンツ項目３６０２の埋め込まれたコンテンツ・タグ３６１２に関連する情報を表示できることを示す。
【０３０２】
ステップ４０６では、許可要求が認可され、ユーザ・デバイス４１０は、タグ付けされたコンテンツ項目３６０２の埋め込まれたコンテンツ・タグ３６１２に関連する情報をユーザに表示する。図３および４に示され、図３に関して説明したように、タグ付けされたコンテンツ項目３６０２の埋め込まれたコンテンツ・タグ３６１２は、ユーザに表示される、ソーダ缶に関連する情報を含む。タグ付けされたコンテンツ項目３６０２の埋め込まれたコンテンツ・タグ３６１２に関連する情報を、任意の適切な形で（たとえば、既存ウィンドウを使用して、オーバーレイとして、ポップアップとして、新しいウィンドウを使用してなど、ならびにそのさまざまな組合せ）ユーザに表示することができる。
【０３０３】
ステップ４０７では、コンテンツ・パフォーマンス追跡情報を、タグ付けされたコンテンツ項目３６０２のパフォーマンスを追跡する際のＣＭＳ１５５による使用のために、ユーザ・デバイス４１０からＣＭＳ１５５に送出する。
【０３０４】
図５に、取り込まれたコンテンツ内に含まれるオブジェクトに情報構造を自動的に関連付ける方法の一実施形態を示す。図５の方法５００は、任意の適切なデバイス、たとえばコンテンツ取込みデバイス、ユーザ・デバイス、ネットワーク・デバイスなどによって実行することができる。
【０３０５】
ステップ５０２で、方法５００は開始される。
【０３０６】
ステップ５０４では、コンテンツを受け取り、コンテンツは、オブジェクトを含む。コンテンツは、テキスト、オーディオ、ビデオなど、ならびにそのさまざまな組合せなど、取り込むことのできる任意のコンテンツを含むことができる。コンテンツを、たとえば、コンテンツ取込みデバイスで、他の適切なデバイスのコンテンツ取込みデバイスからユーザ・デバイス（たとえば、ホーム・ネットワークの）で、コンテンツ取込みデバイス、ユーザ・デバイス、または他の適切なデバイスからネットワーク・デバイスで、コンテンツ取込みアクション中に受け取ることができる。
【０３０７】
ステップ５０６では、タグ付けされたコンテンツを形成するために、取り込まれたコンテンツ内に含まれるオブジェクトに情報構造を自動的に関連付ける。
【０３０８】
ステップ５０８で、方法５００は終了する。
【０３０９】
図６に、コンテンツ取込みデバイスで取り込まれたコンテンツ内に含まれるオブジェクトに情報構造を自動的に関連付ける方法の一実施形態を示す。図６の方法６００は、コンテンツ取込みデバイスによって実行される。
【０３１０】
ステップ６０２で、方法６００が開始される。
【０３１１】
ステップ６０４では、コンテンツを取り込み、取り込まれたコンテンツは、オブジェクトを含む。コンテンツは、テキスト、オーディオ、ビデオなど、ならびにそのさまざまな組合せなど、取り込むことのできる任意のコンテンツを含むことができる。コンテンツを、コンテンツ取込みデバイスで、コンテンツ取込みアクション中に取り込むことができる。
【０３１２】
ステップ６０６では、オブジェクトに関連するセンサが検出される時に、オブジェクトに関連するオブジェクト・データを受け取る。センサの検出は、コンテンツ取込みデバイスが、オブジェクトに関連するオブジェクト・データを入手する（ローカルにおよび／またはリモートに）（たとえば、センサから、オブジェクトおよび／またはセンサの識別に基づいてコンテンツ取込みデバイスから、オブジェクトおよび／もしくはセンサの識別に基づいてならびに／またはセンサから受け取られる情報に基づいてネットワーク・デバイスから、ならびにそのさまざまな組合せから）ことを可能にする。オブジェクト・データを、情報構造とは独立とするか、情報構造内に含めることができる。
【０３１３】
ステップ６０８では、タグ付けされたコンテンツを自動的に形成するために、取り込まれたコンテンツ内に含まれるオブジェクトに情報構造を関連付ける。
【０３１４】
ステップ６１０で、方法６００は終了する。
【０３１５】
図７に、コンテンツ取込みデバイスによるコンテンツ取込み中にセンサによって使用される方法の一実施形態を示す。
【０３１６】
ステップ７０２で、方法７００が開始される。
【０３１７】
ステップ７０４では、オブジェクトに関連するオブジェクト・データをセンサに格納する。オブジェクト・データを、センサへの格納のためにスキャナから受け取ることができる。オブジェクト・データを、センサのタイプに依存するものとすることができる任意の適切なフォーマットでセンサによって格納することができる。オブジェクト・データは、任意の適切なユーザ（１人または複数）を含むことができる認可されたユーザだけがアクセス可能になるように（たとえば、すべてのユーザから公に使用可能、ユーザの大きいグループから使用可能であるが公に使用可能ではない、ユーザの小さいグループのみから使用可能など）、セキュアに格納される。本明細書で説明するように、オブジェクト・データは、オブジェクトに関連するオブジェクト情報、オブジェクトに関連するオブジェクト・データを取り出す際の使用に適合されたオブジェクト・データなど、ならびにそのさまざまな組合せを含むことができる。
【０３１８】
ステップ７０６では、オブジェクト・データを、コンテンツ取込みデバイスによるコンテンツ取込み動作と同時にコンテンツ取込みデバイスに向けてセンサから通信する。オブジェクト・データが伝搬される形を、センサのタイプに依存するものとすることができることを了解されたい。たとえば、受動センサの場合に、オブジェクト・データの通信を、コンテンツ取込みデバイスによる（たとえば、コンテンツ取込み機構および／または通信インターフェースによる）オブジェクト・データの受動読取りによるものとすることができる。たとえば、能動センサの場合に、オブジェクト・データの通信を、コンテンツ取込みデバイスへのオブジェクト・データの能動伝搬（たとえば、センサの通信インターフェースによる）によるものとすることができる。
【０３１９】
ステップ７０８で、方法７００は終了する。
【０３２０】
図８に、コンテンツ取込みデバイスによるコンテンツ取込み中に使用されるセンサを構成するためにセンサ・スキャナによって使用されるための方法の一実施形態を示す。
【０３２１】
ステップ８０２で、方法８００が開始される。
【０３２２】
ステップ８０４では、オブジェクトに関連するオブジェクト・データをセンサ・スキャナで受け取る（たとえば、センサ・スキャナへの有線および／またはワイヤレスの接続を介して、任意の適切なデバイス（１つまたは複数）から）。
【０３２３】
ステップ８０６では、オブジェクトに関連するオブジェクト・データをセンサ・スキャナで格納する。
【０３２４】
ステップ８０８では、オブジェクトに関連するオブジェクト・データをセンサ・スキャナからオブジェクトに関連するセンサに向かって伝搬させる。
【０３２５】
ステップ８１０で、方法８００は終了する。
【０３２６】
主にオブジェクト情報が受け取られ、格納され、送出される実施形態に関して図示され、説明されるが、方法８００の他の実施形態が、これらのステップのサブセット（たとえば、オブジェクト・データの受取および格納、オブジェクト・データの格納および伝搬など）を含むことができることを了解されたい。
【０３２７】
図９に、コンテンツ管理システムがコンテンツ・タグ付けおよび管理能力のさまざまな機能を提供することを可能にする方法の一実施形態を示す。
【０３２８】
ステップ９０２で、方法９００が開始される。
【０３２９】
ステップ９０４では、コンテンツ・タグ付けおよび管理能力のさまざまな態様に参加する可能性があるさまざまな当事者、エンティティ、デバイスなどの登録を可能にするために、登録プロセスを実行する。
【０３３０】
ステップ９０６では、コンテンツ・タグ付けおよびタグ付けされたコンテンツの管理プロセスを実行する。これは、タグ付けされたコンテンツの生成に関係するさまざまな特徴およびタグ付けされたコンテンツの処理に関係する特徴の管理を可能にする。
【０３３１】
ステップ９０８では、タグ付けされたコンテンツの配信管理プロセスを実行する。
【０３３２】
ステップ９１０では、タグ付けされたコンテンツの広告管理プロセスを実行する。
【０３３３】
ステップ９１２で、方法９００は終了する。
【０３３４】
方法９００のステップのそれぞれを、示された機能（１つまたは複数）を提供するための１つまたは複数の関連するステップを有するそれ自体の方法（１つまたは複数）／アルゴリズム（１つまたは複数）として実施できることを了解されたい。そのような方法／アルゴリズムのステップを、ＣＭＳ１５５の説明ならびに本明細書で図示され説明される図１０〜１３のさまざまな部分を参照することによって、よりよく理解することができる。
【０３３５】
図１０に、ユーザがタグ付けされたコンテンツを生成することを可能にするためにコンテンツ管理システムがユーザを登録することを可能にする方法の一実施形態を示す。
【０３３６】
ステップ１００２で、方法１０００が開始される。
【０３３７】
ステップ１００４では、コンテンツ管理システムが、ユーザをコンテンツ管理システムに登録するユーザ登録要求を受け取る。ユーザ登録要求は、任意の適切なユーザ登録情報（たとえば、名前、アドレス、ログイン／パスワードなど）を含むことができる。
【０３３８】
ステップ１００６では、コンテンツ管理システムが、ユーザ登録要求に応答してユーザのユーザ・アカウントを作成する。コンテンツ管理システムは、ユーザ登録情報をユーザ・アカウントに関連付ける。ユーザ・アカウントを、さまざまな管理機能をユーザによっておよび／またはユーザの代わりに実行することを可能にするのに使用することができる。たとえば、ユーザは、ユーザがセンサおよびその情報を制御する場合にセンサにアクセスし、センサの許可を管理すること、ユーザによって生成され／所有されるタグ付けされたコンテンツにアクセスし、そのコンテンツに関連する許可を管理することなど、ならびにそのさまざまな組合せを行うことができる。たとえば、ユーザは、彼または彼女が彼または彼女のタグ付けされたコンテンツのパフォーマンスに対して受け取ったクレジットがどれほどであるのかを見るために彼または彼女の報酬アカウントにアクセスすることができる。ユーザは、確立されたユーザ・アカウントを介してさまざまな他の態様を管理することができる。
【０３３９】
ステップ１００８では、コンテンツ管理システムが、オブジェクト／センサ、スキャナ、またはユーザのコンテンツ取込みデバイスを登録する登録要求（１つまたは複数）を受け取り、登録要求（１つまたは複数）は、登録されるオブジェクト／センサ、スキャナ、またはコンテンツ取込みデバイスの登録情報を含む。
【０３４０】
ステップ１０１０では、コンテンツ管理システムが、登録要求（１つまたは複数）の登録情報をユーザのユーザ・アカウントに関連付ける。
【０３４１】
ユーザ・デバイス登録要求を、ユーザのオブジェクト／センサを登録する要求とすることができる（たとえば、ユーザが新しい製品を購入したばかりであり、その製品を含むコンテンツを取り込むことができるコンテンツ取込みデバイスの一部またはすべてによってその製品を取り込めるように、その製品についてセンサをアクティブ化することを望む場合など）。ユーザ・アカウントとのオブジェクト／センサの関連付けは、ユーザが、オブジェクト／センサに関連する情報、オブジェクト／センサの許可レベルなど、ならびにそのさまざまな組合せを管理することを可能にする。
【０３４２】
ユーザ・デバイス登録要求を、ユーザのセンサ・スキャナを登録する要求とすることができる。ユーザ・アカウントへのセンサ・スキャナの関連付けは、ユーザが、センサ・スキャナがインターフェースできるセンサの集合の管理など、センサ・スキャナに関連する許可を管理することを可能にする。
【０３４３】
ユーザ・デバイス登録要求を、ユーザのコンテンツ取込みデバイスを登録する要求とすることができる。ユーザ・アカウントへのユーザのコンテンツ取込みデバイスの関連付けは、ユーザが、コンテンツ取込みデバイスのさまざまなセッティングの制御、コンテンツ取込みデバイス上に格納されるか他の形でコンテンツ取込みデバイスから使用可能な情報構造（１つまたは複数）の管理など、ならびにそのさまざまな組合せなど、自動コンテンツ・タグ付けのさまざまな態様を管理することを可能にする。
【０３４４】
ユーザが、彼または彼女が制御しつつあるオブジェクトと制御されるオブジェクトを含むコンテンツ（自動的にタグ付けされる）を取り込むコンテンツ取込みデバイスとの両方を有する場合など、そのようなデバイス登録要求の組合せが、同一のユーザから受け取られる場合があることを了解されたい。
【０３４５】
デバイス登録要求のこれらのタイプのそれぞれについて、ユーザが単一の集中化された位置からコンテンツ・タグ付けおよび／またはタグ付けされたコンテンツのすべての態様を管理できるように、登録されるデバイスをユーザのユーザ・アカウントに関連付けることができることを了解されたい。
【０３４６】
ステップ１０１２で、方法１０００は終了する。
【０３４７】
図１１に、コンテンツ管理システムが自動コンテンツ・タグ付けに関連するオブジェクト情報の要求を処理することを可能にする方法の一実施形態を示す。
【０３４８】
ステップ１１０２で、方法１１００が開始される。
【０３４９】
ステップ１１０４では、オブジェクトに関連するオブジェクト情報の要求を受け取る。この要求は、取り込まれたコンテンツが取り込まれたコンテンツ内のオブジェクトに関連するオブジェクト情報を含む情報構造を用いてタグ付けされるプロセスの一部として受け取られる。この要求は、ユーザに関連し、このユーザは、ユーザ・デバイス（たとえば、取り込まれたコンテンツに自動的にタグ付けするコンテンツ取込みデバイス、取り込まれたコンテンツに自動的にタグ付けしつつあるユーザのコンピュータ、または任意の他の適切なデバイス）を関連付けられる。
【０３５０】
ステップ１１０６では、ユーザが、オブジェクトに関連するオブジェクト情報の少なくとも一部にアクセスすることを許可されるかどうかに関する判定を行う。ユーザが、オブジェクトに関連するオブジェクト情報の少なくとも一部にアクセスすることを許可されない場合には、方法１１００は、ステップ１１１０に進み、ここで方法１１００は終了する。ユーザが、オブジェクトに関連するオブジェクト情報の少なくとも一部にアクセスすることを許可される場合には、方法１１００は、ステップ１１０８に進む。
【０３５１】
ステップ１１０８では、オブジェクトに関連するオブジェクト情報の少なくとも一部を、ユーザのユーザ・デバイスに向かって伝搬させる。ステップ１１０８から、方法１１００は、ステップ１１１０に進み、ここで方法１１００は終了する。
【０３５２】
ステップ１１１０では、方法１１００が終了する（上で示したように）。
【０３５３】
図１２に、コンテンツ管理システムがタグ付けされたコンテンツをそれによって管理する方法の一実施形態を示す。
【０３５４】
ステップ１２０２で、方法１２００が開始される。
【０３５５】
ステップ１２０４では、タグ付けされたコンテンツの特性を変更する要求を受け取る。特性は、変更することのできる、タグ付けされたコンテンツの任意の特性とすることができる。たとえば、特性を、タグ付けされたコンテンツに関連する許可レベル（たとえば、タグ付けされたコンテンツの許可レベル、タグ付けされたコンテンツの１つまたは複数のコンテンツ・タグの許可レベルなど）とすることができる。たとえば、特性を、タグ付けされたコンテンツに関連する満了日付／時刻とすることができる。
【０３５６】
ステップ１２０６では、タグ付けされたコンテンツに関連する特性を、その特性を変更する要求内で示された特性に基づいて変更する。
【０３５７】
ステップ１２０８で、方法１２００は終了する。
【０３５８】
図１３に、コンテンツ管理システムが埋め込まれたオブジェクト情報の要求を処理することを可能にする方法の一実施形態を示す。
【０３５９】
ステップ１３０２で、方法１３００が開始される。
【０３６０】
ステップ１３０４では、タグ付けされたコンテンツ項目のコンテンツ・タグの選択を示す要求を受け取る。コンテンツ・タグの選択は、ユーザ・デバイスを有するユーザに関連する。コンテンツ・タグは、情報構造を関連付けられている。
【０３６１】
ステップ１３０６では、ユーザが、選択されたコンテンツ・タグに関連する情報構造の少なくとも一部へのアクセスを許可されるかどうかに関する判定を行う。ユーザが、選択されたコンテンツ・タグに関連する情報構造の少なくとも一部へのアクセスを許可されない場合には、方法１３００はステップ１３１０に進み、ここで方法１３００は終了する。ユーザが、選択されたコンテンツ・タグに関連する情報構造の少なくとも一部へのアクセスを許可される場合には、方法１３００はステップ１３０８に進む。
【０３６２】
ステップ１３０８では、ユーザが選択されたコンテンツ・タグに関連する情報構造の少なくとも一部へのアクセスを許可されることを示す応答を、ユーザ・デバイスに向かって伝搬させる。
【０３６３】
たとえば、選択されたコンテンツ・タグに関連する情報構造が、ユーザ・デバイス上で使用可能である一実施形態では、コンテンツ管理システムは、ユーザ・デバイスが情報構造を暗号化解除でき、オブジェクト情報をユーザ・デバイスを介して提示できるように、ユーザ・デバイスに暗号化／暗号化解除鍵を供給することができる。
【０３６４】
たとえば、情報構造がコンテンツ管理システムに格納される一実施形態では、コンテンツ管理システムは、ユーザ・デバイスが情報構造からオブジェクト情報を抽出し、オブジェクト情報をユーザ・デバイスを介して提示できるようにするために、ユーザ・デバイスに情報構造を供給する。
【０３６５】
そのような実施形態では、情報（たとえば、暗号化／暗号化解除鍵、情報構造など）を、応答の一部としてまたは応答とは別々にユーザ・デバイスに供給することができる。
【０３６６】
ステップ１３０８からは、方法１３００はステップ１３１０に進み、ここで方法１３００は終了する。
【０３６７】
ステップ１３１０で、方法１３００は終了する（上で示したように）。
【０３６８】
本明細書で説明するように、コンテンツ・タグ付けおよび管理能力は、さまざまなビジネス・モデルをサポートすること、さまざまな利益を提供することなどを行う。
【０３６９】
コンテンツ・タグ付けおよび管理能力は、１つまたは複数の既存のビジネス・モデルを増強し、かつ／または１つまたは複数の新しいビジネス・モデルを可能にする。本明細書で説明されるさまざま実施形態では、広告は、会社によって生成された関連するコンテンツと結合され、おそらくは会社によって生成された通常の広告キャンペーンより高い、会社にとっての価値を有するピア生成されたコンテンツと共に、ローカルになる。
【０３７０】
たとえば、ユーザ生成されたコンテンツは、人々が、製品のプロバイダによる広告キャンペーンに基づくのではなく彼らのピア（たとえば、家族、友人、同僚など）からの推奨または影響に基づいて製品を購入する可能性が高いので、より高い価値を有する可能性がある。
【０３７１】
一例として、ユーザが、新しいテレビジョンを購入したばかりであり、あるショーを新しいテレビジョンで見るために呼ぶべき友人を有すると仮定する。このユーザは、テレビジョンを見ている彼または彼女の友人の写真を撮影し、テレビジョンが、その写真に現れる。このテレビジョンは、その中にセンサを埋め込まれている。このセンサは、ユーザが写真を撮影する時に検出され、その写真は、テレビジョンに関連するタグを用いて自動的にタグ付けされる。その後、このユーザは、その写真をそこに居た友人ならびに他の友人に送る。この写真を受け取った友人のいずれかが、この新しいテレビジョンについてさらに知ることを望む場合に、その友人は、単純に写真内の埋め込まれたタグをクリックすることができ、その後、そのテレビジョンに関する情報が、その友人に使用可能にされる（たとえば、テレビジョンの仕様、テレビジョンをどこで購入できるかなど、テレビジョンの製造業者によって提供される情報）。言い替えると、埋め込まれたタグを含む写真が、テレビジョンを購入するようにそのユーザの友人に影響するよりよい機会がある（たとえば、写真がタグを含まない場合、よりよい）。
【０３７２】
たとえば、人気を得るユーザ生成されたコンテンツが、製品のプロバイダがその製品に関する情報を有する多数のユーザに達することを可能にすると同時に、高価な広告キャンペーンに支払うのではなくコンテンツを生成したユーザに報酬を与えるのみであることを可能にするので、ユーザ生成されたコンテンツは、より高い価値を有する可能性がある。本明細書で説明するように、ユーザは、他のユーザによるレビューのためにコンテンツ項目をポストする（たとえば、ユーザは、コンテンツ・タグ付けおよび管理能力を使用して作成された埋め込まれたコンテンツ・タグを含む写真またはビデオをポストする）。ユーザが、コンテンツ項目を見る時に、１つまたは複数の当事者に、コンテンツ項目のレビューに基づいて、コンテンツ項目に自動的にタグ付けされた情報のレビューに基づいてなど、ならびにそのさまざまな組合せで、報酬を与えることができる。報酬を、任意の適切な統計（たとえば、ビューの回数、ユニーク・ビューの回数など）に基づくものとすることができる。この意味で、コンテンツ項目内の製品が生成するビューが多ければ多いほど、より多くの報酬が与えられる。報酬を、任意の適切な１つまたは複数の当事者（たとえば、埋め込まれたタグを含むコンテンツ項目を作成したユーザ、コンテンツ項目をポストしたユーザ、要求に応答してコンテンツ項目をホスティングしかつ／または伝搬させるサービス・プロバイダなど、ならびにそのさまざまな組合せ）に与えることができる。報酬を、任意の適切な当事者（たとえば、報酬が与えられるオブジェクト１２２のプロバイダ）によって与えることができる。報酬を、任意の適切な形で与えることができる（たとえば、口座に預金される金、報酬が与えられるオブジェクト１２２のプロバイダからユーザが製品を購入することを可能にする電子クーポンおよび／またはクレジット、報酬が与えられるオブジェクト１２２のプロバイダの店以外の店に対する電子クーポンおよび／またはクレジットなど、ならびにそのさまざまな組合せ）。報酬を、任意の適切な形で管理することができる（たとえば、フェデレーテッド・エージェンシ１５３４などのフェデレーテッド・システムを使用して、１つまたは複数のサード・パーティによってなど）。
【０３７３】
一例として、さらに、ユーザが新しいテレビジョンを購入したばかりであり、あるショーを新しいテレビジョンで見るために呼ぶべき友人を有すると仮定する。さらに、テレビジョンを含む写真のうちの１つが、その中にある他の興味深い物を有し、ユーザが、その写真をオンラインにポストすると仮定する。この写真は、人気を集めるようになり始め、ますます多くのユーザが、その写真を見始める。ユーザが写真を見る時に、ユーザの一部が、テレビジョン・セットに関連する埋め込まれたタグをクリックする場合がある。埋め込まれたタグが選択される回数の統計を追跡することができ、写真を撮影したユーザに、埋め込まれたタグが選択された回数に基づいて報酬を与えることができる。たとえば、ユーザに、ユーザがユーザ・アカウントを維持するフェデレーツ・システムを介して報酬を与えることができ、このユーザ・アカウントには、その写真が関連付けられ、テレビジョンの製造業者が、埋め込まれたタグが選択される回数に基づいてフェデレーテッド・システム上のユーザのアカウントに貸方記入することができる。
【０３７４】
本明細書で図示され、説明されるコンテンツ・タグ付けおよび管理能力の多くの利益を、いくつかの例示的なユース・ケース・シナリオを参照することによってさらに理解することができる。
【０３７５】
第１の例では、今日が子供の誕生日であると仮定する。子供の両親は、誕生日パーティで家族および友人と共に子供の写真を撮影する。写真のうちの１枚の背景に、テレビジョンが明らかに見られる。カメラは、テレビジョンに関連するタグを用いてその写真に自動的にタグ付けする。このタグは、テレビジョンに関する情報を含む。このタグは、写真が撮影された時にテレビジョンに表示されていたテレビジョン・ショーの詳細（たとえば、テレビジョン・ショーに関する詳細、タイムスタンプ、テレビジョン・ショーのウェブサイトへのリンクなど、ならびにそのさまざまな組合せ）をも含む。ユーザ（たとえば、パーティに参加していた人、パーティには参加しなかったがパーティで何が行われたのかを知りたがっている人など）は、その後に写真を見ている間に、テレビジョンに関連する情報（たとえば、テレビジョンに関する情報、テレビジョン・ショーの詳細など）にアクセスするために写真内のテレビジョン上のタグをクリックすることができる。この形で、ユーザは、写真が撮影された時に起こっていたことを見つけることができる。同様に、数年後に、子供が、その日に起こっていたことの細かい詳細に関する経験を再び体験することができる。同様に、さまざまな他の詳細に、撮影される他の写真および／またはビデオ内で自動的にタグ付けすることができる。たとえば、その日に子供に与えられた贈り物の詳細に、その日に撮影されるさまざまな写真および／またはビデオ内で自動的タグ付けすることができる。これらのタグは、贈り物の詳述および任意の他の適切な情報など、贈り物に関連する任意の情報を含むことができる。タグを、これらの種類の玩具の経時的な発展、競合会社から入手可能な玩具の詳細など、ならびにそのさまざまな組合せをユーザがブラウズすることを可能にするように適合させることもできる。同様に、さまざまな他のオブジェクトに、関連するオブジェクト情報（たとえば、パーティで使用されたソーダのブランド、パーティで子供が着ていた衣類のブランドなど）にアクセスするために写真内でタグ付けすることができる。この形で、ユーザは、イベントに関連する豊富な情報への簡単なアクセスと共に、任意の時にイベントのさまざまな詳細を再び体験することができる（たとえば、数日後または数年後にどこからでも）。
【０３７６】
第２の例では、ユーザは、美術館を巡り、さまざまな芸術作品の写真を撮影する。美術館では、各芸術作品が、学芸員の指示の下で美術館労働者によって提供されるセンサを関連付けられる。ユーザが、各芸術作品の写真を撮影する時に、関連付けられたセンサが検出され、芸術作品に関連する情報が入手され、写真は、芸術作品に関する情報を用いて自動的にタグ付けされる。この情報は、アーティスト、芸術作品の題名、美術館に展示されるプラカードからの情報など、ならびにそのさまざまな組合せなどの詳細を含む。芸術作品のタグに関連する情報は、同一アーティストによって作成された他の芸術作品のリスト（およびオプションでその詳細）、芸術作品に関するインターネット上で入手可能な追加情報へのリンクなど、ならびにそのさまざまな組合せなどの情報をも含むことができる。さまざまなタグに関連する情報は、それぞれの芸術作品の近くに展示された芸術作品へのポインタを含むこともでき、このポインタを、ユーザおよびオプションで他のユーザが後に使用して、ユーザ（１つまたは複数）が美術館内に配置されている通りに芸術作品を経験できるように、美術館の仮想ツアーを行うことができる。
【０３７７】
第３の例では、報道陣が、レッド・カーペットに現れるスターの写真および／またはビデオを撮影するためにオスカー賞ショーに出席する。スターは、センサを埋め込まれた衣装および宝飾品を身に着ける。報道陣が写真および／またはビデオを撮影する時に、センサが検出され、取り込まれる関連する写真および／またはビデオは、衣装および宝飾品に関する情報（たとえば、デザイナ、品目を購入できる場所へのリンクなど、ならびにそのさまざまな組合せ）を用いて自動的にタグ付けされる。その後、報道陣は、写真および／またはビデオがオンラインのユーザから入手可能になるように、それらをポストする。ユーザは、写真および／またはビデオをブラウズする時に、タグに関連する情報にアクセスするために、埋め込まれたタグを選択することができる。
【０３７８】
第４の例では、家族が、休暇を取り、国定史跡の間で運転することによって国定史跡を巡る。この家族は、史跡の間での移動中に、幹線道路沿いのさまざまな場所で停止する可能性があり、その時に写真を撮影する場合がある。写真は、ホテル、レストラン、名所などを含む可能性がある。各写真が撮影される時に、ホテル、レストラン、および名所の外側に取り付けられた１つまたは複数のセンサが検出され、関連する写真は、それぞれホテル、レストラン、および名所に関連するコンテンツを用いて自動的にタグ付けされる。同様に、国定史跡のそれぞれで、この家族は、史跡の写真を撮影する。各写真が撮影される時に、史跡のそれぞれに取り付けられた１つまたは複数のセンサが検出され、関連する写真は、それぞれの史跡に関連するコンテンツを用いて自動的にタグ付けされる。その後、この家族は、その後に写真を見、現場そのものでは簡単に入手可能ではなかった可能性がある情報を含む、彼らが訪問したさまざまな現場に関する豊富な情報へのアクセスを有する。
【０３７９】
第５の例では、タグ付けされたコンテンツのソーシャル・メディアベースの分配に関連して、ユーザは、彼または彼女のハンドヘルド・デバイスを介して、彼または彼女が見ているオブジェクトの写真／ビデオを撮影し、彼または彼女のソーシャル・メディア・サイトの１つまたは複数を介する他の人からの即座のレビューを好む。ユーザは、本明細書で図示され、説明されるコンテンツ・タグ付けおよび管理能力を使用してコンテンツにタグ付けすると同時に、タグ付けされたコンテンツを１つまたは複数のソーシャル・メディア・ポータルに分配する（たとえば、ＵＲＬ、オーディオノート、ビデオノート、または任意の他の適切な分配能力を介して）。この形で、そのようなソーシャル・メディア・ポータルを介してユーザに関連する人（たとえば、ユーザのソーシャル・メディア・フレンド、家族、連絡先、フォロワなど）は、メディアを即座に見ることができ、さらに、タグ付けされたコンテンツ内に埋め込まれたタグを単純にクリックすることによってそのユーザが見てもらいたい物を即座に見ることができる。これは、その人に、そのユーザの隣に立っているという実世界拡張現実感の感覚を与える。これは、その人に、ソーシャル・メディアを介してほぼリアルタイムでタグ付けされたコンテンツに応答する（たとえば、レビュー、フィードバック、いいね、よくないね（ｄｉｓｌｉｋｅ）などを用いて）ことを可能にする。
【０３８０】
前述の例が、単に、本明細書で図示され説明されるコンテンツ・タグ付けおよび管理能力を使用できる多数の形の少数の例であることを了解されたい。
【０３８１】
本明細書では主にコンテンツ・タグ付けおよび管理能力が特定のタイプのコンテンツ（たとえば、主に写真およびビデオなどのイメージベースのコンテンツ）の自動タグ付けに使用される実施形態に関して図示され説明されるが、コンテンツ・タグ付けおよび管理能力を、他のタイプのコンテンツ（たとえば、テキストベースのコンテンツ、オーディオベースのコンテンツなど）のタグ付けにも使用できることを了解されたい。
【０３８２】
本明細書では主に取り込まれたコンテンツ内のオブジェクトが取り込まれたコンテンツ内のオブジェクトに関連するセンサの検出および／またはコンテンツ・オブジェクトの検出に基づいて自動的にタグ付けされる実施形態に関して図示され説明されるが、さまざまな他の実施形態では、コンテンツ・タグ付けおよび管理能力の原理を、さまざまな他の能力を提供するために適用することができる。
【０３８３】
一実施形態では、たとえば、コンテンツ項目のコンテンツを、オブジェクトに関連する１つまたは複数のタグを使用して妥当性検査することができる。たとえば、アプリケーション、レジュメなどのコンテンツを、これらのコンテンツ項目に関連する１つまたは複数のタグを使用して妥当性検査することができる。たとえば、レジュメでは、１つまたは複数のタグを、人の教育資格、レジュメ上にリストされた人のアフィリエーション、人によってレジュメ上にリストされた証明書などのものを検証するためのレジュメのレビュワによる使用のためにレジュメを作成しつつある人によってレジュメに関連付けることができる。１つのそのような実施形態では、たとえば、認可されたエージェンシが、レジュメに関連する関連情報のすべてをプルし、それらの情報を妥当性検査できるものとすることができる。
【０３８４】
一実施形態では、たとえば、オーディオ・コンテンツに、本明細書で図示され説明されるコンテンツ・タグ付けおよび管理能力の原理を使用して自動的にタグ付けすることができる。一実施形態では、たとえば、オーディオ・コンテンツを、オーディオ・コンテンツ内に含まれるオーディオの特定の部分（たとえば、特定の単語、句など）を識別するために処理することができる。この形でのオーディオ・コンテンツのタグ付けを、さまざまな目的に使用することができる。
【０３８５】
１つのそのような実施形態では、たとえば、コンテンツ・タグ付けおよび管理能力の原理を、リスナ・プリファレンスに基づいて曲および他のオーディオをカスタマイズするのに利用することができる。一実施形態では、たとえば、曲、オーディオ・ブック、または他のオーディオ・コンテンツが、同一の部分を歌う／話す複数の歌手／話者と共に録音され、リスナに、リスナがオーディオ・コンテンツのどのバージョンを使用することを好むのかを選択するオプションを提供することができる。一実施形態では、たとえば、オーディオのタグ付けされた部分を、選択的に置換することができ（たとえば、単語、句、広告など）、最終的にユーザのために再生されるオーディオ・コンテンツが、リスナのプリファレンスに基づいて選択されるようになる。一実施形態では、たとえば、見る人に、曲、オーディオ・ブック、または他のオーディオ・コンテンツの複数の異なる特性のうちの１つまたは複数を指定する能力を与えることができる。一実施形態では、たとえば、オーディオ・コンテンツの１つまたは複数の態様を、オーディオを聞く聴衆のプロファイルに基づいてカスタマイズすることができる（たとえば、オーディオ・コンテンツの追加および／またはフィルタリングを介して）（たとえば、家族全員がオーディオを聞く場合にＲレーティング部分を除外する、家族全員がオーディオを聞く場合にＲレーティング部分をよりファミリフレンドリな内容に置換するなど）。
【０３８６】
一実施形態では、たとえば、コンテンツ・タグ付けおよび管理能力の原理を、見る人のプリファレンスに基づいて映画をカスタマイズするのに利用することができる。一実施形態では、たとえば、見る人が映画のどの版（すなわち、どの主役）を見たいのかを選択するオプションを見る人に与えることができるように、複数の俳優が同一の主役を演じて映画を撮影する。一実施形態では、たとえば、見る人によって見られる映画の版に現れるオブジェクトが、見る人のプリファレンスに基づいて選択されたオブジェクトになるように、映画内のオブジェクトを、映画内のオブジェクトの以前のタグ付けに基づいて、映画内に選択的に挿入することができる。一実施形態では、たとえば、見る人に、映画のジャンルの選択（たとえば、アクション映画、コメディなどの映画を観ること）、映画のレーティングの選択（たとえば、ＰＧレーティング映画、ＰＧー１３レーティング映画、またはＲレーティング映画を見ること）など、ならびにそのさまざまな組合せのうちの１つまたは複数など、映画の複数の異なる特性のうちの１つまたは複数を指定する能力を与えることができる。一実施形態では、たとえば、映画の１つまたは複数の態様が、映画を観る聴衆のプロファイルに基づいてカスタマイズされる（たとえば、コンテンツの追加および／またはフィルタリングを介して）（たとえば、映画が家族全員によって見られる場合にＲレーティング・シーンまたはシーンのＲレーティング部分を除外する、映画が家族全員によって見られる場合にＲレーティング・シーンまたはシーンのＲレーティング部分をよりファミリフレンドリな内容に置換するなど）。そのような実施形態では、映画は、映画のジャンル、映画に現れる俳優、映画のレーティング、映画に含まれるシーン、映画に含まれかつ／または映画からフィルタリングされるシーンまたはシーンの部分、映画内のオブジェクトなど、ならびにそのさまざまな組合せのうちの１つまたは複数を変更するための処理を含めて、映画を観る１人または複数の人のプリファレンスに基づいて非常にカスタマイズ可能になる。
【０３８７】
コンテンツ・タグ付けおよび管理能力は、コンテンツ・プロバイダおよび／またはサービス・プロバイダに新しい特徴および能力を与えることができる。
【０３８８】
一実施形態では、たとえば、コンテンツ・タグ付けおよび管理能力は、コンテンツ・プロバイダ（たとえば、Ｇｏｏｇｌｅ社、Ｙａｈｏｏ社、Ｍｉｃｒｏｓｏｆｔ社など）およびそのコンテンツ・サプライヤがコンテンツを自動的に作成することを可能にする。コンテンツ・タグ付けおよび管理能力は、製品広告主が、製品について中央位置で格納される（たとえば、製品に関する特定のＵＲＬで格納される）情報を単純に変更することによって、彼らの製品の広告を生成し、変更し、カスタマイズすることを可能にする。
【０３８９】
一実施形態では、たとえば、コンテンツ・タグ付けおよび管理能力は、Ｇｏｏｇｌｅ  Ｅａｒｔｈ、Ｍｉｃｒｏｓｏｆｔ社のＶｉｒｔｕａｌ  Ｅａｒｔｈ  ３ＤＶＩＡ、および類似する仮想地図アプリケーションなどの仮想地図アプリケーション内での追加の詳細の投入を可能にする。たとえば、そのような仮想地図アプリケーションの仮想地図をそのような仮想地図内に描かれた仮想オブジェクトの実際の写真および／またはビデオ（たとえば、建物内の部屋、店内の製品アイル、美術館内の芸術など、ならびにそのさまざまな組合せの写真および／またはビデオ）を用いて補足することができる。
【０３９０】
一実施形態では、たとえば、コンテンツ・プロバイダおよび／またはサービス・プロバイダは、コンテンツ・サイト（１つまたは複数）でユーザからの興味深いコンテンツをホスティングすることができる。ホスティングされるコンテンツは、サービス・プロバイダに関する広告トラフィックを生成する。サービス・プロバイダは、コンテンツ・サイトを訪れるコンテンツ視聴者に向けてターゲティングされた新しいサービスおよび広告を配置することができる。
【０３９１】
一実施形態では、たとえば、コンテンツ・プロバイダおよび／またはサービス・プロバイダは、コンテンツ・プロバイダおよび／またはサービス・プロバイダのために定義された自動コンテンツ送出／ストレージ権および収入共有機構に基づいて、コンテンツ・タグ付けおよび管理能力のさまざまな態様を容易にすることができる。
【０３９２】
一実施形態では、たとえば、サービス・プロバイダは、コンテンツに富む通信サービスをサポートすることを可能にするセキュア・ネットワーク接続性を提供する。１つのそのような実施形態では、たとえば、サービス・プロバイダは、エンド・ユーザ・セッションを仲介する責任を負うことができる。
【０３９３】
一実施形態では、たとえば、サービス・プロバイダは、自動的にタグ付けされたコンテンツを介してエンド・ユーザに通信サービスを提供することができる。１つのそのような実施形態では、たとえば、サービス・プロバイダは、ユーザが、電話機の写真／ビデオ内に埋め込まれたタグを単純にクリックすることによって、写真またはビデオ内の電話機に関連する番号に電話をかける（ユーザがその番号を知ることなく）ことを可能にすることができる。
【０３９４】
コンテンツ・タグ付けおよび管理能力は、さまざまな他の新しい特徴および能力を提供することができる。コンテンツ・タグ付けおよび管理能力は、さまざまなタイプのセンサの検出を介して自動的にタグ付けされるコンテンツを介してユーザが情報にアクセスすることを可能にする拡張現実感原理に基づくウェブ２．０アーキテクチャを提供する。コンテンツ・タグ付けおよび管理能力は、バーコード、ボーコード、ＲＦＩＤ、モートなどのさまざまなタイプのセンサとのカメラおよびカムコーダなどのコンテンツ取込みデバイスの統合を提供する。コンテンツ・タグ付けおよび管理能力は、さまざまな有線および／またはワイヤレスのインターネットアクセス可能デバイスからのオブジェクトに関連する情報へのアクセスを可能にするために、オブジェクトに関連するそのようなセンサを、情報およびインターネット・サイトに自動的にセキュアに関連付けることのできる機構を提供する。コンテンツ・タグ付けおよび管理能力は、オブジェクト情報を管理するためにオブジェクト・プロバイダ／マネージャによって使用できる（たとえば、オブジェクト特徴、広告情報、販売促進情報、オブジェクトがその中に描かれたコンテンツを所有するコンテンツ所有者の広告報酬など）、オブジェクト情報を管理するためにコンテンツ所有者によって使用できる（たとえば、コンテンツ所有者によって提供される情報、タグ付けされたコンテンツまたはタグ付けされたコンテンツの諸部分へのアクセスを制御するコンテンツ／ユーザ許可など）、および／または任意の他の関心を持つ当事者によって使用できる、１つまたは複数のコンテンツ管理環境を提供する。コンテンツ管理環境（１つまたは複数）は、１つまたは複数のユーザ・アプリケーション、１つまたは複数のアプリケーション・プログラミング・インターフェース（ＡＰＩ）、１つまたは複数のコンテンツ定義言語、（たとえば、センサに格納されたオブジェクト情報を定義／編成するための、取込みコンテンツ内のコンテンツ・タグへの関連付けのために情報構造を定義／編成するための）１つまたは複数のコンテンツ・エディタ、１つまたは複数の通信プロトコルなど、ならびにそのさまざまな組合せのうちの１つまたは複数を含むことができる。コンテンツ・タグ付けおよび管理能力は、コンテンツの自動タグ付けおよび自動的にタグ付けされたコンテンツのアクセスをサポートするために全世界のネットワーク・オペレータおよび／または遠隔通信プロバイダによって使用できる完全なアプリケーション・フレームワークを提供する。コンテンツ・タグ付けおよび管理能力は、オブジェクト・プロバイダ／マネージャ、自動的にタグ付けされたコンテンツへのアクセスを制御するユーザ、および／または任意の他の関心を持つ当事者によって制御できる階層セキュリティ・ポリシを提供する。コンテンツ・タグ付けおよび管理能力は、さまざまな他の能力および利益を提供する。
【０３９５】
主にオブジェクト１２２が１つのセンサ１２４だけを関連付けられるさまざまな実施形態に関して図示され、説明されるが、さまざまな他の実施形態で、オブジェクト１２２は、複数のセンサ１２４を関連付けられることができる（これを、本明細書ではオブジェクト１２２のセンサ・セットと称する場合がある）。そのような実施形態では、複数のセンサ１２４を、１つまたは複数の理由からオブジェクト１２２に関連付けることができる。一実施形態では、たとえば、複数のセンサ１２４を、オブジェクトの境界の識別を可能にするために（たとえば、オブジェクト１２２の寸法を判定する際の使用のため、オブジェクトの形状を判定する際の使用のためなど、ならびにそのさまざまな組合せ）オブジェクト１２２に関連付けることができる。一実施形態では、たとえば、複数のセンサ１２４を、オブジェクト１２２がコンテンツ取込み中に取り込まれる可能性があるさまざまな角度からセンサ１２４を可視にし、したがって、検出可能にすることを可能にするために、オブジェクト１２２に関連付けることができる。一実施形態では、たとえば、複数のセンサ１２４を、オブジェクト１２２のオブジェクト情報へのアクセスに関する異なるレベルの許可のサポートを可能にするためにオブジェクト１２２に関連付けることができる（たとえば、異なるセンサ１２４が異なるアクセス許可レベルを関連付けられる場合など）。所与のオブジェクト１２２に関する複数のセンサ１２４の使用を、さまざまな他の目的に使用することができる。
【０３９６】
本明細書では主に単一のオブジェクトだけが取り込まれたコンテンツ内で自動的にタグ付けされる実施形態に関して図示され、説明されるが、取り込まれたコンテンツ内で任意の個数のオブジェクトにタグ付けできることを了解されたい。
【０３９７】
本明細書では主に特定のタイプ、個数、および配置のネットワーク、プロトコル、システム、デバイス、センサ、オブジェクトなどの使用に関して図示され、説明されるが、これが、タイプ、個数、およびネットワークの配置、プロトコル、システム、デバイス、センサ、オブジェクトなどを、本明細書で図示され、説明される自動コンテンツ・タグ付け機能および／またはタグ付けされたコンテンツの管理機能のさまざまな機能を提供するために利用できる。
【０３９８】
図１４に、本明細書で説明される機能を実行する際の使用に適するコンピュータの高水準ブロック図を示す。図１４に示されているように、コンピュータ１４００は、プロセッサ要素１４０２（たとえば、中央処理装置（ＣＰＵ）、複数のコプロセッサ、および／または他の適切なプロセッサ（１つまたは複数））、メモリ１４０４（たとえば、ランダム・アクセス・メモリ（ＲＡＭ）、読取り専用メモリ（ＲＯＭ）など）、リダクション・コオペレーティング（ｒｅｄｕｃｔｉｏｎ  ｃｏｏｐｅｒａｔｉｎｇ）モジュール／プロセス１４０５、およびさまざまな入出力デバイス１４０６（たとえば、ユーザ入力デバイス（キーボード、キーパッド、マウスなど）、ユーザ出力デバイス（ディスプレイ、スピーカなど）、入力ポート、出力ポート、受信器、送信器、およびストレージ・デバイス（たとえば、テープ・ドライブ、フロッピ・ドライブ、ハード・ディスク・ドライブ、コンパクト・ディスク・ドライブなど））を含む。
【０３９９】
本明細書で図示され、説明される機能を、ソフトウェア、ハードウェア、および／またはソフトウェアとハードウェアとの組合せで、たとえば、汎用プロセッサ、１つもしくは複数の特定用途向け集積回路（ＡＳＩＣ）、および／または任意の他の同等物を使用して実施できることを了解されたい。一実施形態では、コオペレーティング・プロセス１４０５を、メモリ１４０４にロードし、プロセッサ１４０２によって実行して、本明細書で上で述べた機能を実施することができる。したがって、コオペレーティング・プロセス１４０５（関連するデータ構造を含む）を、コンピュータ可読記憶媒体、たとえばＲＡＭメモリ、磁気ドライブ、磁気ディスケット、光ドライブ、光ディスケットなどに格納することができる。
【０４００】
本明細書でソフトウェア方法として述べられたステップを、ハードウェア内で、たとえば、さまざまな方法ステップを実行するためにプロセッサと協力する回路網として実施できることが企図されている。本明細書で説明される機能／要素の諸部分を、コンピュータ・プログラム製品として実施することができ、コンピュータ命令は、コンピュータによって処理される時に、本明細書で説明される方法および／または技法が呼び出されるか他の形で提供されるように、コンピュータの動作を適合させる。発明的方法を呼び出す命令を、固定媒体または取り外し可能媒体内に格納し、放送媒体または他の信号担持媒体内のデータ・ストリームを介して送信し、かつ／または命令に従って動作するコンピューティング・デバイス内のメモリ内に格納することができる。
【０４０１】
さまざまな実施形態の諸態様は、特許請求の範囲で指定される。さまざまな実施形態の上記および他の態様は、次の番号付きの項で指定される。
【０４０２】
１．オブジェクトを含むコンテンツを取り込むように構成されたコンテンツ取込み機構と、
コンテンツ内に含まれるオブジェクトに情報構造を自動的に関連付けて、これによってタグ付けされたコンテンツを形成するように構成されたプロセッサと
を備える装置。
２．コンテンツ取込み機構は、オブジェクトに関連するセンサから、オブジェクトに関連するオブジェクト・データを検出するようにさらに構成されている、第１項に記載の装置。
３．コンテンツ取込み機構は、第１のコンテンツ取込み機構であり、装置は、
オブジェクトに関連するセンサから、オブジェクトに関連するオブジェクト・データを検出するように構成された第２のコンテンツ取込み機構をさらに備える、
第１項に記載の装置。
４．コンテンツ取込み機構は、第１のコンテンツ取込み機構であり、装置は、
オブジェクトに関連する他のコンテンツを検出するように構成された第２のコンテンツ取込み機構をさらに備える、
第３項に記載の装置。
５．オブジェクトに関連するセンサから、オブジェクトに関連するオブジェクト・データを受け取るように構成された通信インターフェース
をさらに備える、第１項に記載の装置。
６．リモート・デバイスから、オブジェクトに関連するオブジェクト・データを受け取るように構成されたワイヤレス通信インターフェース
をさらに備える、第１項に記載の装置。
７．取り込まれたコンテンツ、情報構造、およびタグ付けされたコンテンツのうちの少なくとも１つを格納するように構成された少なくとも１つのストレージ・モジュール
をさらに備える、第１項に記載の装置。
８．タグ付けされたコンテンツをリモート・デバイスに伝搬させるように構成された通信インターフェース
をさらに備える、第１項に記載の装置。
９．プロセッサは、
コンテンツ内に含まれるオブジェクトにコンテンツ・タグを関連付け、コンテンツ・タグの選択が情報構造へのアクセスを可能にするように、コンテンツ・タグに情報構造を関連付けること、または
コンテンツ・タグに情報構造を関連付け、コンテンツ・タグの選択が情報構造へのアクセスを可能にするように、コンテンツ内に含まれるオブジェクトにコンテンツ・タグを関連付けること
のうちの１つによって、コンテンツ内に含まれるオブジェクトに情報構造を自動的に関連付けて、これによってタグ付けされたコンテンツを形成するように構成されている、第１項に記載の装置。
１０．プロセッサは、
コンテンツ内のオブジェクトの位置を判定すること、および
判定された位置を使用してコンテンツ内に含まれるオブジェクトにコンテンツ・タグを関連付けること
によって、コンテンツ内に含まれるオブジェクトにコンテンツ・タグを関連付けるように構成されている、第９項に記載の装置。
１１．プロセッサは、
オブジェクトに関連する少なくとも１つのセンサから位置情報を受け取ること、および
位置情報を使用してコンテンツ内のオブジェクトの位置を判定すること
によって、コンテンツ内のオブジェクトの位置を判定するように構成されている、第１０項に記載の装置。
１２．プロセッサは、
オブジェクトに関連するオブジェクト情報を受け取り、オブジェクト情報の少なくとも一部を情報構造に投入すること
によって、コンテンツ内に含まれるオブジェクトに情報構造を自動的に関連付けて、これによってタグ付けされたコンテンツを形成するように構成されている、第１項に記載の装置。
１３．プロセッサは、オブジェクトに関連するオブジェクト・データを受け取るように構成されている、第１項に記載の装置。
１４．オブジェクト・データは、
オブジェクトに関連するオブジェクト情報、および
オブジェクトに関連するオブジェクト情報を取り出すことのできる少なくとも１つのネットワーク・アドレス
のうちの少なくとも１つを含む、第１３項に記載の装置。
１５．情報構造は、オブジェクトに関連するオブジェクト情報をセキュアに格納するように構成されている、第１項に記載の装置。
１６．コンテンツは、テキスト、オーディオ、およびビデオのうちの少なくとも１つを含む、第１項に記載の装置。
１７．装置は、カメラまたはビデオ・レコーダである、第１項に記載の装置。
１８．コンテンツ取込み機構によって取り込まれた、オブジェクトを含むコンテンツを受け取り、
オブジェクトに関連するセンサが検出される時にオブジェクトに関連するオブジェクト情報を受け取り、
コンテンツ内に含まれるオブジェクトに、オブジェクトに関連するオブジェクト情報の少なくとも一部を含む情報構造を自動的に関連付けて、これによってタグ付けされたコンテンツを形成する
ように構成されたプロセッサ
を備える装置。
１９．ユーザ・デバイスを使用してコンテンツに自動的にタグ付けするための方法であって、
ユーザ・デバイスで、オブジェクトを含むコンテンツを取り込むステップと、
ユーザ・デバイスで、オブジェクトに関連するセンサが検出される時にオブジェクトに関連するオブジェクト情報を受け取るステップと、
ユーザ・デバイスで、コンテンツ内に含まれるオブジェクトに情報構造を自動的に関連付けて、これによってタグ付けされたコンテンツを形成するステップであって、情報構造は、オブジェクトに関連するオブジェクト情報の少なくとも一部を含む、ステップと
を含む方法。
２０．オブジェクトを含むコンテンツを取り込むように構成されたコンテンツ取込み機構と、
オブジェクトに関連するセンサが検出される時にオブジェクトに関連する情報を受け取るように構成された通信インターフェースと
を備える装置。
【０４０３】
本発明の教示を組み込んださまざまな実施形態を、本明細書で図示し、詳細に説明したが、当業者は、それでもこれらの教示を組み込む多数の他の変更された実施形態を容易に考案することができる。
【図１】
2013544383.tif 000003
【図２】
2013544383.tif 000004
【図３】
2013544383.tif 000005
【図４】
2013544383.tif 000006
【図５】
2013544383.tif 000007
【図６】
2013544383.tif 000008
【図７】
2013544383.tif 000009
【図８】
2013544383.tif 000010
【図９】
2013544383.tif 000011
【図１０】
2013544383.tif 000012
【図１１】
2013544383.tif 000013
【図１２】
2013544383.tif 000014
【図１３】
2013544383.tif 000015
【図１４】
2013544383.tif 000016
【国際調査報告】
2013544383.tif 000017